(57)【要約】  映像を表示する表示部と、前記映像のフレーム画像の表示に同期したコマンド信号を含む同期信号を生成する生成部と、前記同期信号を送信する送信部と、を備え、前記コマンド信号は、一定数のパルス信号を含み、該コマンド信号は、前記コマンド信号の開始を通知する先頭パルス信号と、前記コマンド信号の終了を通知する終端パルス信号と、前記フレーム画像の表示に同期した同期制御の内容を通知する制御パルス信号と、を含むことを特徴とする表示装置。
2011099298.tif 000002
【特許請求の範囲】
【請求項１】
映像を表示する表示部と、
前記映像のフレーム画像の表示に同期したコマンド信号を含む同期信号を生成する生成部と、
前記同期信号を送信する送信部と、を備え、
前記コマンド信号は、一定数のパルス信号を含み、
該コマンド信号は、前記コマンド信号の開始を通知する先頭パルス信号と、前記コマンド信号の終了を通知する終端パルス信号と、前記フレーム画像の表示に同期した同期制御の内容を通知する制御パルス信号と、を含むことを特徴とする表示装置。
【請求項２】
前記同期制御は、第１同期制御と、該第１同期制御とは異なる第２同期制御と、を含み、
前記コマンド信号は、前記第１同期制御の内容を通知するための前記第１コマンド信号と、前記第２同期制御の内容を通知するための前記第２コマンド信号と、を含み、
前記生成部は、前記先頭パルス信号と前記終端パルス信号との間の前記制御パルス信号の時間位置を変更し、前記第１コマンド信号と前記第２コマンド信号と、を生成することを特徴とする請求項１に記載の表示装置。
【請求項３】
前記先頭パルス信号及び前記終端パルス信号との間の送信間隔は、一定に定められ、
前記コマンド信号は、先行して送信される先行コマンド信号と、該先行コマンド信号に後続する後続コマンド信号と、を含み、
前記送信部は、前記先行コマンド信号の前記終端パルス信号と前記後続コマンド信号の前記先頭パルス信号との間の時間間隔が、前記コマンド信号内の前記パルス信号の時間間隔と異なるように前記先行コマンド信号と前記後続コマンド信号とを間欠式に送信することを特徴とする請求項１又は２に記載の表示装置。
【請求項４】
前記送信部は、前記先行コマンド信号の前記終端パルス信号と前記後続コマンド信号の前記先頭パルス信号との間の時間間隔が、前記先頭パルス信号及び前記終端パルス信号との間の送信間隔より長くなるように、前記先行コマンド信号と前記後続コマンド信号とを送信することを特徴とする請求項３に記載の表示装置。
【請求項５】
映像のフレーム画像の表示に同期して、視聴者の眼への透過光量を調整し、前記映像を立体的に知覚させる補助動作を実行する光学フィルタ部と、
前記フレーム画像の表示に同期した前記補助動作を実行させるための同期信号を受信する受信部と、
前記同期信号を解析する解析部と、
該解析部の解析結果に基づいて、前記光学フィルタ部を制御する制御部と、を備え、
前記同期信号は、一定数のパルス信号を有するコマンド信号を含み、
該コマンド信号は、前記コマンド信号の開始を通知する先頭パルス信号と、前記コマンド信号の終了を通知する終端パルス信号と、前記フレーム画像の表示に同期した前記補助動作の内容を通知する制御パルス信号と、を含むことを特徴とする眼鏡装置。
【請求項６】
前記解析部は、前記先頭パルス信号と前記終端パルス信号との受信間隔に基づき、前記受信部が受信した信号が、前記光学フィルタ部の制御に用いられる前記コマンド信号であるか否かを判定することを特徴とする請求項５に記載の眼鏡装置。
【請求項７】
前記解析部は、前記先頭パルス信号と前記終端パルス信号との間の前記パルス信号の数に基づき、前記受信部が受信した信号が、前記光学フィルタ部の制御に用いられる前記コマンド信号であるか否かを判定することを特徴とする請求項６に記載の眼鏡装置。
【請求項８】
前記解析部は、前記先頭パルス信号と前記終端パルス信号との間の前記パルス信号の時間位置に基づき、前記受信部が受信した信号が、前記光学フィルタ部の制御に用いられる前記コマンド信号であるか否かを判定することを特徴とする請求項７に記載の眼鏡装置。
【請求項９】
前記解析部は、前記先頭パルス信号と前記終端パルス信号との間の前記制御パルス信号の前記時間位置に基づき、前記光学フィルタ部に対する制御内容を決定することを特徴とする請求項８に記載の眼鏡装置。
【請求項１０】
前記コマンド信号は、前記光学フィルタ部に前記透過光量を調整させるための第１調整動作を実行させるための第１コマンド信号と、前記光学フィルタ部に前記第１調整動作と異なる第２調整動作を実行させる第２コマンド信号と、を含み、
前記解析部は、前記第１コマンド信号及び前記第２コマンド信号のうち少なくとも一方の受信周期に基づいて、前記受信部が受信した信号が、前記光学フィルタ部の制御に用いられる前記コマンド信号であるか否かを判定することを特徴とする請求項９に記載の眼鏡装置。
【請求項１１】
前記コマンド信号は、先行して送信される先行コマンド信号と、該先行コマンド信号に後続する後続コマンド信号と、を含み、
前記解析部は、前記コマンド信号内の前記パルス信号の間隔と、前記先行コマンド信号と前記後続コマンド信号との受信間隔とに基づいて、前記先頭パルス信号及び前記終端パルス信号のうち少なくとも一方を見極めることを特徴とする請求項６乃至１０のいずれか１項に記載の眼鏡装置。
【請求項１２】
映像のフレーム画像を時間的に切り替えて表示する表示装置と、
前記フレーム画像の表示に同期して、視聴者の眼への透過光量を調整し、前記映像を立体的に知覚させる補助動作を実行する眼鏡装置と、を備え、
前記表示装置は、
前記映像を表示する表示部と、
前記映像のフレーム画像の表示に同期したコマンド信号を含む同期信号を生成する生成部と、
前記同期信号を送信する送信部と、を含み、
前記コマンド信号は、一定数のパルス信号を含み、
該コマンド信号は、前記コマンド信号の開始を通知する先頭パルス信号と、前記コマンド信号の終了を通知する終端パルス信号と、前記フレーム画像の表示に同期した前記補助動作の内容を通知する制御パルス信号と、を含み、
前記眼鏡装置は、
前記補助動作を実行する光学フィルタ部と、
前記同期信号を受信する受信部と、
前記同期信号を解析する解析部と、
該解析部の解析結果に基づいて、前記光学フィルタ部を制御する制御部と、を含むことを特徴とする映像システム。
【発明の詳細な説明】
【技術分野】
【０００１】
本発明は、表示装置に表示された映像を、眼鏡装置を通じて視聴させる技術に関する。より詳しくは、表示装置と眼鏡装置との間で通信される同期信号の通信技術に関する。
【背景技術】
【０００２】
視聴者に映像を立体的に知覚させる映像システムは、典型的には、左眼で視聴されるように作成された左眼用の映像と、右眼で視聴されるように作成された右眼用の映像とを交互に切り替えて表示する表示装置と、映像の切替と同期して開閉する光学シャッタを備える眼鏡装置と、を備える。眼鏡装置を装着した視聴者は、光学シャッタの開閉制御によって、表示装置が表示する映像を立体的に知覚することができる。【０００３】
特許文献１は、表示装置と眼鏡装置との間の通信技術を開示する。特許文献１によれば、眼鏡装置の光学シャッタとして用いられる左右の液晶シャッタの極性の切替に、「High信号」及び「Low信号」が用いられる。「High信号」及び「Low信号」は、一定周期で、交互に生成される。【０００４】
左右のシャッタの動作の切替のために表示装置から眼鏡装置へ送信される同期信号が、比較的単純な「High信号」及び「Low信号」を含む場合、或いは、単純にコード化されたコマンド信号を含む場合には、眼鏡装置は、ノイズ信号によって、潜在的に誤動作する。
【先行技術文献】
【特許文献】
【０００５】
【特許文献１】特開平１１−９８５３８号公報
【発明の概要】
【０００６】
眼鏡装置を通じて左右の眼に透過する透過光量を調整するために表示装置から眼鏡装置へ送信される同期信号の通信に、高いノイズ耐性を付与する技術を提供することを目的とする。
【０００７】
本発明の一の局面に係る表示装置は、映像を表示する表示部と、前記映像のフレーム画像の表示に同期したコマンド信号を含む同期信号を生成する生成部と、前記同期信号を送信する送信部と、を備え、前記コマンド信号は、一定数のパルス信号を含み、該コマンド信号は、前記コマンド信号の開始を通知する先頭パルス信号と、前記コマンド信号の終了を通知する終端パルス信号と、前記フレーム画像の表示に同期した同期制御の内容を通知する制御パルス信号と、を含むことを特徴とする。
【０００８】
本発明の他の局面に係る眼鏡装置は、映像のフレーム画像の表示に同期して、視聴者の眼への透過光量を調整し、前記映像を立体的に知覚させる補助動作を実行する光学フィルタ部と、前記フレーム画像の表示に同期した前記補助動作を実行させるための同期信号を受信する受信部と、前記同期信号を解析する解析部と、該解析部の解析結果に基づいて、前記光学フィルタ部を制御する制御部と、を備え、前記同期信号は、一定数のパルス信号を有するコマンド信号を含み、該コマンド信号は、前記コマンド信号の開始を通知する先頭パルス信号と、前記コマンド信号の終了を通知する終端パルス信号と、前記フレーム画像の表示に同期した補助動作の内容を通知する制御パルス信号と、を含むことを特徴とする。
【０００９】
本発明の他の局面に係る映像システムは、映像のフレーム画像を時間的に切り替えて表示する表示装置と、前記フレーム画像の表示に同期して、視聴者の眼への透過光量を調整し、前記映像を立体的に知覚させる補助動作を実行する眼鏡装置と、を備え、前記表示装置は、前記映像を表示する表示部と、前記映像のフレーム画像の表示に同期したコマンド信号を含む同期信号を生成する生成部と、前記同期信号を送信する送信部と、を含み、前記コマンド信号は、一定数のパルス信号を含み、該コマンド信号は、前記コマンド信号の開始を通知する先頭パルス信号と、前記コマンド信号の終了を通知する終端パルス信号と、前記フレーム画像の表示に同期した補助動作の内容を通知する制御パルス信号と、を含み、前記眼鏡装置は、前記補助動作を実行する光学フィルタ部と、前記同期信号を受信する受信部と、前記同期信号を解析する解析部と、該解析部の解析結果に基づいて、前記光学フィルタ部を制御する制御部と、を含むことを特徴とする。
【図面の簡単な説明】
【００１０】
【図１】一実施形態に係る映像システムの概略構成図である。
【図２】図１に示される映像システムのハードウェア構成を概略的に示すブロック図である。
【図３】図２に示される映像システムの表示装置の機能構成を概略的に示すブロック図である。
【図４】図２に示される映像システムの眼鏡装置の機能構成を概略的に示すブロック図である。
【図５】表示装置と眼鏡装置との間で正常な同期制御がなされているときのタイミングチャートである。
【図６】表示装置と眼鏡装置との間の同期制御がノイズに影響されたときのタイミングチャートである。
【図７】ノイズの影響を受けにくいコマンド信号の概略図である。
【図８】図７に示されるコマンド信号中におけるパルス信号の「ＯＮ」・「ＯＦＦ」の組み合わせを示す図表である。
【図９】図７に示されるコマンド信号中におけるパルス信号の「ＯＮ」・「ＯＦＦ」の他の組み合わせを示す図表である。
【図１０】図７に示されるコマンド信号中におけるパルス信号の「ＯＮ」・「ＯＦＦ」の他の組み合わせを示す図表である。
【図１１】図７に示されるコマンド信号中におけるパルス信号の「ＯＮ」・「ＯＦＦ」の他の組み合わせを示す図表である。
【図１２】眼鏡装置の受信部が受信したパルス信号群に対する判定処理を概略的に示すフローチャートである。
【図１３】眼鏡装置の受信部が受信したパルス信号群を概略的に示すタイミングチャートである。
【発明を実施するための形態】
【００１１】
以下、一実施形態に従う表示装置、眼鏡装置及び映像システムが、添付の図面を用いて説明される。尚、図面に示される構成、配置或いは形状並びに図面に関連する記載は、単に、表示装置、眼鏡装置及び映像システムの原理を容易に理解させることを目的とするものであり、表示装置、眼鏡装置及び映像システムの原理を何ら限定するものではない。
【００１２】
＜映像システムの構成＞
図１は、一実施形態に従う映像システムの概略図である。図１を用いて、映像システムが説明される。
【００１３】
映像システム１００は、立体的に知覚される映像を表示する表示装置２００と、表示装置２００が表示する映像の視聴を補助する補助動作を実行する眼鏡装置３００と、を備える。表示装置２００は、映像のフレーム画像を時間的に切り替えて表示する。眼鏡装置３００は、フレーム画像の表示に同期して、視聴者の眼への透過光量を調整する補助動作を実行する。視聴者が眼鏡装置３００を装着し、表示装置２００が表示する映像を視聴すると、視聴者は、映像を立体的に知覚することができる。
【００１４】
表示装置２００は、立体的に知覚される映像を表示するためのディスプレイパネル２１０を備える。ディスプレイパネル２１０に表示される映像は、左眼で視聴されるように作成された左眼用のフレーム画像（以下、Ｌフレーム画像と称される）と、右眼で視聴されるように作成された右眼用のフレーム画像（以下、Ｒフレーム画像と称される）と、を含む。表示装置２００は、ディスプレイパネル２１０に、Ｌフレーム画像及びＲフレーム画像を、例えば、１２０Ｈｚの周波数で、ディスプレイパネル２１０に交互に表示する。本実施形態において、ディスプレイパネル２１０は、表示部として例示される。
【００１５】
眼鏡装置３００は、視力矯正用の眼鏡と略同様の形状をなす。眼鏡装置３００は、表示装置２００が表示する映像を視聴者に立体的に知覚させるように映像の視聴を補助する補助動作を実行する光学シャッタ部３１０を備える。光学シャッタ部３１０は、眼鏡装置３００を装着した視聴者の左眼前に位置する左シャッタ３１１と、右眼前に位置する右シャッタ３１２と、を備える。左シャッタ３１１は、Ｌフレーム画像の表示に同期して開き、右シャッタ３１２は、Ｌフレーム画像の表示の間、閉じている。また、右シャッタ３１２は、Ｒフレーム画像の表示に同期して開き、左シャッタ３１１は、Ｒフレーム画像の表示の間、閉じている。左シャッタ３１１が開くと、左シャッタ３１１を通じて左眼へ入射する光量が増大する。左シャッタ３１１が閉じると、左シャッタ３１１を通じて左眼へ入射する光量が低減する。右シャッタ３１２が開くと、右シャッタ３１２を通じて右眼へ入射する光量が増大する。右シャッタ３１２が閉じると、右シャッタ３１２を通じて右眼へ入射する光量が低減する。以下の説明において、光学シャッタ部３１０を通じて、視聴者の眼に入射する光の量は、「透過光量」と称される。本実施形態において、光学シャッタ部３１０は、光学フィルタ部として例示される。左シャッタ３１１は、左フィルタとして例示される。右シャッタ３１２は、右フィルタとして例示される。左フィルタ及び／又は右フィルタとして、透過光量を調整可能に形成される他の光学素子が用いられてもよい。視聴者の左眼及び右眼へ透過する光を偏光する偏光素子（例えば、液晶フィルタ）が左フィルタ及び／又は右フィルタとして用いられてもよい。
【００１６】
上述の光学シャッタ部３１０による補助動作の結果、視聴者は、左眼のみでＬフレーム画像を視聴し、右眼のみでＲフレーム画像を視聴することができる。Ｌフレーム画像及びＲフレーム画像は、視差の分だけ異なる内容を表す。視聴者は、左眼のみで視聴したＬフレーム画像と右眼のみで視聴したＲフレーム画像とから、視差を擬似的に知覚する。この結果、視聴者は、表示装置２００が表示する映像を立体的に知覚する。眼鏡装置３００が、適切に補助動作を実行している間、視聴者は、映像に含まれるオブジェクトをディスプレイパネル２１０の表示面から飛び出したように或いは引っ込んだように知覚することができる。
【００１７】
表示装置２００には、映像信号が入力される。表示装置２００は、映像信号を処理し、立体映像（３Ｄ映像）をディスプレイパネル２１０に出力する。表示装置２００は、映像の表示に同期した上述の補助動作を眼鏡装置３００に実行させるための同期信号を送信するための送信部として用いられる発光素子２１３を更に備える。本実施形態において、発光素子２１３は、赤外線を発光する。
【００１８】
眼鏡装置３００は、上述の同期信号を受信する受信部として用いられる受光素子３１３を更に備える。受光素子３１３は、発光素子２１３が出力した赤外線を受光する。
【００１９】
同期信号は、Ｌフレーム画像及びＲフレーム画像の表示に同期して送信されるコマンド信号を含む。光学シャッタ部３１０は、同期信号が含むコマンド信号に基づき、Ｌフレーム画像及びＲフレーム画像の表示に同期した補助動作を実行する。本実施形態において、発光素子２１３は、Ｌフレーム画像の表示の開始に同期して、左シャッタ３１１を開くためのコマンド信号を送信する。発光素子２１３は、Ｌフレーム画像の表示の終了に同期して、左シャッタ３１１を閉じるためのコマンド信号を送信する。発光素子２１３は、Ｒフレーム画像の表示の開始に同期して、右シャッタ３１２を開くためのコマンド信号を送信する。発光素子２１３は、Ｒフレーム画像の表示の終了に同期して、右シャッタ３１２を閉じるためのコマンド信号を送信する。受光素子３１３が、左シャッタ３１１を開くためのコマンド信号を受信すると、左シャッタ３１１は、Ｌフレーム画像の表示の開始に同期して開く。受光素子３１３が、左シャッタ３１１を閉じるためのコマンド信号を受信すると、左シャッタ３１１は、Ｌフレーム画像の表示の終了に同期して閉じる。受光素子３１３が、右シャッタ３１２を開くためのコマンド信号を受信すると、右シャッタ３１２は、Ｒフレーム画像の表示の開始に同期して開く。受光素子３１３が、右シャッタ３１２を閉じるためのコマンド信号を受信すると、右シャッタ３１２は、Ｒフレーム画像の表示の終了に同期して閉じる。この結果、ディスプレイパネル２１０がＬフレーム画像を表示している間、左眼への映像光の入射量が増大する一方で、右眼への映像光の入射量が低減する。また、ディスプレイパネル２１０がＲフレーム画像を表示している間、右眼への映像光の入射量が増大する一方で、左眼への映像光の入射量が低減する。
【００２０】
上述の光学シャッタ部３１０の補助動作の結果、眼鏡装置３００を装着した視聴者は、表示装置２００が表示する映像を立体的に知覚することができる。
【００２１】
本実施形態において、Ｌフレーム画像及びＲフレーム画像の表示周波数は、１２０Ｈｚである。代替的に、Ｌフレーム画像及びＲフレーム画像の表示周波数は、９６Ｈｚ、１００Ｈｚ、１４４Ｈｚといった他の値であってもよい。Ｌフレーム画像及びＲフレーム画像の表示周波数は、好ましくは、表示される映像の種類に応じて適切に設定される。
【００２２】
本実施形態において、映像システム１００は、太陽光Ｓといった外部光及び／又は蛍光灯Ｅによって照明される空間内で使用される。また、表示装置２００は、多くの場合、リモートコントローラ９００を用いて制御される。太陽光Ｓといった外部光や蛍光灯Ｅの照明光は、一般的に、赤外線を含む。また、リモートコントローラ９００と表示装置２００との間の通信には、典型的には、赤外線信号が用いられる。
【００２３】
本実施形態において、眼鏡装置３００の受光素子３１３は、表示装置２００から送信される同期信号として送信される赤外線信号を受信する。したがって、受光素子３１３は、太陽光Ｓといった外部光や蛍光灯Ｅの照明光が含む赤外線並びにリモートコントローラ９００と表示装置２００との間の通信に用いられる赤外線信号を潜在的に受信する。表示装置２００からの赤外線信号以外の信号（赤外線）は、眼鏡装置３００にとっては、ノイズ信号として作用する。以下に説明される本実施形態の原理は、眼鏡装置３００に対するこれらのノイズ信号の影響を低減させる。
【００２４】
本実施形態において、赤外線信号が同期信号として用いられる。代替的に、同期信号として、無線信号や、表示装置２００と眼鏡装置３００との間の同期制御を達成させることができる他の種類の信号が用いられてもよい。
【００２５】
図２は、映像システム１００のハードウェア構成を概略的に示すブロック図である。図１及び図２を用いて、映像システム１００のハードウェア構成が説明される。
【００２６】
表示装置２００は、上述のディスプレイパネル２１０及び発光素子２１３に加えて、復号ＩＣ２１１、映像信号処理ＩＣ２１２、送信制御ＩＣ２１４、ＣＰＵ２１５、メモリ２１６及びクロック２１７を備える。
【００２７】
符号化された映像信号は、復号ＩＣ２１１に入力される。復号ＩＣ２１１は、入力された映像信号を復号化し、映像データを所定の様式で出力する。映像の符号化として、ＭＰＥＧ（Motion Picture Experts Group）−２、ＭＰＥＧ−４やＨ２６４といった手法が例示される。
【００２８】
映像信号処理ＩＣ２１２は、復号ＩＣ２１１からの映像データを立体映像として表示するために映像信号を処理する。本実施形態において、映像信号処理ＩＣ２１２は、復号ＩＣ２１１が復号化した映像信号から左眼用の映像と右眼用の映像とを検出する。その後、映像信号処理ＩＣ２１２は、左眼用の映像と右眼用の映像とを時間的に交互に並べ替える。代替的に、映像信号処理ＩＣ２１２は、復号ＩＣ２１１が出力した映像信号に基づき、左眼用の映像と右眼用の映像とを自動的に生成してもよい。更に代替的に、映像信号処理ＩＣ２１２は、立体映像の表示に関連する他の信号処理を実行してもよい。映像信号処理ＩＣ２１２は、その後、ディスプレイパネル２１０の信号入力方式に適合した出力信号を生成する。
【００２９】
映像信号処理ＩＣ２１２は、上述の信号処理に加えて、他の信号処理を実行してもよい。例えば、映像信号処理ＩＣ２１２は、ディスプレイパネル２１０の特性に応じて、表示される映像の色彩を調整してもよい。映像信号処理ＩＣ２１２は、復号ＩＣ２１１が生成した映像のフレーム間の映像を補間し、映像のフレームレートを増加させてもよい。
【００３０】
送信制御ＩＣ２１４は、映像信号処理ＩＣ２１２が生成した左眼用の映像及び右眼用の映像（Ｌフレーム画像及びＲフレーム画像）の表示に同期するコマンド信号を含む同期信号を生成し、発光素子２１３へ出力する。本実施形態において、送信制御ＩＣ２１４は、生成部として例示される。
【００３１】
ＣＰＵ２１５は、復号ＩＣ２１１や映像信号処理ＩＣ２１２といった表示装置２００の様々な要素を制御し、表示装置２００の動作全体を制御する。ＣＰＵ２１５は、例えば、メモリ２１６に記録されたプログラムや外部装置（図示せず）からの入力に従って、上述の制御を実行する。
【００３２】
メモリ２１６は、ＣＰＵ２１５が実行するプログラムやプログラム実行時に発生する一時的なデータを記録する領域として用いられる。メモリ２１６として、揮発性のＲＡＭ（Random  Access  Memory）や不揮発性のＲＯＭ（Read Only Memory）が例示される。
【００３３】
クロック２１７は、クロック信号を生成し、ＣＰＵ２１５や他の構成要素へ供給する。クロック信号は、表示装置２００の様々なＩＣや他の構成要素の動作基準として用いられる。
【００３４】
ディスプレイパネル２１０は、映像信号処理ＩＣ２１２が出力した映像信号を映像として表示する表示面を備える。ディスプレイパネル２１０として、例えば、ＣＲＴ（Cathyode Ray Tube）ディスプレイ、液晶ディスプレイ、ＰＤＰ（プラズマディスプレイパネル）、有機エレクトロルミネッセンスディスプレイや映像を表示可能な他の装置が好適に使用される。
【００３５】
発光素子２１３は、送信制御ＩＣ２１４の制御下で、同期信号として出力される赤外線を眼鏡装置３００へ送信する。
【００３６】
本実施形態において、表示装置２００と眼鏡装置３００との間の同期制御は、赤外線を用いた同期信号により達成される。代替的に、有線信号、無線信号や超音波信号といった他の種類の伝達手段が、表示装置と眼鏡装置との間の同期制御を達成させてもよい。
【００３７】
眼鏡装置３００は、上述の光学シャッタ部３１０及び受光素子３１３に加えて、ＣＰＵ３１５、メモリ３１６及びクロック３１７を備える。
【００３８】
ＣＰＵ３１５は、例えば、メモリ３１６に記録されたプログラムや表示装置２００からの同期信号に従って、眼鏡装置３００の動作全体を制御する。ＣＰＵ３１５は、受光素子３１３が受信した同期信号を解析し、解析結果に基づき、光学シャッタ部３１０を制御する。本実施形態において、ＣＰＵ３１５は、解析部及び制御部として例示される。
【００３９】
メモリ３１６は、ＣＰＵ３１５が実行するプログラムのデータを記録する。また、メモリ３１６は、ＣＰＵ３１５によるプログラム実行時の一時的なデータを保持する領域としても用いられる。
【００４０】
クロック３１７は、眼鏡装置３００の様々な要素へ、クロック信号を供給する。クロック信号は、眼鏡装置３００の様々な要素の動作の基準として用いられる。クロック信号は、必要に応じて、分周又は逓倍されてもよい。
【００４１】
受光素子３１３は、表示装置２００の発光素子２１３が送信した同期信号を受信する受信部として例示される。本実施形態において、受光素子３１３は、赤外線信号を受信する。代替的に、表示装置が無線信号を同期信号として送信するならば、受信部は、受光素子３１３の代わりに、アンテナやチューナといった無線信号を受信するために必要な要素を備える。表示装置と眼鏡装置との間の同期制御を達成するための同期信号の種類に応じて、適切な受信素子が受信部として用いられるならば、本実施形態に関連して説明される表示装置２００と眼鏡装置３００との間の同期制御と同様の制御が達成される。
【００４２】
光学シャッタ部３１０は、眼鏡装置３００を装着した視聴者の左眼前に配設される左シャッタ３１１及び右眼前に配設される右シャッタ３１２を備える。左シャッタ３１１及び右シャッタ３１２が開閉し、左眼及び右眼へ入射する光がそれぞれ調整（調光）される。光学シャッタ部３１０は、ＣＰＵ３１５の制御下で、左眼及び右眼への入射光の調整を適切に行い、所望の光学的効果を、眼鏡装置３００を装着した視聴者に与える。
【００４３】
図２に示される映像システム１００のハードウェア構成は、一例にすぎない。例えば、復号ＩＣ２１１や映像信号処理ＩＣ２１２といった様々なＩＣに代えて、これらＩＣの機能を有する一体型のＩＣが用いられてもよい。ＣＰＵ２１５が実行するプログラムの処理は、ＰＬＤ（Programmable Logic Device）やＤＳＰ（Digital  Signal  Processor）といった素子によってなされてもよい。また、図２に関連して説明された様々な制御は、ハードウェアではなく、例えば、ＣＰＵ上で実行されるソフトウェア（プログラム）によって達成されてもよい。
【００４４】
本実施形態において、表示装置２００は、発光素子２１３を備える。代替的に、送信制御ＩＣ及び発光素子は、映像を表示する要素と別体に形成された制御装置に組み込まれてもよい。制御装置は、映像を表示する表示装置から入力された情報に基づいて、同期信号を生成し、眼鏡装置に出力してもよい。
【００４５】
図３は、表示装置２００の機能構成を概略的に示すブロック図である。図１乃至図３を用いて、表示装置２００が説明される。
【００４６】
表示装置２００は、復号部２３１、Ｌ／Ｒ信号分離部２３２、立体信号処理部２３５、表示部２３０、第１生成部２３６、送信制御部２３４及び送信部２３３を備える。
【００４７】
符号化された映像信号は、復号部２３１に入力される。復号部２３１は、入力された映像信号を復号する。復号部２３１は、図２に関連して説明されたハードウェア構成において、復号ＩＣ２１１に相当する。
【００４８】
Ｌ／Ｒ信号分離部２３２は、復号部２３１が復号した映像信号から左眼用の映像信号及び右眼用の映像信号を生成又は分離する。
【００４９】
立体信号処理部２３５は、例えば、表示部２３０の特性に応じて、Ｌ／Ｒ信号分離部２３２が分離した左眼用の映像信号及び右眼用の映像信号を調整する。立体信号処理部２３５は、例えば、表示部２３０の表示面の大きさに応じて、Ｌフレーム画像とＲフレーム画像との間の視差量を調整してもよい。
【００５０】
第１生成部２３６は、Ｌ／Ｒ信号分離部２３２が生成した左眼用の映像（Ｌフレーム画像）及び右眼用の映像（Ｒフレーム画像）に同期したコマンド信号を含む同期信号を生成する。第１生成部２３６は、表示部２３０の特性に応じて、同期信号の種類や生成タイミングを調整してもよい。本実施形態において、第１生成部２３６は、生成部として例示される。第１生成部２３６によって生成される同期信号は、後述される。
【００５１】
Ｌ／Ｒ信号分離部２３２、立体信号処理部２３５及び第１生成部２３６は、図２に関連して説明されたハードウェア構成において、映像信号処理ＩＣ２１２に相当する。
【００５２】
表示部２３０は、立体信号処理部２３５が処理した映像信号を映像として表示する。表示部２３０は、図２に関連して説明されたハードウェア構成において、ディスプレイパネル２１０に相当する。
【００５３】
送信制御部２３４は、送信部２３３が送信する同期信号のデータ量を調整する。必要に応じて、送信制御部２３４は、同期信号の送信間隔を制御し、送信部２３３に間欠式の同期信号の送信を実行させてもよい。送信制御部２３４は、図２に関連して説明されたハードウェア構成において、送信制御ＩＣ２１４に相当する。
【００５４】
送信部２３３は、第１生成部２３６が生成した同期信号を、送信制御部２３４の制御下で、眼鏡装置３００に送信する。送信部２３３は、図２に関連して説明されたハードウェア構成において、発光素子２１３に相当する。
【００５５】
図４は、眼鏡装置３００の機能構成を概略的に示すブロック図である。図１乃至図４を用いて、眼鏡装置３００が説明される。
【００５６】
眼鏡装置３００は、上述の光学シャッタ部３１０に加えて、受信部３３３、信号検出部３３４、解析部３３５、記憶部３３６、第２生成部３３７及びシャッタ制御部３３８を備える。
【００５７】
受信部３３３は、表示装置２００が赤外線を用いて送信した同期信号を受信する。受信部３３３は、受光した赤外線に応じて、電気信号を生成する。生成された電気信号は、信号検出部３３４（後述される）に出力される。図２のハードウェア構成に関連して説明された如く、本実施形態において、赤外線信号が同期信号として用いられる。代替的に、赤外線信号以外の信号が同期信号として用いられてもよい。例えば、無線信号の通信が表示装置と眼鏡装置との間でなされてもよい。
【００５８】
上述の如く、受信部３３３は、赤外線信号（同期信号）を受信し、赤外線信号に基づき、電気信号（同期信号）を生成する。信号検出部３３４は、受信部３３３から出力された電気信号から同期信号を検出する。信号検出部３３４は、例えば、特定の信号波形を有する電気信号を同期信号として検出する。
【００５９】
解析部３３５は、信号検出部３３４が検出した同期信号に基づき、光学シャッタ部３１０を動作させるための時間間隔といった同期情報を解析する。解析部３３５は、同期情報の解析を通じて、例えば、左シャッタ３１１及び右シャッタ３１２の開閉タイミングに関する情報を取得することができる。
【００６０】
信号検出部３３４及び解析部３３５は、図２に関連して説明されたハードウェア構成において、ＣＰＵ３１５が実行するプログラムの一部に相当する。
【００６１】
記憶部３３６は、解析部３３５が同期信号に基づいて解析した光学シャッタ部３１０の動作に関する制御情報を記録・保持する。記憶部３３６は、図２に関連して説明されたハードウェア構成において、メモリ３１６に相当する。図２に関連して説明されたハードウェア構成において、ＣＰＵ３１５は、光学シャッタ部３１０の動作に関する制御情報をメモリ３１６に記録する。
【００６２】
第２生成部３３７は、記憶部３３６に記録された同期情報に基づいて、光学シャッタ部３１０の動作を制御するための内部信号を生成する。代替的に、第２生成部３３７は、解析部３３５が解析した同期情報（例えば、光学シャッタ部３１０を動作させるための時間間隔）に基づいて、光学シャッタ部３１０の動作を制御するための内部信号を生成する。第２生成部３３７は、図２に関連して説明されたハードウェア構成において、ＣＰＵ３１５及びクロック３１７に相当する。
【００６３】
シャッタ制御部３３８は、第２生成部３３７が生成した内部信号（即ち、解析部３３５が解析した同期情報）に基づいて、左シャッタ３１１及び右シャッタ３１２の動作を制御する。シャッタ制御部３３８は、左シャッタ３１１及び右シャッタ３１２の開閉タイミングを調整し、上述の補助動作を光学シャッタ部３１０に実行させる。シャッタ制御部３３８は、図２に関連して説明されたハードウェア構成において、ＣＰＵ３１５が実行する光学シャッタ部３１０に対する制御用プログラムに相当する。或いは、シャッタ制御部３３８は、光学シャッタ部３１０を駆動するための駆動回路（図示せず）に相当する。本実施形態において、シャッタ制御部３３８は、制御部として例示される。
【００６４】
光学シャッタ部３１０は、眼鏡装置３００を装着した視聴者の左眼前に配設される左シャッタ３１１と右眼前に配設される右シャッタ３１２とを備える。本実施形態において、光学シャッタ部３１０は、光学フィルタ部として例示される。光学フィルタ部として、他の光学素子が用いられてもよい。例えば、透過光量を調整可能に形成された光学素子や透過光の偏光を調整する光学素子が光学フィルタ部に好適に用いられる。光学フィルタ部に用いられる光学素子は、例えば、液晶素子を備えてもよい。液晶素子は、透過光量を調整するために制御される。
【００６５】
本実施形態において、表示装置２００の表示部２３０は、Ｌフレーム画像とＲフレーム画像とを交互に切り替えて表示する。したがって、左シャッタ３１１及び右シャッタ３１２は、交互に透過光量を増減させる。光学フィルタ部は、上述のシャッタ動作に代えて、左眼へ向かう光及び右眼へ向かう光の偏光方向を変えてもよい。表示装置が表示する映像の切り替えに同期して透過光を調整可能な光学素子が光学フィルタ部として好適に用いられる。
【００６６】
本実施形態の原理は、図３及び図４に示された機能構成に基づき説明されるが、本実施形態の原理は、図３及び図４の機能構成に限定されるものではない。本実施形態において、送信部２３３及び表示部２３０は、１つの表示装置２００内に組み込まれている。代替的に、眼鏡装置３００を制御するための同期信号を送信する制御装置が、映像を表示する表示要素を備える表示装置とは別体に形成されてもよい。
【００６７】
図２乃至図４に関連して説明されたハードウェア構成と機能構成との間の対応は、本実施形態の原理を明瞭にするための一例にすぎない。したがって、本実施形態の原理は、図２乃至図４に関連して説明されたハードウェア構成と機能構成との間の対応関係に限定されるものではない。したがって、制御装置、表示装置、眼鏡装置及び映像システムは、他のハードウェア構成及び他の機能構成を有してもよい。
【００６８】
＜表示装置と眼鏡装置との間の同期制御に対するノイズの影響＞
図５は、表示装置と眼鏡装置との間で正常な同期制御がなされているときのタイミングチャートである。図６は、表示装置と眼鏡装置との間の同期制御がノイズに影響されたときのタイミングチャートである。図５及び図６を用いて、表示装置と眼鏡装置との間の同期制御に対するノイズの影響が説明される。
【００６９】
図５のセクション（Ａ）は、表示装置の表示部が表示する映像の切替を概略的に示す。表示部は、Ｌフレーム画像及びＲフレーム画像を交互に表示する。図５及び図６に関連する説明において、表示部が表示する映像のフレームレートは、Ｌフレーム画像及びＲフレーム画像を合わせて、１２０Ｈｚ（Ｌフレーム画像：６０Ｈｚ  Ｒフレーム画像：６０Ｈｚ）である。
【００７０】
図５のセクション（Ｂ）は、眼鏡装置へ送信される同期信号が含むコマンド信号の送信タイミングを概略的に示す。表示装置の第１生成部は、同期信号を生成する。表示装置の送信部は、第１生成部によって生成された同期信号を眼鏡装置へ送信する。
【００７１】
表示装置の送信部は、Ｌフレーム画像の表示の開始に対応して、眼鏡装置が備える光学シャッタ部の左シャッタを開くための第１コマンド信号ＣＳ１を送信する。第１コマンド信号ＣＳ１を受信した眼鏡装置の左シャッタが開き、視聴者の左眼への透過光量が増大する。
【００７２】
表示装置の送信部は、その後、Ｌフレーム画像の表示の終了に対応して、眼鏡装置が備える光学シャッタ部の左シャッタを閉じるための第２コマンド信号ＣＳ２を送信する。第２コマンド信号ＣＳ２を受信した眼鏡装置の左シャッタが閉じ、視聴者の左眼への透過光量が減少する。
【００７３】
上述の如く、Ｌフレーム画像の表示の後、Ｒフレーム画像が表示される。表示装置の送信部は、Ｒフレーム画像の表示の開始に対応して、眼鏡装置が備える光学シャッタ部の右シャッタを開くための第３コマンド信号ＣＳ３を送信する。第３コマンド信号ＣＳ３を受信した眼鏡装置の右シャッタが開き、視聴者の右眼への透過光量が増大する。
【００７４】
表示装置の送信部は、その後、Ｒフレーム画像の表示の終了に対応して、眼鏡装置が備える光学シャッタ部の右シャッタを閉じるための第４コマンド信号ＣＳ４を送信する。第４コマンド信号ＣＳ４を受信した眼鏡装置の右シャッタが閉じ、視聴者の右眼への透過光量が減少する。
【００７５】
図５及び図６に関連して説明される表示装置と眼鏡装置との間の同期制御において、コマンド信号（第１コマンド信号ＣＳ１乃至第４コマンド信号ＣＳ４）が含むパルス信号の数に応じて、眼鏡装置の光学シャッタ部の動作が決定される。
【００７６】
第１コマンド信号ＣＳ１は、１つのパルス信号を含む。図５及び図６に関連して説明される表示装置と眼鏡装置との間の同期制御のプロトコルでは、１つのパルス信号を含む信号は、左シャッタを開くことを意味する制御内容を含むコマンド信号として解釈される。
【００７７】
第２コマンド信号ＣＳ２は、２つのパルス信号を含む。図５及び図６に関連して説明される表示装置と眼鏡装置との間の同期制御のプロトコルでは、２つのパルス信号を含む信号は、左シャッタを閉じることを意味する制御内容を含むコマンド信号として解釈される。
【００７８】
第３コマンド信号ＣＳ３は、３つのパルス信号を含む。図５及び図６に関連して説明される表示装置と眼鏡装置との間の同期制御のプロトコルでは、３つのパルス信号を含む信号は、右シャッタを開くことを意味する制御内容を含むコマンド信号として解釈される。
【００７９】
第４コマンド信号ＣＳ４は、４つのパルス信号を含む。図５及び図６に関連して説明される表示装置と眼鏡装置との間の同期制御のプロトコルでは、４つのパルス信号を含む信号は、右シャッタを閉じることを意味する制御内容を含むコマンド信号として解釈される。
【００８０】
図５のセクション（Ｃ）は、表示装置からの同期信号に基づいて、眼鏡装置の第２生成部が生成した内部信号を示す概略的なタイミングチャートである。
【００８１】
眼鏡装置の解析部は、コマンド信号（第１コマンド信号ＣＳ１乃至第４コマンド信号ＣＳ４）が含むパルス信号の数を測定する。コマンド信号が含むパルス信号の数が１つであるならば（即ち、眼鏡装置の受信部が、第１コマンド信号ＣＳ１を受信したならば）、眼鏡装置の第２生成部は、第１コマンド信号ＣＳ１に対応して、左シャッタを開くための内部信号ＩＳ１を生成する。コマンド信号が含むパルス信号の数が２つであるならば（即ち、眼鏡装置の受信部が、第２コマンド信号ＣＳ２を受信したならば）、眼鏡装置の第２生成部は、第２コマンド信号ＣＳ２に対応して、左シャッタを閉じるための内部信号ＩＳ２を生成する。コマンド信号が含むパルス信号の数が３つであるならば（即ち、眼鏡装置の受信部が、第３コマンド信号ＣＳ３を受信したならば）、眼鏡装置の第２生成部は、第３コマンド信号ＣＳ３に対応して、右シャッタを開くための内部信号ＩＳ３を生成する。コマンド信号が含むパルス信号の数が４つであるならば（即ち、眼鏡装置の受信部が、第４コマンド信号ＣＳ４を受信したならば）、眼鏡装置の第２生成部は、第４コマンド信号ＣＳ４に対応して、右シャッタを閉じるための内部信号ＩＳ４を生成する。
【００８２】
眼鏡装置のシャッタ制御部は、上述の如く生成された内部信号ＩＳ１，ＩＳ２，ＩＳ３，ＩＳ４に基づき、光学シャッタ部の左シャッタ及び右シャッタを制御する。
【００８３】
図５のセクション（Ｄ）は、シャッタ制御部による左シャッタの開閉制御に伴う左眼への透過光量の変動を示す。図５のセクション（Ｅ）は、シャッタ制御部による右シャッタの開閉制御に伴う右眼への透過光量の変動を示す。
【００８４】
左シャッタは、内部信号ＩＳ１に対応して開く。この結果、Ｌフレーム画像の表示の開始に同期して、視聴者への左眼への透過光量が増加し始める。この結果、視聴者は、左眼で、Ｌフレーム画像を視聴することができる。
【００８５】
左シャッタは、内部信号ＩＳ２に対応して閉じる。この結果、Ｌフレーム画像の表示の終了に同期して、視聴者への左眼への透過光量が減少し始める。この結果、Ｒフレーム画像が表示される前に、視聴者の左眼での視聴が終了される。
【００８６】
右シャッタは、内部信号ＩＳ３に対応して開く。この結果、Ｒフレーム画像の表示の開始に同期して、視聴者への右眼への透過光量が増加し始める。この結果、視聴者は、右眼で、Ｒフレーム画像を視聴することができる。
【００８７】
右シャッタは、内部信号ＩＳ４に対応して閉じる。この結果、Ｒフレーム画像の表示の終了に同期して、視聴者への右眼への透過光量が減少し始める。この結果、新たなＬフレーム画像が表示される前に、視聴者の右眼での視聴が終了される。
【００８８】
かくして、表示装置の第１生成部が生成した同期信号に基づき、眼鏡装置は、表示装置の制御下で、光学シャッタ部を開閉させることができる。
【００８９】
図６は、図５に関連して説明された同期信号がノイズ信号を含んだときの概略的なタイミングチャートである。
【００９０】
図６のセクション（Ａ）は、図５のセクション（Ａ）と同様に、表示装置の表示部が表示する映像の切替を概略的に示す。表示部は、Ｌフレーム画像及びＲフレーム画像を交互に表示する。
【００９１】
図６のセクション（Ｂ）は、図５のセクション（Ｂ）と同様に、眼鏡装置へ送信される同期信号が含むコマンド信号の送信タイミングを概略的に示す。表示装置の第１生成部は、同期信号を生成する。表示装置の送信部は、第１生成部によって生成された同期信号を眼鏡装置へ送信する。
【００９２】
図５のセクション（Ｂ）と同様に、表示装置の送信部は、Ｌフレーム画像の表示の開始に対応して、第１コマンド信号ＣＳ１を送信し、Ｌフレーム画像の表示の終了に対応して、第２コマンド信号ＣＳ２を送信する。また、表示装置の送信部は、Ｒフレーム画像の表示の開始に対応して、第３コマンド信号ＣＳ３を送信し、Ｒフレーム画像の表示の終了に対応して、第４コマンド信号ＣＳ４を送信する。
【００９３】
図６のセクション（Ｂ）は、上述のコマンド信号（第１コマンド信号ＣＳ１乃至第４コマンド信号ＣＳ４）に加えて、最初の第２コマンド信号ＣＳ２の直前に現れたノイズパルスＮＰを示す。眼鏡装置の受信部は、コマンド信号（第１コマンド信号ＣＳ１乃至第４コマンド信号ＣＳ４）だけでなくノイズパルスＮＰを含む同期信号を受信する。
【００９４】
図６のセクション（Ｃ）は、ノイズパルスＮＰの影響下で生成された内部信号を概略的に示すタイミングチャートである。図６のセクション（Ｄ）は、ノイズパルスＮＰの影響下で生成された内部信号に基づいて制御された左シャッタの開閉動作に伴う左眼への透過光量の変動を概略的に示す。図６のセクション（Ｅ）は、ノイズパルスＮＰの影響下で生成された内部信号に基づいて制御された右シャッタの開閉動作に伴う右眼への透過光量の変動を概略的に示す。
【００９５】
図５に関連して説明された正常な同期制御と異なり、眼鏡装置の受信部が受信する同期信号は、ノイズパルスＮＰを含む。図６のセクション（Ｂ）に示される如く、表示装置の送信部は、図５のセクション（Ｂ）に関連して説明された同期信号の送信と同様に、第１コマンド信号ＣＳ１乃至第４コマンド信号ＣＳ４を順次送信している。しかしながら、最初の第２コマンド信号ＣＳ２の直前に現れたノイズパルスＮＰに起因して、眼鏡装置の解析部は、受信部が受信した信号が３つのパルス信号を有すると判定する。この結果、表示装置の送信部が最初に送信した第２コマンド信号ＣＳ２は、第３コマンド信号ＣＳ３として取り扱われる（即ち、眼鏡装置の解析部は、第２コマンド信号ＣＳ２を第３コマンド信号ＣＳ３として識別する）。
【００９６】
眼鏡装置の解析部が、左シャッタを閉じるための第２コマンド信号ＣＳ２を第３コマンド信号として識別する結果、第２生成部は、第２コマンド信号ＣＳ２の受信に対応して、右シャッタを開くための内部信号ＩＳ３を生成する。かくして、Ｌフレーム画像の表示の終了に対応して、右シャッタが開き、視聴者の右眼への透過光量が増大し始める。したがって、視聴者は、右眼でＬフレーム画像を視聴する。
【００９７】
第２コマンド信号ＣＳ２は、左シャッタを閉じることを表す制御内容を含む。したがって、図５に関連して説明された同期制御では、第２コマンド信号ＣＳの受信に対応して、左シャッタが閉じられる。しかしながら、図６に示される同期制御では、第２コマンド信号ＣＳ２は、第３コマンド信号ＣＳ３として識別されているため、左シャッタは、Ｌフレーム画像の表示の終了後も開き続ける。Ｌフレーム画像に後続するＲフレーム画像の表示の間も左シャッタは開いているので、視聴者は左眼でＲフレーム画像を視聴することとなる。
【００９８】
上述のノイズパルスＮＰに起因する光学シャッタ部の誤動作の結果、図６のセクション（Ｄ）に示される如く、視聴者の左眼への透過光量はＲフレーム画像の表示の間も高い値を保っている（即ち、左シャッタが開状態を保ち続ける）。また、図６のセクション（Ｅ）に示される如く、視聴者の右眼への透過光量は、Ｒフレーム画像の表示の前に増大し始める（即ち、右シャッタは、Ｒフレーム画像の表示前に開き始める）。このような眼鏡装置の動作は、表示装置と眼鏡装置との間の正常な同期制御が意図するものから逸脱している。この結果、視聴者は、表示装置が表示する映像を立体的に知覚しにくくなる。
【００９９】
＜表示装置と眼鏡装置との間で通信される同期信号の構成＞
本実施形態の原理は、図５及び図６に関連して説明されたようなノイズの影響を受けにくい同期信号を提供する。図５及び図６に関連して説明された表示装置と眼鏡装置との間の同期制御の原理は、同期信号の構成を除き、本実施形態の原理に適用される。
【０１００】
図５及び図６に関連して説明された如く、左シャッタを開くための第１コマンド信号ＣＳ１を１つのパルス信号を有する信号、左シャッタを閉じるための第２コマンド信号ＣＳ２を２つのパルス信号を有する信号、右シャッタを開くための第３コマンド信号ＣＳ３を３つのパルス信号を有する信号及び右シャッタを閉じるための第４コマンド信号ＣＳ４を４つのパルス信号を有する信号として識別する通信プロトコルの下では、同期信号にノイズが重畳されると、受信された信号が、本来のコマンド信号とは異なるコマンド信号として、潜在的に識別される。
【０１０１】
図７は、図５及び図６に関連して説明されたノイズの影響を受けにくいコマンド信号の構成を概略的に示す。図３乃至図７を用いて、同期信号の構成が説明される。
【０１０２】
コマンド信号ＣＳは、コマンド信号ＣＳの開始を通知する先頭パルス信号ＬＰと、コマンド信号ＣＳの終了を通知する終端パルス信号ＴＰとを含む。先頭パルス信号ＬＰ及び終端パルス信号ＴＰは、常に、「ＯＮ」の状態に設定される。また、先頭パルス信号ＬＰと終端パルス信号ＴＰとの間の時間間隔は、一定に設定される。図７中、先頭パルス信号ＬＰと終端パルス信号ＴＰとの間の時間間隔は、「ｔ１」で示されている。したがって、コマンド信号ＣＳは、固定長の信号として規定される。
【０１０３】
コマンド信号ＣＳは、先頭パルス信号ＬＰと終端パルス信号ＴＰとの間に現れる制御パルス信号ＣＰを更に含む。制御パルス信号ＣＰは、表示部２３０によるフレーム画像の表示に同期した同期制御の内容（例えば、左シャッタ３１１を開く動作、左シャッタ３１１を閉じる動作、右シャッタ３１２を開く動作や右シャッタ３１２を閉じる動作）を通知する信号である。本実施形態において、左シャッタ３１１を開く動作を光学シャッタ部３１０にさせる制御、左シャッタ３１１を閉じる動作を光学シャッタ部３１０にさせる制御、右シャッタ３１２を開く動作を光学シャッタ部３１０にさせる制御及び右シャッタ３１２を閉じる動作を光学シャッタ部３１０にさせる制御のうち１つは、フレーム画像の表示に同期した第１同期制御として例示される。また、左シャッタ３１１を開く動作を光学シャッタ部３１０にさせる制御、左シャッタ３１１を閉じる動作を光学シャッタ部３１０にさせる制御、右シャッタ３１２を開く動作を光学シャッタ部３１０にさせる制御及び右シャッタ３１２を閉じる動作を光学シャッタ部３１０にさせる制御のうち第１同期制御として例示された制御以外の制御は、第１同期制御とは異なる第２同期制御として例示される。
【０１０４】
眼鏡装置３００の解析部３３５は、先頭パルス信号ＬＰと終端パルス信号ＴＰとの間の制御パルス信号ＣＰの時間位置（タイミング）に基づいて、光学シャッタ部３１０にさせる制御内容を解析する。図７に示されるコマンド信号ＣＳは、先頭パルス信号ＬＰと終端パルス信号ＴＰとの間の制御パルス信号ＣＰに対して、一定の時間間隔で配列された５つの時間位置を用意している。図７において、５つの制御パルス信号ＣＰは、「ＯＦＦ」の状態で示されているが、表示装置２００の第１生成部２３６は、５つの時間位置のうち所定数の時間位置において、制御パルス信号ＣＰを、「ＯＮ」の状態に設定する。したがって、コマンド信号ＣＳは、一定数のパルス信号を含む。かくして、図７に示されるコマンド信号ＣＳは、７つのパルス信号の「ＯＮ」、「ＯＦＦ」で表現される。
【０１０５】
表示装置２００の第１生成部２３６は、制御パルス信号ＣＰの時間位置を変更し、異なる制御内容を眼鏡装置３００に伝達するためのコマンド信号ＣＳを生成することができる。図７において、先頭パルス信号ＬＰの直後に設定された第１時間位置ＰＯＳ１、第１時間位置ＰＯＳ１の直後に設定された第２時間位置ＰＯＳ２、先頭パルス信号ＬＰと終端パルス信号ＴＰの中間に設定された第３時間位置ＰＯＳ３、第３時間位置ＰＯＳ３の直後に設定された第４時間位置ＰＯＳ４及び終端パルス信号ＴＰの直前に設定された第５時間位置ＰＯＳ５が示されている。
【０１０６】
第１生成部２３６は、例えば、第１時間位置ＰＯＳ１及び第２時間位置ＰＯＳ２において、制御パルス信号ＣＰを「ＯＮ」に設定し、左シャッタ３１１を開くためのコマンド信号ＣＳを生成することができる。第１生成部２３６は、例えば、第１時間位置ＰＯＳ１及び第３時間位置ＰＯＳ３において、制御パルス信号ＣＰを「ＯＮ」に設定し、左シャッタ３１１を閉じるためのコマンド信号ＣＳを生成することができる。第１生成部２３６は、例えば、第４時間位置ＰＯＳ４及び第５時間位置ＰＯＳ５において、制御パルス信号ＣＰを「ＯＮ」に設定し、右シャッタ３１２を開くためのコマンド信号ＣＳを生成することができる。第１生成部２３６は、例えば、第３時間位置ＰＯＳ３及び第５時間位置ＰＯＳ５において、制御パルス信号ＣＰを「ＯＮ」に設定し、右シャッタ３１２を閉じるためのコマンド信号ＣＳを生成することができる。本実施形態において、左シャッタ３１１を開くためのコマンド信号ＣＳ、左シャッタ３１１を閉じるためのコマンド信号ＣＳ、右シャッタ３１２を開くためのコマンド信号ＣＳ及び右シャッタ３１２を閉じるためのコマンド信号ＣＳのうち１つは、第１コマンド信号として例示される。また、左シャッタ３１１を開くためのコマンド信号ＣＳ、左シャッタ３１１を閉じるためのコマンド信号ＣＳ、右シャッタ３１２を開くためのコマンド信号ＣＳ及び右シャッタ３１２を閉じるためのコマンド信号ＣＳのうち他の信号は、第２コマンド信号として例示される。
【０１０７】
第１時間位置ＰＯＳ１及び第２時間位置ＰＯＳ２において、制御パルス信号ＣＰが「ＯＮ」であるならば、眼鏡装置３００の解析部３３５は、例えば、左シャッタ３１１を開くための制御が実行されるタイミングを決定する。第１時間位置ＰＯＳ１及び第３時間位置ＰＯＳ３において、制御パルス信号ＣＰが「ＯＮ」であるならば、眼鏡装置３００の解析部３３５は、例えば、左シャッタ３１１を閉じるための制御が実行されるタイミングを決定する。第４時間位置ＰＯＳ４及び第５時間位置ＰＯＳ５において、制御パルス信号ＣＰが「ＯＮ」であるならば、眼鏡装置３００の解析部３３５は、例えば、右シャッタ３１２を開くための制御が実行されるタイミングを決定する。第３時間位置ＰＯＳ３及び第５時間位置ＰＯＳ５において、制御パルス信号ＣＰが「ＯＮ」であるならば、眼鏡装置３００の解析部３３５は、例えば、右シャッタ３１２を閉じるための制御が実行されるタイミングを決定する。
【０１０８】
上述の如く、先頭パルス信号ＬＰと終端パルス信号ＴＰとの間の時間間隔「ｔ１」は一定であるので、眼鏡装置３００の解析部３３５は、比較的短い時間内に受信部３３３が受信したパルス信号の群のうち最初に受信したパルス信号と最後に受信したパルス信号との間の時間間隔を測定し、測定された時間間隔が先頭パルス信号ＬＰと終端パルス信号ＴＰとの間の時間間隔「ｔ１」に等しい或いは近似しているならば、受信部３３３が受信したパルス信号の群がコマンド信号ＣＳであると判定することができる。比較的短い時間内に受信部３３３が受信したパルス信号の群のうち最初に受信したパルス信号と最後に受信したパルス信号との間の時間間隔が、先頭パルス信号ＬＰと終端パルス信号ＴＰとの間の時間間隔「ｔ１」よりも優位に長いとき或いは短いとき、解析部３３５は、受信部３３３が受信したパルス信号の群をノイズ信号或いはノイズに影響されたパルス信号として識別及び／又は処理する。
【０１０９】
上述の如く、先頭パルス信号ＬＰ及び終端パルス信号ＴＰは、常に、「ＯＮ」に設定される。したがって、眼鏡装置３００の受信部３３３が受信したパルス信号の群が正常なコマンド信号ＣＳであるならば、パルス信号の群のうち最初に受信したパルス信号と最後に受信したパルス信号との間の時間間隔は、先頭パルス信号ＬＰと終端パルス信号ＴＰとの間の時間間隔「ｔ１」に等しい或いは近似した値が測定される。かくして、解析部３３５は、受信部３３３が受信したパルス信号の群をノイズ信号であるか、正常なコマンド信号ＣＳであるかを正確に判定することができる。本実施形態において、解析部３３５は、パルス信号の立ち上がりエッジを基準に、パルス信号間の時間間隔を測定する。パルス信号の立ち上がりエッジを基準にパルス信号間の時間間隔を測定することで、表示装置２００の赤外線発光素子２１３と眼鏡装置３００との距離の変化や、赤外線発光素子２１３の発光する赤外線の強度によってパルス信号の幅が変化した場合でも、柔軟に対応することができるので、眼鏡装置３００内部の処理等を簡略化できる可能性がある。
【０１１０】
また、パルス信号の立ち上がりエッジを基準とする以外に、先行するパルス信号の立ち上がりエッジから後のパルス信号の立ち下がりエッジまでの時間間隔、やパルス信号の立ち上がりエッジと立ち下がりエッジ間の時間間隔、を基準に、受信部３３３が受信したパルス信号の群がコマンド信号ＣＳであるか否かを判定してもよい。これにより、時間間隔が所定の範囲に入っていないパルス信号を検出することが可能になり、ノイズの検出が容易になる。
【０１１１】
図７には、コマンド信号ＣＳとして、先行して送信される先行コマンド信号及び先行コマンド信号に後続する後続コマンド信号が示されている。表示装置２００の送信部２３３は、コマンド信号ＣＳを間欠式に送信する。したがって、先行コマンド信号と後続コマンド信号との間には、パルス信号が送信されない無送信期間「ｔ２」が設定される。
【０１１２】
本実施形態において、無送信期間「ｔ２」は、先頭パルス信号ＬＰと終端パルス信号ＴＰとの間の時間間隔「ｔ１」よりも長く設定される。受信部３３３がパルス信号を受信してから、先頭パルス信号ＬＰと終端パルス信号ＴＰとの間の時間間隔「ｔ１」よりも長い期間、パルス信号を受信しないならば、眼鏡装置３００の解析部３３５は、最新のパルス信号が先行コマンド信号の終端パルス信号ＴＰであることを識別することができる。また、受信部３３３がパルス信号を受信してから、先頭パルス信号ＬＰと終端パルス信号ＴＰとの間の時間間隔「ｔ１」よりも長い期間、パルス信号を受信しないならば、その後に受信されたパルス信号を後続パルス信号の先頭パルス信号ＬＰとして識別することができる。
【０１１３】
代替的に、表示装置の送信部は、コマンド信号ＣＳ内のパルス信号の時間間隔（例えば、先頭パルス信号ＬＰと制御パルス信号ＣＰとの時間間隔や制御パルス信号ＣＰと終端パルス信号ＴＰとの時間間隔）と、無送信期間「ｔ２」の長さとが異なるように、先行コマンド信号と後続コマンド信号とを間欠式に送信してもよい。
【０１１４】
表示装置２００の第１生成部２３６は、好ましくは、制御パルス信号ＣＰに対して割り当てられた時間位置ＰＯＳ１乃至ＰＯＳ５全てにおいて、制御パルス信号ＣＰを「ＯＮ」に設定せず、時間位置ＰＯＳ１乃至ＰＯＳ５の一部において制御パルス信号ＣＰを「ＯＮ」に設定する。
【０１１５】
表示装置２００の第１生成部２３６は、上述の如く、５つの時間位置ＰＯＳ１乃至ＰＯＳ５のうち２つの時間位置において、制御パルス信号ＣＰを「ＯＮ」に設定し、残りの３つの時間位置において、制御パルス信号ＣＰを「ＯＦＦ」に設定してもよい。上述の如く、コマンド信号ＣＳは、固定長に設定される。表示装置２００が眼鏡装置３００に伝達する制御内容に拘わらず、固定長のコマンド信号ＣＳは、一定数（例えば、４つ）のパルス信号を含む。
【０１１６】
コマンド信号ＣＳは、一定数のパルス信号を含む信号として規定されるので、眼鏡装置３００の解析部３３５は、コマンド信号ＣＳが含むパルス信号の数に基づいて、受信部３３３が受信したパルス信号の群が光学シャッタ部３１０の制御に用いられるコマンド信号ＣＳであるか否かを判定することができる。
【０１１７】
例えば、先頭パルス信号ＬＰとして識別されたパルス信号と終端パルス信号ＴＰとして識別されたパルス信号との間に、パルス信号が存在しないとき、或いは、先頭パルス信号ＬＰとして識別されたパルス信号と終端パルス信号ＴＰとして識別されたパルス信号との間に、５つのパルス信号が存在するとき、解析部３３５は、受信部３３３が受信したパルス信号の群をコマンド信号ＣＳとして識別しない。
【０１１８】
また、コマンド信号ＣＳ中に含まれるパルス信号が４つに規定されている場合、且つ、受信部３３３が受信したパルス信号の群が、３、５或いは６のパルス信号を含むならば、解析部３３５は、受信部３３３が受信したパルス信号の群をコマンド信号ＣＳとして識別しない。
【０１１９】
コマンド信号ＣＳ中に含まれるパルス信号の数に対する設定値と、受信部３３３が受信したパルス信号の群が含むパルス信号の数とが一致しないならば、解析部３３５は、受信部３３３が受信したパルス信号の群をコマンド信号ＣＳとして扱わないので、図５及び図６に関連して説明されたノイズの重畳に起因するコマンド信号の誤認識はほとんど生じない。本実施形態において、表示装置２００から眼鏡装置３００に送信されるコマンド信号ＣＳは、好ましくは、眼鏡装置３００に伝達される制御情報に拘わらず、一定数のパルス信号を含む。
【０１２０】
光学シャッタ部３１０の誤動作は、映像の視聴に直接的な影響を与えるので、眼鏡装置３００の左シャッタ３１１及び右シャッタ３１２を開閉させる制御に用いられるコマンド信号ＣＳが含むパルス信号の数が一定に設定されることが特に好ましい。
【０１２１】
上述の如く、制御パルス信号ＣＰに対して、一定の時間間隔で配列された５つの時間位置が設定される。したがって、眼鏡装置３００の解析部３３５は、設定された時間位置以外の位置に現れた信号（例えば、先頭パルス信号ＬＰと第１時間位置ＰＯＳ１との間に現れたパルス信号、第１時間位置ＰＯＳ１と第２時間位置ＰＯＳ２との間に現れたパルス信号、第２時間位置ＰＯＳ２と第３時間位置ＰＯＳ３との間に現れたパルス信号、第３時間位置ＰＯＳ３と第４時間位置ＰＯＳ４との間に現れたパルス信号、第４時間位置ＰＯＳ４と第５時間位置ＰＯＳ５との間に現れたパルス信号や第５時間位置ＰＯＳ５と終端パルス信号ＴＰとの間に現れたパルス信号）をノイズ信号として識別することができる。
【０１２２】
表示装置２００の表示部２３０が表示するＬフレーム画像及びＲフレーム画像の表示周期は、典型的には、一定である。したがって、送信部２３３が送信するコマンド信号ＣＳ（左シャッタ３１１を開くためのコマンド信号ＣＳ、左シャッタ３１１を閉じるためのコマンド信号ＣＳ、右シャッタ３１２を開くためのコマンド信号ＣＳ及び右シャッタ３１２を閉じるためのコマンド信号ＣＳ）の送信周期は、略一定である。
【０１２３】
眼鏡装置３００の解析部３３５は、コマンド信号ＣＳの受信周期に基づいて、受信部３３３が受信したパルス信号の群が、光学シャッタ部３１０の制御に用いられるコマンド信号ＣＳであるか否かを識別してもよい。受信部３３３が左シャッタ３１１を開く或いは閉じるためのコマンド信号ＣＳとして識別可能なパルス信号の群を、Ｌフレーム画像の表示周期の整数倍の値から逸脱したタイミングで受信するならば、解析部３３５は受信部３３３が受信したパルス信号の群をコマンド信号ＣＳとして扱わない。受信部３３３が右シャッタ３１２を開く或いは閉じるためのコマンド信号ＣＳとして識別可能なパルス信号の群を、Ｒフレーム画像の表示周期の整数倍の値から逸脱したタイミングで受信するならば、解析部３３５は受信部３３３が受信したパルス信号の群をコマンド信号ＣＳとして扱わない。これにより、眼鏡装置３００は、ノイズ等によりコマンド信号ＣＳに類似したパルス信号の群を受信したとしても、前後の同一コマンドとの受信間隔から、当該信号の群をノイズとして除去することが可能となる。
【０１２４】
本実施形態において、パルス信号は、矩形波形を有する。代替的に、他の形状のパルス信号が用いられてもよい。パルス信号の幅が短くなるにつれて、眼鏡装置３００の受信部３３３は、パルス信号を検出しにくくなるので（例えば、パルス信号がインパルス形状の波形であるとき）、パルス信号の幅は、好ましくは、受信部３３３がパルス信号を識別するのに十分な大きさの値に設定される。
【０１２５】
図８は、図７に関連して説明されたコマンド信号ＣＳ中におけるパルス信号の「ＯＮ」・「ＯＦＦ」の組み合わせを示す。図３、図４、図７及び図８を用いて、コマンド信号が説明される。
【０１２６】
図８に示される様々なパルス信号のパターンを備えるコマンド信号ＣＳは、表示装置２００と眼鏡装置３００との間の通信に好適に用いられる。図８に示されるコマンド信号ＣＳは、コマンド信号ＣＳの開始を表す先頭パルス信号ＬＰと、コマンド信号ＣＳの終了を表す終端パルス信号ＴＰと、先頭パルス信号ＬＰと終端パルス信号ＴＰとの間の制御パルス信号ＣＰと、を含む。先頭パルス信号ＬＰ及び終端パルス信号ＴＰは、全てのパターンのコマンド信号に亘って、「ＯＮ」状態に設定される。
【０１２７】
先頭パルス信号ＬＰと終端パルス信号ＴＰとの間には、制御パルス信号ＣＰに対して割り当てられた５つの時間位置が用意される。５つの時間位置は、先頭パルス信号ＬＰと終端パルス信号ＴＰとの間で時間的に等間隔に設定される。全てのパターンのコマンド信号ＣＳに亘って、５つの時間位置のうち２つの時間位置に対して、制御パルス信号ＣＰは、「ＯＮ」状態に設定され、他の時間位置に対して、制御パルス信号ＣＰは、「ＯＦＦ」状態に設定される。
【０１２８】
５つの時間位置のうち２つの時間位置において、制御パルス信号ＣＰが「ＯＮ」となる組み合わせは、１０通り存在する。したがって、図８に示されるコマンド信号ＣＳの構成に従うと、１０パターンのコマンド信号ＣＳが生成される。１０パターンのコマンド信号ＣＳは、図７に関連して説明されたコマンド信号ＣＳの生成条件に従うので、眼鏡装置３００の解析部３３５は、受信部３３３が適切に受信したコマンド信号ＣＳであるか否かを正確に判定することができる。かくして、図８に示されるコマンド信号ＣＳの通信下において、ノイズに起因する眼鏡装置３００の誤動作の可能性が低減される。
【０１２９】
図８に示される１０パターンのコマンド信号ＣＳは、合計で、４つのパルス信号（先頭パルス信号ＬＰ（１パルス信号）、制御パルス信号ＣＰ（２パルス信号）、終端パルス信号ＴＰ（１パルス信号））を含む。コマンド信号ＣＳに含まれるパルス信号の総数は、３であってもよく、或いは、４より大きい数であってもよい。
【０１３０】
図９は、図７に関連して説明されたコマンド信号ＣＳ中におけるパルス信号の「ＯＮ」・「ＯＦＦ」の他の組み合わせを示す。図３、図４、図７及び図９を用いて、コマンド信号が説明される。
【０１３１】
図９に示されるコマンド信号ＣＳは、コマンド信号ＣＳの開始を表す先頭パルス信号ＬＰと、コマンド信号ＣＳの終了を表す終端パルス信号ＴＰと、先頭パルス信号ＬＰと終端パルス信号ＴＰとの間の制御パルス信号ＣＰと、を含む。先頭パルス信号ＬＰ及び終端パルス信号ＴＰは、全てのパターンのコマンド信号に亘って、「ＯＮ」状態に設定される。
【０１３２】
先頭パルス信号ＬＰと終端パルス信号ＴＰとの間には、制御パルス信号ＣＰに対して割り当てられた５つの時間位置が用意される。５つの時間位置は、先頭パルス信号ＬＰと終端パルス信号ＴＰとの間で時間的に等間隔に設定される。全てのパターンのコマンド信号ＣＳに亘って、５つの時間位置のうち３つの時間位置に対して、制御パルス信号ＣＰは、「ＯＮ」状態に設定され、他の時間位置に対して、制御パルス信号ＣＰは、「ＯＦＦ」状態に設定される。
【０１３３】
５つの時間位置のうち３つの時間位置において、制御パルス信号ＣＰが「ＯＮ」となる組み合わせは、１０通り存在する。したがって、図９に示されるコマンド信号ＣＳの構成に従うと、１０パターンのコマンド信号ＣＳが生成される。１０パターンのコマンド信号ＣＳは、図７に関連して説明されたコマンド信号ＣＳの生成条件に従うので、眼鏡装置３００の解析部３３５は、受信部３３３が適切に受信したコマンド信号ＣＳであるか否かを正確に判定することができる。かくして、図９に示されるコマンド信号ＣＳの通信下において、ノイズに起因する眼鏡装置３００の誤動作の可能性が低減される。
【０１３４】
図９に示される１０パターンのコマンド信号ＣＳは、合計で、５つのパルス信号（先頭パルス信号ＬＰ（１パルス信号）、制御パルス信号ＣＰ（３パルス信号）、終端パルス信号ＴＰ（１パルス信号））を含む。
【０１３５】
図８及び図９にそれぞれ示された１０パターンのコマンド信号ＣＳのうち、例えば、４パターンのコマンド信号ＣＳは、光学シャッタ部３１０の開閉動作に対する制御情報を伝達するために用いられ、６パターンのコマンド信号ＣＳは、表示装置２００から眼鏡装置３００へ他の情報を伝達するために用いられてもよい。表示装置２００から眼鏡装置３００へ伝達すべき情報の種類が少ないならば、制御パルス信号ＣＰに対して割り当てられる時間位置の数は、５より小さく設定されてもよい。表示装置２００から眼鏡装置３００へ伝達すべき情報の種類が多いならば、制御パルス信号ＣＰに対して割り当てられる時間位置の数は、５より大きく設定されてもよい。
【０１３６】
図１０は、図７に関連して説明されたコマンド信号ＣＳ中におけるパルス信号の「ＯＮ」・「ＯＦＦ」の他の組み合わせを示す。図３、図４、図７及び図１０を用いて、コマンド信号が説明される。
【０１３７】
図１０に示されるコマンド信号ＣＳは、コマンド信号ＣＳの開始を表す先頭パルス信号ＬＰと、コマンド信号ＣＳの終了を表す終端パルス信号ＴＰと、先頭パルス信号ＬＰと終端パルス信号ＴＰとの間の制御パルス信号ＣＰと、を含む。先頭パルス信号ＬＰ及び終端パルス信号ＴＰは、全てのパターンのコマンド信号に亘って、「ＯＮ」状態に設定される。
【０１３８】
先頭パルス信号ＬＰと終端パルス信号ＴＰとの間には、制御パルス信号ＣＰに対して割り当てられた４つの時間位置が用意される。４つの時間位置は、先頭パルス信号ＬＰと終端パルス信号ＴＰとの間で時間的に等間隔に設定される。全てのパターンのコマンド信号ＣＳに亘って、４つの時間位置のうち２つの時間位置に対して、制御パルス信号ＣＰは、「ＯＮ」状態に設定され、他の時間位置に対して、制御パルス信号ＣＰは、「ＯＦＦ」状態に設定される。
【０１３９】
４つの時間位置のうち２つの時間位置において、制御パルス信号ＣＰが「ＯＮ」となる組み合わせは、６通り存在する。したがって、図１０に示されるコマンド信号ＣＳの構成に従うと、６パターンのコマンド信号ＣＳが生成される。６パターンのコマンド信号ＣＳは、図７に関連して説明されたコマンド信号ＣＳの生成条件に従うので、眼鏡装置３００の解析部３３５は、受信部３３３が適切に受信したコマンド信号ＣＳであるか否かを正確に判定することができる。かくして、図１０に示されるコマンド信号ＣＳの通信下において、ノイズに起因する眼鏡装置３００の誤動作の可能性が低減される。
【０１４０】
図１０に示される６パターンのコマンド信号ＣＳは、合計で、４つのパルス信号（先頭パルス信号ＬＰ（１パルス信号）、制御パルス信号ＣＰ（２パルス信号）、終端パルス信号ＴＰ（１パルス信号））を含む。
【０１４１】
図１１は、図７に関連して説明されたコマンド信号ＣＳ中におけるパルス信号の「ＯＮ」・「ＯＦＦ」の他の組み合わせを示す。図３、図４、図７及び図１１を用いて、コマンド信号が説明される。
【０１４２】
図１１に示されるコマンド信号ＣＳは、コマンド信号ＣＳの開始を表す先頭パルス信号ＬＰと、コマンド信号ＣＳの終了を表す終端パルス信号ＴＰと、先頭パルス信号ＬＰと終端パルス信号ＴＰとの間の制御パルス信号ＣＰと、を含む。先頭パルス信号ＬＰ及び終端パルス信号ＴＰは、全てのパターンのコマンド信号に亘って、「ＯＮ」状態に設定される。
【０１４３】
先頭パルス信号ＬＰと終端パルス信号ＴＰとの間には、制御パルス信号ＣＰに対して割り当てられた４つの時間位置が用意される。４つの時間位置は、先頭パルス信号ＬＰと終端パルス信号ＴＰとの間で時間的に等間隔に設定される。全てのパターンのコマンド信号ＣＳに亘って、４つの時間位置のうち３つの時間位置に対して、制御パルス信号ＣＰは、「ＯＮ」状態に設定され、他の時間位置に対して、制御パルス信号ＣＰは、「ＯＦＦ」状態に設定される。
【０１４４】
４つの時間位置のうち３つの時間位置において、制御パルス信号ＣＰが「ＯＮ」となる組み合わせは、４通り存在する。したがって、図１１に示されるコマンド信号ＣＳの構成に従うと、４パターンのコマンド信号ＣＳが生成される。４パターンのコマンド信号ＣＳは、図７に関連して説明されたコマンド信号ＣＳの生成条件に従うので、眼鏡装置３００の解析部３３５は、受信部３３３が適切に受信したコマンド信号ＣＳであるか否かを正確に判定することができる。かくして、図１１に示されるコマンド信号ＣＳの通信下において、ノイズに起因する眼鏡装置３００の誤動作の可能性が低減される。
【０１４５】
図１１に示される４パターンのコマンド信号ＣＳは、合計で、５つのパルス信号（先頭パルス信号ＬＰ（１パルス信号）、制御パルス信号ＣＰ（３パルス信号）、終端パルス信号ＴＰ（１パルス信号））を含む。
【０１４６】
図８乃至図１１に示される如く、コマンド信号ＣＳのパターン数は、制御パルス信号ＣＰに対して割り当てられる時間位置の数と、時間位置の数に対して「ＯＮ」状態に設定される制御パルス信号ＣＰの割合とに依存する。したがって、表示装置２００から眼鏡装置３００へ伝達される情報の種類の数に応じて、制御パルス信号ＣＰに対して割り当てられる時間位置の数及び制御パルス信号ＣＰの数は、適切に定められる。
【０１４７】
図８乃至図１１に関連して説明されたコマンド信号ＣＳは、以下の条件を満たす。
【０１４８】
（１）コマンド信号ＣＳが含むパルス信号の総数は一定である。
【０１４９】
（２）コマンド信号ＣＳの開始を表す先頭パルス信号ＬＰとコマンド信号ＣＳの終了を表す終端パルス信号ＴＰとの時間間隔は一定である。
【０１５０】
（３）先頭パルス信号ＬＰ及び終端パルス信号ＴＰは、常に、「ＯＮ」状態に設定される。
【０１５１】
（４）先頭パルス信号ＬＰと終端パルス信号ＴＰとの間で時間的に等間隔に設定された時間位置に対して、一定数の制御パルス信号ＣＰが「ＯＮ」状態に設定される。
【０１５２】
上述の条件を満たすコマンド信号ＣＳのみを用いて、表示装置２００と眼鏡装置３００との間の通信が行われるならば、ノイズの混入をより正確に検出することができるため、眼鏡装置３００の左シャッタ３１１及び右シャッタ３１２の開閉に対する制御は適切に行われる。
【０１５３】
＜受信されたパルス信号群に対する判定処理＞
図１２は、眼鏡装置３００の受信部３３３が受信したパルス信号群に対する判定処理を概略的に示すフローチャートである。図１３は、眼鏡装置３００の受信部３３３が受信したパルス信号群を概略的に示すタイミングチャートである。図３、図４、図７乃至図９、図１２及び図１３を用いて、パルス信号群に対する判定処理が説明される。
【０１５４】
図１２に示される判定処理は、眼鏡装置３００の解析部３３５によって、主に実行される。受信部３３３がパルス信号群を受信すると、解析部３３５は、信号検出部３３４を介して、パルス信号群に対応する電気信号を受ける。解析部３３５は、その後、受信部３３３が受信したパルス信号群が、正常なコマンド信号ＣＳであるか否かを判定する。
【０１５５】
（ステップＳ１１０）
解析部３３５は、受信部３３３が受信したパルス信号群のうち最初のパルス信号と最後のパルス信号とを検出する。図７に関連して説明された如く、表示装置２００と眼鏡装置３００との間の通信プロトコルにおいて、先頭パルス信号ＬＰと終端パルス信号ＴＰとの間の時間間隔として規定された「ｔ１」より長い無送信期間「ｔ２」が設定されているならば、解析部３３５は、「ｔ１」を超えるパルス信号の不受信期間の後に受信されたパルス信号をパルス信号群中の最初のパルス信号として判定することができる。また、パルス信号を受信してから、「ｔ１」を超える期間、パルス信号を受信しないならば、解析部３３５は、最新のパルス信号をパルス信号群の最後のパルス信号として判定することができる。パルス信号の受信の有無は、例えば、パルス信号の立ち上がりエッジの検出によって判定される。
【０１５６】
図１３に示される如く、受信部３３３が、「ｔ１」を超える不受信期間の後、パルス信号Ｐ１を受信するならば、解析部３３５は、パルス信号Ｐ１を最初のパルス信号として識別する。また、受信部３３３がパルス信号Ｐ４を受信した後、「ｔ１」を超える期間、パルス信号を受信しないならば、解析部３３５は、パルス信号Ｐ４を最後のパルス信号として識別する。このように、解析部３３５は、不受信期間を経過したことを検出することによって受信パルスの解析処理を行うことになる。その結果、毎パルス信号受信ごとに、解析処理を行う必要がなくなるため、マイコン処理時間を削減することができ、電池（図示せず）消費を抑制することが可能になる。また、本発明で開示しているパルス信号からなるコマンドは、図７に示すルールに従い、コマンドを構成するパルス信号群の長さがただ１つに決まっていることから、パルス信号列の切れ目を判定するｔ１も１種類を考慮すればよく、マイコンの処理を簡略化できるとともに、ノイズの混入によるコマンドの誤判断の可能性も減らすことができる。
【０１５７】
最初のパルス信号及び最後のパルス信号が検出されると、解析部３３５は、ステップＳ１２０を実行する。単数のパルス信号しか検出されないならば、解析部３３５は、エラー処理のためのステップＳ１６０を実行する。或いは、所定期間以上、パルス信号が受信されないとき及び／又は所定期間以上、パルス信号が受信され続けるときも、解析部３３５は、エラー処理のためのステップＳ１６０を実行してもよい。
【０１５８】
（ステップＳ１２０）
解析部３３５は、最初のパルス信号Ｐ１の受信時刻から最後のパルス信号Ｐ４までの受信時刻までの時間長さを測定する。パルス信号Ｐ１，Ｐ４の受信時刻は、例えば、パルス信号Ｐ１，Ｐ４の立ち上がりエッジを基準に定められてもよい。解析部３３５は、最初のパルス信号Ｐ１の立ち上がりエッジから最後のパルス信号Ｐ４の立ち上がりエッジまでの時間長さＭＴを測定する。その後、解析部３３５は、表示装置２００と眼鏡装置３００との通信プロトコルで定められた先頭パルス信号ＬＰと終端パルス信号ＴＰとの間の時間間隔と、測定された時間長さＭＴとを比較する。
【０１５９】
測定された時間長さＭＴが先頭パルス信号ＬＰと終端パルス信号ＴＰとの間の時間間隔に一致或いは近似しているならば、解析部３３５は、その後、ステップＳ１３０を実行する。測定された時間長さＭＴが先頭パルス信号ＬＰと終端パルス信号ＴＰとの間の時間間隔から逸脱しているならば、解析部３３５は、受信部３３３が受信したパルス信号が正常なコマンド信号ＣＳではないと判定する。解析部３３５は、その後、エラー処理のためのステップＳ１６０を実行する。
【０１６０】
（ステップＳ１３０）
解析部３３５は、最初のパルス信号Ｐ１と最後のパルス信号Ｐ４との間に存在するパルス信号の数を測定する。解析部３３５は、最初のパルス信号Ｐ１と最後のパルス信号Ｐ４との間のパルス信号を、立ち上がりエッジを基準に検出してもよい。
【０１６１】
表示装置２００と眼鏡装置３００との間の通信プロトコルにおいて、例えば、図８に関連して説明されたように２つの制御パルス信号ＣＰが「ＯＮ」状態に設定されているならば、解析部３３５が適切な時間位置において、パルス信号Ｐ２，Ｐ３を識別すると、解析部３３５は、受信部３３３が受信したパルス信号群が通信プロトコルに規定されたコマンド信号ＣＳであると判定する。表示装置２００と眼鏡装置３００との間の通信プロトコルにおいて、例えば、図９に関連して説明されたように３つの制御パルス信号ＣＰが「ＯＮ」状態に設定されているならば、解析部３３５が最初のパルス信号Ｐ１と最後のパルス信号Ｐ４との間においてパルス信号Ｐ２，Ｐ３のみを識別すると、受信部３３３が受信したパルス信号群が通信プロトコルに規定されたコマンド信号ＣＳではないと判定する。
【０１６２】
解析部３３５は、最初のパルス信号Ｐ１の立ち上がりエッジの時刻とパルス信号Ｐ２の立ち上がりエッジの時刻との間の時間間隔を測定し、パルス信号Ｐ２が、表示装置２００と眼鏡装置３００との間の通信プロトコルにおいて規定された制御パルス信号ＣＰの時間位置に対応しているか否かを判定してもよい。同様に、解析部３３５は、最初のパルス信号Ｐ１の立ち上がりエッジの時刻とパルス信号Ｐ３の立ち上がりエッジの時刻との間の時間間隔を測定し、パルス信号Ｐ３が、表示装置２００と眼鏡装置３００との間の通信プロトコルにおいて規定された制御パルス信号ＣＰの時間位置に対応しているか否かを判定してもよい。
【０１６３】
表示装置２００と眼鏡装置３００との間の通信プロトコルにおいて、例えば、図８に関連して説明されたように２つの制御パルス信号ＣＰが「ＯＮ」状態に設定され、且つ、パルス信号Ｐ２，Ｐ３が通信プロトコルに規定された制御パルス信号ＣＰの時間位置に対応しているならば、解析部３３５は、受信部３３３が受信したパルス信号群が通信プロトコルに規定されたコマンド信号ＣＳであると判定する。パルス信号Ｐ２，Ｐ３のうち少なくとも一方が、通信プロトコルに規定された制御パルス信号ＣＰの時間位置に対応していないならば、解析部３３５は、受信部３３３が受信したパルス信号群が通信プロトコルに規定されたコマンド信号ＣＳではないと判定する。また、上記のようにすることで、所定のタイミングとは異なるタイミングで受信したパルス信号を検出し、ノイズの混入したコマンドを検出・除外することができる。
【０１６４】
受信部３３３が受信したパルス信号群が通信プロトコルに規定されたコマンド信号ＣＳであると判定した解析部３３５は、その後、ステップＳ１４０を実行する。受信部３３３が受信したパルス信号群が通信プロトコルに規定されたコマンド信号ＣＳでないと判定した解析部３３５は、その後、エラー処理のためのステップＳ１６０を実行する。
【０１６５】
（ステップＳ１４０）
解析部３３５は、最初のパルス信号Ｐ１と最後のパルス信号Ｐ４との間に現れる中間パルス信号（パルス信号Ｐ２，Ｐ３）の時間位置を測定する。測定の結果、中間パルス信号が所定のタイミングで受信されていると判定した解析部３３５は、その後、ステップＳ１５０を実行する。中間パルス信号が所定のタイミングで受信されていないとき、解析部３３５は、その後、エラー処理のためのステップＳ１６０を実行する。ステップＳ１４０及びステップＳ１３０の処理は平行して行われてもよい。例えば、中間パルス信号の時間位置の測定と同時に、中間パルス信号の数を判定してもよい。例えば、解析部３３５が、最初のパルス信号Ｐ１と最後のパルス信号Ｐ４との間に現れるパルス信号の立ち上がりエッジの時刻を測定し、中間パルス信号のタイミングを判定するならば、解析部３３５は、最初のパルス信号Ｐ１と最後のパルス信号Ｐ４との間に現れるパルス信号の立ち上がりエッジの数を同時にカウントすることができる。
【０１６６】
（ステップＳ１５０）
解析部３３５は、コマンド信号ＣＳとして判定されたパルス信号群に基づき、同期情報（パルス信号群の受信時刻やパルス信号Ｐ２，Ｐ３に対応する制御パルス信号ＣＰによって規定される制御内容）を記憶部３３６に記録する。第２生成部３３７は、記憶部３３６に記録された同期情報に基づき、内部信号を生成する。シャッタ制御部３３８は、内部信号に基づき、光学シャッタ部３１０を制御する。
【０１６７】
（ステップＳ１６０）
受信部３３３が受信したパルス信号群がコマンド信号ＣＳではないと判定した解析部３３５は、エラー処理を実行する。例えば、解析部３３５は、受信部３３３が受信したパルス信号群を無視する処理を実行する。或いは、解析部３３５は、受信部３３３が受信したパルス信号群を更に解析し、パルス信号群に含まれるノイズパルス信号の識別及び除去処理を行ってもよい。
【０１６８】
図１２に示される判定処理を通じて、解析部３３５は、受信部３３３が受信したパルス信号群が通信プロトコルに規定されたコマンド信号ＣＳに対応するか否かを適切に判定することができる。シャッタ制御部３３８は、正常に受信されたコマンド信号ＣＳにのみ基づき、光学シャッタ部３１０を制御するので、光学シャッタ部３１０の誤動作は、従来技術と比較して、低減される。
【０１６９】
尚、図１２に示される判定処理以外の処理を通じて、解析部３３５は、受信部３３３が受信したパルス信号群がコマンド信号ＣＳであるか否かを判定してもよい。例えば、解析部３３５は、ステップＳ１１０において、パルス信号群の開始及び終了を判定した後、パルス信号群に含まれるパルス信号の数（「ＯＮ」状態のパルス信号の総数）に基づいて、受信部３３３が受信したパルス信号群がコマンド信号ＣＳに該当するか否かを判定してもよい。
【０１７０】
追加的に、解析部３３５は、ステップＳ１３０の後に、コマンド信号ＣＳであると判定された先行するパルス信号群の受信周期との比較を通じて、受信部３３３が受信したパルス信号群が過去の受信データと照らし合わせて適切な受信周期で受信されているか否かを判定してもよい。過去の受信データと照らし合わせて不適切なタイミングで受信部３３３がパルス信号群を受信しているならば、解析部３３５は、受信部３３３が受信したパルス信号にステップＳ１６０のエラー処理を施与してもよい。過去の受信データと照らし合わせて適切なタイミングで受信部３３３がパルス信号群を受信しているならば、解析部３３５は、ステップＳ１５０を実行してもよい。
【０１７１】
本実施形態の原理に従う表示装置２００、眼鏡装置３００及びこれらを備える映像システム１００は、ノイズに起因する誤動作が低減された映像の視聴環境をもたらすことができる。上述の本実施形態の原理は、図２乃至図４に関連して説明された構成に基づき説明されているが、本実施形態の原理に従う他の構成が表示装置、眼鏡装置及び映像システムに用いられてもよい。例えば、眼鏡装置に組み込まれたソフトウェアが、上述された様々な機能や処理を実行してもよい。或いは、上述の制御アルゴリズムが実装された集積回路が、表示装置２００、眼鏡装置３００及びこれらを備える映像システム１００に用いられてもよい。
【０１７２】
なお、上述の実施の形態の説明では、立体映像を視聴する場合に表示装置２００から眼鏡装置３００に送信される同期信号がノイズの影響を受ける場合を例に説明した。しかし、本実施の形態の説明はこれに限定するものではない。例えば、表示装置が立体映像装置の代わりに複数コンテンツの映像を時間的に交互に表示し、眼鏡装置が選択されたコンテンツの映像が表示されている場合に、両眼のシャッターを開状態とし、他の場合には閉状態とすることで、１つの映像システム１００において、同時に複数のコンテンツを視聴することが可能となる場合がある。このような場合においても、上述の実施の形態の説明と同様に、表示装置２００から眼鏡装置３００へ送信される同期信号を構成することで、ノイズ等の影響に比較的強い映像システムを構築することができる。
【０１７３】
上述された実施形態は、以下の構成を主に備える。
【０１７４】
上述の実施形態の表示装置は、映像を表示する表示部と、前記映像のフレーム画像の表示に同期したコマンド信号を含む同期信号を生成する生成部と、前記同期信号を送信する送信部と、を備え、前記コマンド信号は、一定数のパルス信号を含み、該コマンド信号は、前記コマンド信号の開始を通知する先頭パルス信号と、前記コマンド信号の終了を通知する終端パルス信号と、前記フレーム画像の表示に同期した同期制御の内容を通知する制御パルス信号と、を含むことを特徴とする。
【０１７５】
上記構成によれば、生成部は、表示部が表示する映像のフレーム画像の表示に同期した同期信号を生成する。送信部が送信する同期信号は、映像のフレーム画像の表示に同期したコマンド信号を含む。コマンド信号は、コマンド信号の開始を通知する先頭パルス信号と、コマンド信号の終了を通知する終端パルス信号と、フレーム画像の表示に同期した同期制御の内容を通知する制御パルス信号と、を含む。コマンド信号が含むパルス信号は、一定数であるので、同期信号に含まれたノイズ信号は容易に識別される。
【０１７６】
上記構成において、前記同期制御は、第１同期制御と、該第１同期制御とは異なる第２同期制御と、を含み、前記コマンド信号は、前記第１同期制御の内容を通知するための前記第１コマンド信号と、前記第２同期制御の内容を通知するための前記第２コマンド信号と、を含み、前記生成部は、前記先頭パルス信号と前記終端パルス信号との間の前記制御パルス信号の時間位置を変更し、前記第１コマンド信号と前記第２コマンド信号と、を生成することが好ましい。
【０１７７】
上記構成によれば、同期制御は、第１同期制御と、第１同期制御とは異なる第２同期制御と、を含む。コマンド信号は、第１同期制御の内容を通知するための第１コマンド信号と、第２同期制御の内容を通知するための第２コマンド信号と、を含む。生成部は、先頭パルス信号と終端パルス信号との間の制御パルス信号の時間位置を変更し、第１コマンド信号と第２コマンド信号と、を生成する。上述の如く、同期信号に含まれたノイズ信号は容易に識別されるので、第１同期制御及び第２同期制御は、適切に通知される。
【０１７８】
上記構成において、前記先頭パルス信号及び前記終端パルス信号との間の送信間隔は、一定に定められ、前記コマンド信号は、先行して送信される先行コマンド信号と、該先行コマンド信号に後続する後続コマンド信号と、を含み、前記送信部は、前記先行コマンド信号の前記終端パルス信号と前記後続コマンド信号の前記先頭パルス信号との間の時間間隔が、前記コマンド信号内の前記パルス信号の時間間隔と異なるように前記先行コマンド信号と前記後続コマンド信号とを間欠式に送信することが好ましい。
【０１７９】
上記構成によれば、コマンド信号は、先行して送信される先行コマンド信号と、先行コマンド信号に後続する後続コマンド信号と、を含む。先頭パルス信号及び終端パルス信号との間の送信間隔は、一定に定められる。送信部は、先行コマンド信号の終端パルス信号と後続コマンド信号の先頭パルス信号との間の時間間隔が、コマンド信号内のパルス信号の時間間隔と異なるように先行コマンド信号と後続コマンド信号とを間欠式に送信するので、先行コマンド信号の終端パルス信号及び／又は後続コマンド信号の先頭パルス信号が識別されやすくなる。
【０１８０】
上記構成において、前記送信部は、前記先行コマンド信号の前記終端パルス信号と前記後続コマンド信号の前記先頭パルス信号との間の時間間隔が、前記先頭パルス信号及び前記終端パルス信号との間の送信間隔より長くなるように、前記先行コマンド信号と前記後続コマンド信号とを送信することが好ましい。
【０１８１】
上記構成によれば、送信部は、先行コマンド信号の終端パルス信号と後続コマンド信号の先頭パルス信号との間の時間間隔が、先頭パルス信号及び終端パルス信号との間の送信間隔より長くなるように、先行コマンド信号と後続コマンド信号とを送信するので、先行コマンド信号の終端パルス信号及び／又は後続コマンド信号の先頭パルス信号が識別されやすくなる。
【０１８２】
上述の実施形態の眼鏡装置は、映像のフレーム画像の表示に同期して、視聴者の眼への透過光量を調整し、前記映像を立体的に知覚させる補助動作を実行する光学フィルタ部と、前記フレーム画像の表示に同期した前記補助動作を実行させるための同期信号を受信する受信部と、前記同期信号を解析する解析部と、該解析部の解析結果に基づいて、前記光学フィルタ部を制御する制御部と、を備え、前記同期信号は、一定数のパルス信号を有するコマンド信号を含み、該コマンド信号は、前記コマンド信号の開始を通知する先頭パルス信号と、前記コマンド信号の終了を通知する終端パルス信号と、前記フレーム画像の表示に同期した補助動作の内容を通知する制御パルス信号と、を含むことを特徴とする。
【０１８３】
上記構成によれば、光学フィルタ部は、映像のフレーム画像の表示に同期して、視聴者の眼への透過光量を調整する。受信部は、フレーム画像の表示に同期した補助動作を実行させるための同期信号を受信する。解析部は、同期信号を解析する。制御部は、解析部の解析結果に基づいて、光学フィルタ部を制御する。同期信号は、コマンド信号を含む。コマンド信号は、コマンド信号の開始を通知する先頭パルス信号と、コマンド信号の終了を通知する終端パルス信号と、フレーム画像の表示に同期した補助動作の内容を通知する制御パルス信号と、を含む。コマンド信号が含むパルス信号は、一定数であるので、解析部は、同期信号中のノイズ信号を容易に識別することができる。
【０１８４】
上記構成において、前記解析部は、前記先頭パルス信号と前記終端パルス信号との受信間隔に基づき、前記受信部が受信した信号が、前記光学フィルタ部の制御に用いられる前記コマンド信号であるか否かを判定することが好ましい。
【０１８５】
上記構成によれば、解析部は、先頭パルス信号と終端パルス信号との受信間隔に基づき、受信部が受信した信号が、光学フィルタ部の制御に用いられるコマンド信号であるか否かを判定する。したがって、光学フィルタ部は、適切に受信されたコマンド信号に従って、補助動作を実行することができる。
【０１８６】
上記構成において、前記解析部は、前記先頭パルス信号と前記終端パルス信号との間の前記パルス信号の数に基づき、前記受信部が受信した信号が、前記光学フィルタ部の制御に用いられる前記コマンド信号であるか否かを判定することが好ましい。
【０１８７】
上記構成によれば、解析部は、先頭パルス信号と終端パルス信号との間のパルス信号の数に基づき、受信部が受信した信号が、光学フィルタ部の制御に用いられるコマンド信号であるか否かを判定する。したがって、光学フィルタ部は、適切に受信されたコマンド信号に従って、補助動作を実行することができる。
【０１８８】
上記構成において、前記解析部は、前記先頭パルス信号と前記終端パルス信号との間の前記パルス信号の時間位置に基づき、前記受信部が受信した信号が、前記光学フィルタ部の制御に用いられる前記コマンド信号であるか否かを判定することが好ましい。
【０１８９】
上記構成によれば、解析部は、先頭パルス信号と終端パルス信号との間のパルス信号の時間位置に基づき、受信部が受信した信号が、光学フィルタ部の制御に用いられるコマンド信号であるか否かを判定する。したがって、光学フィルタ部は、適切に受信されたコマンド信号に従って、補助動作を実行することができる。
【０１９０】
上記構成において、前記解析部は、前記先頭パルス信号と前記終端パルス信号との間の前記制御パルス信号の前記時間位置に基づき、前記光学フィルタ部に対する制御内容を決定することが好ましい。
【０１９１】
上記構成によれば、解析部は、先頭パルス信号と終端パルス信号との間の制御パルス信号の時間位置に基づき、光学フィルタ部に対する制御内容を決定するので、光学フィルタ部は、適切に補助動作を実行することができる。
【０１９２】
上記構成において、前記コマンド信号は、前記光学フィルタ部に前記透過光量を調整させるための第１調整動作を実行させるための第１コマンド信号と、前記光学フィルタ部に前記第１調整動作と異なる第２調整動作を実行させる第２コマンド信号と、を含み、前記解析部は、前記第１コマンド信号及び前記第２コマンド信号のうち少なくとも一方の受信周期に基づいて、前記受信部が受信した信号が、前記光学フィルタ部の制御に用いられる前記コマンド信号であるか否かを判定することが好ましい。
【０１９３】
上記構成によれば、コマンド信号は、光学フィルタ部に透過光量を調整させるための第１調整動作を実行させるための第１コマンド信号と、光学フィルタ部に第１調整動作と異なる第２調整動作を実行させる第２コマンド信号と、を含む。解析部は、第１コマンド信号及び第２コマンド信号のうち少なくとも一方の受信周期に基づいて、受信部が受信した信号が、光学フィルタ部の制御に用いられるコマンド信号であるか否かを判定する。したがって、光学フィルタ部は、適切に受信された第１コマンド信号及び第２コマンド信号に基づいて、第１調整動作及び第２調整動作を実行することができる。
【０１９４】
上記構成において、前記コマンド信号は、先行して送信される先行コマンド信号と、該先行コマンド信号に後続する後続コマンド信号と、を含み、前記解析部は、前記コマンド信号内の前記パルス信号の間隔と、前記先行コマンド信号と前記後続コマンド信号との受信間隔とに基づいて、前記先頭パルス信号及び前記終端パルス信号のうち少なくとも一方を見極めることが好ましい。
【０１９５】
上記構成によれば、コマンド信号は、先行して送信される先行コマンド信号と、先行コマンド信号に後続する後続コマンド信号と、を含む。解析部は、コマンド信号内のパルス信号の間隔と、先行コマンド信号と後続コマンド信号との受信間隔とに基づいて、先頭パルス信号及び終端パルス信号のうち少なくとも一方を見極める。したがって、光学フィルタ部は、先行コマンド信号及び後続コマンド信号にしたがって、補助動作を適切に実行することができる。
【０１９６】
上述の実施形態の映像システムは、映像のフレーム画像を時間的に切り替えて表示する表示装置と、前記フレーム画像の表示に同期して、視聴者の眼への透過光量を調整し、前記映像を立体的に知覚させる補助動作を実行する眼鏡装置と、を備え、前記表示装置は、前記映像を表示する表示部と、前記映像のフレーム画像の表示に同期したコマンド信号を含む同期信号を生成する生成部と、前記同期信号を送信する送信部と、を含み、前記コマンド信号は、一定数のパルス信号を含み、該コマンド信号は、前記コマンド信号の開始を通知する先頭パルス信号と、前記コマンド信号の終了を通知する終端パルス信号と、前記フレーム画像の表示に同期した前記補助動作の内容を通知する制御パルス信号と、を含み、前記眼鏡装置は、前記補助動作を実行する光学フィルタ部と、前記同期信号を受信する受信部と、前記同期信号を解析する解析部と、該解析部の解析結果に基づいて、前記光学フィルタ部を制御する制御部と、を含むことを特徴とする。
【０１９７】
上記構成によれば、表示装置は、映像のフレーム画像を時間的に切り替えて表示する。眼鏡装置は、フレーム画像の表示に同期して、視聴者の眼への透過光量を調整し、映像を立体的に知覚させる補助動作を実行する。表示装置の生成部は、表示部が表示する映像のフレーム画像の表示に同期したコマンド信号を含む同期信号を生成する。コマンド信号は、コマンド信号の開始を通知する先頭パルス信号と、コマンド信号の終了を通知する終端パルス信号と、フレーム画像の表示に同期した補助動作の内容を通知する制御パルス信号と、を含む。解析部は、受信部が受信した同期信号を解析する。制御部は、解析部の解析結果に基づいて、補助動作を実行する光学フィルタ部を制御する。コマンド信号が含むパルス信号は、一定数であるので、解析部は、同期信号中のノイズ信号を容易に識別することができる。
【産業上の利用可能性】
【０１９８】
上述の実施形態の原理は、テレビ装置といった表示装置と、表示装置に表示された映像とを視聴するために用いられる眼鏡装置に適用可能である。
【図１】
2011099298.tif 000003
【図２】
2011099298.tif 000004
【図３】
2011099298.tif 000005
【図４】
2011099298.tif 000006
【図５】
2011099298.tif 000007
【図６】
2011099298.tif 000008
【図７】
2011099298.tif 000009
【図８】
2011099298.tif 000010
【図９】
2011099298.tif 000011
【図１０】
2011099298.tif 000012
【図１１】
2011099298.tif 000013
【図１２】
2011099298.tif 000014
【図１３】
2011099298.tif 000015
【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
映像を表示する表示部と、
前記映像のフレーム画像の表示に同期したコマンド信号を含む同期信号を生成する生成部と、
前記同期信号を送信する送信部と、を備え、
前記コマンド信号は、一定数のパルス信号を含み、
該コマンド信号は、前記コマンド信号の開始を通知する先頭パルス信号と、前記コマンド信号の終了を通知する終端パルス信号と、前記フレーム画像の表示に同期した同期制御の内容を通知する制御パルス信号と、を含み、
前記先頭パルス信号と、前記終端パルス信号との間の送信間隔は、一定に定められ、
前記制御パルス信号は、前記先頭パルス信号と終端パルス信号の間に一定の時間間隔で配列された時間位置のうち、所定数の有効パルス信号を有する、
表示装置。
【請求項２】
前記同期制御は、第１同期制御と、該第１同期制御とは異なる第２同期制御と、を含み、
前記コマンド信号は、前記第１同期制御の内容を通知するための前記第１コマンド信号と、前記第２同期制御の内容を通知するための前記第２コマンド信号と、を含み、
前記生成部は、前記先頭パルス信号と前記終端パルス信号との間の前記制御パルス信号の時間位置を変更し、前記第１コマンド信号と前記第２コマンド信号と、を生成することを特徴とする請求項１に記載の表示装置。
【請求項３】
前記コマンド信号は、先行して送信される先行コマンド信号と、該先行コマンド信号に後続する後続コマンド信号と、を含み、
前記送信部は、前記先行コマンド信号の前記終端パルス信号と前記後続コマンド信号の前記先頭パルス信号との間の時間間隔が、前記コマンド信号内の前記パルス信号の時間間隔と異なるように前記先行コマンド信号と前記後続コマンド信号とを間欠式に送信することを特徴とする請求項１又は２に記載の表示装置。
【請求項４】
映像のフレーム画像の表示に同期して、視聴者の眼への透過光量を調整し、前記映像を立体的に知覚させる補助動作を実行する光学フィルタ部と、
前記フレーム画像の表示に同期した前記補助動作を実行させるための同期信号を受信する受信部と、
前記同期信号を解析し、解析結果に基づいて、前記光学フィルタ部を制御する制御部と、を備え、
前記同期信号は、一定数のパルス信号を有するコマンド信号を含み、
該コマンド信号は、前記コマンド信号の開始を通知する先頭パルス信号と、前記コマンド信号の終了を通知する終端パルス信号と、前記フレーム画像の表示に同期した前記補助動作の内容を通知する制御パルス信号と、を含み、
前記先頭パルス信号と、前記終端パルス信号との間の送信間隔は、一定に定められ、
前記制御パルス信号は、前記先頭パルス信号と終端パルス信号の間に一定の時間間隔で配列された時間位置のうち、所定数の有効パルス信号を有する、
眼鏡装置。
【請求項５】
前記制御部は、前記先頭パルス信号と前記終端パルス信号との受信間隔に基づき、前記受信部が受信した信号が、前記光学フィルタ部の制御に用いられる前記コマンド信号であるか否かを判定することを特徴とする請求項４に記載の眼鏡装置。
【請求項６】
前記制御部は、前記先頭パルス信号と前記終端パルス信号との間の前記パルス信号の数に基づき、前記受信部が受信した信号が、前記光学フィルタ部の制御に用いられる前記コマンド信号であるか否かを判定することを特徴とする請求項５に記載の眼鏡装置。
【請求項７】
前記制御部は、前記先頭パルス信号と前記終端パルス信号との間の前記パルス信号の時間位置に基づき、前記受信部が受信した信号が、前記光学フィルタ部の制御に用いられる前記コマンド信号であるか否かを判定することを特徴とする請求項６に記載の眼鏡装置。
【請求項８】
前記制御部は、前記制御パルス信号の所定数の有効パルス信号が配される前記時間位置に基づき、前記光学フィルタ部に対する制御内容を決定することを特徴とする請求項４に記載の眼鏡装置。
【請求項９】
前記コマンド信号は、前記光学フィルタ部に前記透過光量を調整させるための第１調整動作を実行させるための第１コマンド信号と、前記光学フィルタ部に前記第１調整動作と異なる第２調整動作を実行させる第２コマンド信号と、を含み、
前記制御部は、前記第１コマンド信号及び前記第２コマンド信号のうち少なくとも一方の受信周期に基づいて、前記受信部が受信した信号が、前記光学フィルタ部の制御に用いられる前記コマンド信号であるか否かを判定することを特徴とする請求項８に記載の眼鏡装置。
【請求項１０】
前記コマンド信号は、先行して送信される先行コマンド信号と、該先行コマンド信号に後続する後続コマンド信号と、を含み、
前記制御部は、前記コマンド信号内の前記パルス信号の間隔と、前記先行コマンド信号と前記後続コマンド信号との受信間隔とに基づいて、前記先頭パルス信号及び前記終端パルス信号のうち少なくとも一方を見極めることを特徴とする請求項５乃至９のいずれか１項に記載の眼鏡装置。
【請求項１１】
映像のフレーム画像を時間的に切り替えて表示する表示装置と、
前記フレーム画像の表示に同期して、視聴者の眼への透過光量を調整し、前記映像を立体的に知覚させる補助動作を実行する眼鏡装置と、を備え、
前記表示装置は、
前記映像を表示する表示部と、
前記映像のフレーム画像の表示に同期したコマンド信号を含む同期信号を生成する生成部と、
前記同期信号を送信する送信部と、を含み、
前記コマンド信号は、一定数のパルス信号を含み、
該コマンド信号は、前記コマンド信号の開始を通知する先頭パルス信号と、前記コマンド信号の終了を通知する終端パルス信号と、前記フレーム画像の表示に同期した前記補助動作の内容を通知する制御パルス信号と、を含み、
前記眼鏡装置は、
前記補助動作を実行する光学フィルタ部と、
前記同期信号を受信する受信部と、
前記同期信号を解析し、解析結果に基づいて、前記光学フィルタ部を制御する制御部と、を含み、
前記先頭パルス信号と、前記終端パルス信号との間の送信間隔は、一定に定められ、
前記制御パルス信号は、前記先頭パルス信号と終端パルス信号の間に一定の時間間隔で配列された時間位置のうち、所定数の有効パルス信号を有する、
映像システム。
【手続補正２】
【補正対象書類名】明細書
【補正対象項目名】全文
【補正方法】変更
【補正の内容】
【発明の詳細な説明】
【技術分野】
【０００１】
本発明は、表示装置に表示された映像を、眼鏡装置を通じて視聴させる技術に関する。より詳しくは、表示装置と眼鏡装置との間で通信される同期信号の通信技術に関する。
【背景技術】
【０００２】
視聴者に映像を立体的に知覚させる映像システムは、典型的には、左眼で視聴されるように作成された左眼用の映像と、右眼で視聴されるように作成された右眼用の映像とを交互に切り替えて表示する表示装置と、映像の切替と同期して開閉する光学シャッタを備える眼鏡装置と、を備える。眼鏡装置を装着した視聴者は、光学シャッタの開閉制御によって、表示装置が表示する映像を立体的に知覚することができる。
【０００３】
特許文献１は、表示装置と眼鏡装置との間の通信技術を開示する。特許文献１によれば、眼鏡装置の光学シャッタとして用いられる左右の液晶シャッタの極性の切替に、「High信号」及び「Low信号」が用いられる。「High信号」及び「Low信号」は、一定周期で、交互に生成される。
【０００４】
左右のシャッタの動作の切替のために表示装置から眼鏡装置へ送信される同期信号が、比較的単純な「High信号」及び「Low信号」を含む場合、或いは、単純にコード化されたコマンド信号を含む場合には、眼鏡装置は、ノイズ信号によって、潜在的に誤動作する。
【先行技術文献】
【特許文献】
【０００５】
【特許文献１】特開平１１−９８５３８号公報
【発明の概要】
【発明が解決しようとする課題】
【０００６】
眼鏡装置を通じて左右の眼に透過する透過光量を調整するために表示装置から眼鏡装置へ送信される同期信号の通信に、高いノイズ耐性を付与する技術を提供することを目的とする。
【課題を解決するための手段】
【０００７】
本発明の一の局面に係る表示装置は、映像を表示する表示部と、前記映像のフレーム画像の表示に同期したコマンド信号を含む同期信号を生成する生成部と、前記同期信号を送信する送信部と、を備え、前記コマンド信号は、一定数のパルス信号を含み、該コマンド信号は、前記コマンド信号の開始を通知する先頭パルス信号と、前記コマンド信号の終了を通知する終端パルス信号と、前記フレーム画像の表示に同期した同期制御の内容を通知する制御パルス信号と、を含むことを特徴とする。
【０００８】
本発明の他の局面に係る眼鏡装置は、映像のフレーム画像の表示に同期して、視聴者の眼への透過光量を調整し、前記映像を立体的に知覚させる補助動作を実行する光学フィルタ部と、前記フレーム画像の表示に同期した前記補助動作を実行させるための同期信号を受信する受信部と、前記同期信号を解析する解析部と、該解析部の解析結果に基づいて、前記光学フィルタ部を制御する制御部と、を備え、前記同期信号は、一定数のパルス信号を有するコマンド信号を含み、該コマンド信号は、前記コマンド信号の開始を通知する先頭パルス信号と、前記コマンド信号の終了を通知する終端パルス信号と、前記フレーム画像の表示に同期した補助動作の内容を通知する制御パルス信号と、を含むことを特徴とする。
【０００９】
本発明の他の局面に係る映像システムは、映像のフレーム画像を時間的に切り替えて表示する表示装置と、前記フレーム画像の表示に同期して、視聴者の眼への透過光量を調整し、前記映像を立体的に知覚させる補助動作を実行する眼鏡装置と、を備え、前記表示装置は、前記映像を表示する表示部と、前記映像のフレーム画像の表示に同期したコマンド信号を含む同期信号を生成する生成部と、前記同期信号を送信する送信部と、を含み、前記コマンド信号は、一定数のパルス信号を含み、該コマンド信号は、前記コマンド信号の開始を通知する先頭パルス信号と、前記コマンド信号の終了を通知する終端パルス信号と、前記フレーム画像の表示に同期した補助動作の内容を通知する制御パルス信号と、を含み、前記眼鏡装置は、前記補助動作を実行する光学フィルタ部と、前記同期信号を受信する受信部と、前記同期信号を解析する解析部と、該解析部の解析結果に基づいて、前記光学フィルタ部を制御する制御部と、を含むことを特徴とする。
【図面の簡単な説明】
【００１０】
【図１】一実施形態に係る映像システムの概略構成図である。
【図２】図１に示される映像システムのハードウェア構成を概略的に示すブロック図である。
【図３】図２に示される映像システムの表示装置の機能構成を概略的に示すブロック図である。
【図４】図２に示される映像システムの眼鏡装置の機能構成を概略的に示すブロック図である。
【図５】表示装置と眼鏡装置との間で正常な同期制御がなされているときのタイミングチャートである。
【図６】表示装置と眼鏡装置との間の同期制御がノイズに影響されたときのタイミングチャートである。
【図７】ノイズの影響を受けにくいコマンド信号の概略図である。
【図８】図７に示されるコマンド信号中におけるパルス信号の「ＯＮ」・「ＯＦＦ」の組み合わせを示す図表である。
【図９】図７に示されるコマンド信号中におけるパルス信号の「ＯＮ」・「ＯＦＦ」の他の組み合わせを示す図表である。
【図１０】図７に示されるコマンド信号中におけるパルス信号の「ＯＮ」・「ＯＦＦ」の他の組み合わせを示す図表である。
【図１１】図７に示されるコマンド信号中におけるパルス信号の「ＯＮ」・「ＯＦＦ」の他の組み合わせを示す図表である。
【図１２】眼鏡装置の受信部が受信したパルス信号群に対する判定処理を概略的に示すフローチャートである。
【図１３】眼鏡装置の受信部が受信したパルス信号群を概略的に示すタイミングチャートである。
【発明を実施するための形態】
【００１１】
以下、一実施形態に従う表示装置、眼鏡装置及び映像システムが、添付の図面を用いて説明される。尚、図面に示される構成、配置或いは形状並びに図面に関連する記載は、単に、表示装置、眼鏡装置及び映像システムの原理を容易に理解させることを目的とするものであり、表示装置、眼鏡装置及び映像システムの原理を何ら限定するものではない。
【００１２】
＜映像システムの構成＞
図１は、一実施形態に従う映像システムの概略図である。図１を用いて、映像システムが説明される。
【００１３】
映像システム１００は、立体的に知覚される映像を表示する表示装置２００と、表示装置２００が表示する映像の視聴を補助する補助動作を実行する眼鏡装置３００と、を備える。表示装置２００は、映像のフレーム画像を時間的に切り替えて表示する。眼鏡装置３００は、フレーム画像の表示に同期して、視聴者の眼への透過光量を調整する補助動作を実行する。視聴者が眼鏡装置３００を装着し、表示装置２００が表示する映像を視聴すると、視聴者は、映像を立体的に知覚することができる。
【００１４】
表示装置２００は、立体的に知覚される映像を表示するためのディスプレイパネル２１０を備える。ディスプレイパネル２１０に表示される映像は、左眼で視聴されるように作成された左眼用のフレーム画像（以下、Ｌフレーム画像と称される）と、右眼で視聴されるように作成された右眼用のフレーム画像（以下、Ｒフレーム画像と称される）と、を含む。表示装置２００は、ディスプレイパネル２１０に、Ｌフレーム画像及びＲフレーム画像を、例えば、１２０Ｈｚの周波数で、ディスプレイパネル２１０に交互に表示する。本実施形態において、ディスプレイパネル２１０は、表示部として例示される。
【００１５】
眼鏡装置３００は、視力矯正用の眼鏡と略同様の形状をなす。眼鏡装置３００は、表示装置２００が表示する映像を視聴者に立体的に知覚させるように映像の視聴を補助する補助動作を実行する光学シャッタ部３１０を備える。光学シャッタ部３１０は、眼鏡装置３００を装着した視聴者の左眼前に位置する左シャッタ３１１と、右眼前に位置する右シャッタ３１２と、を備える。左シャッタ３１１は、Ｌフレーム画像の表示に同期して開き、右シャッタ３１２は、Ｌフレーム画像の表示の間、閉じている。また、右シャッタ３１２は、Ｒフレーム画像の表示に同期して開き、左シャッタ３１１は、Ｒフレーム画像の表示の間、閉じている。左シャッタ３１１が開くと、左シャッタ３１１を通じて左眼へ入射する光量が増大する。左シャッタ３１１が閉じると、左シャッタ３１１を通じて左眼へ入射する光量が低減する。右シャッタ３１２が開くと、右シャッタ３１２を通じて右眼へ入射する光量が増大する。右シャッタ３１２が閉じると、右シャッタ３１２を通じて右眼へ入射する光量が低減する。以下の説明において、光学シャッタ部３１０を通じて、視聴者の眼に入射する光の量は、「透過光量」と称される。本実施形態において、光学シャッタ部３１０は、光学フィルタ部として例示される。左シャッタ３１１は、左フィルタとして例示される。右シャッタ３１２は、右フィルタとして例示される。左フィルタ及び／又は右フィルタとして、透過光量を調整可能に形成される他の光学素子が用いられてもよい。視聴者の左眼及び右眼へ透過する光を偏光する偏光素子（例えば、液晶フィルタ）が左フィルタ及び／又は右フィルタとして用いられてもよい。
【００１６】
上述の光学シャッタ部３１０による補助動作の結果、視聴者は、左眼のみでＬフレーム画像を視聴し、右眼のみでＲフレーム画像を視聴することができる。Ｌフレーム画像及びＲフレーム画像は、視差の分だけ異なる内容を表す。視聴者は、左眼のみで視聴したＬフレーム画像と右眼のみで視聴したＲフレーム画像とから、視差を擬似的に知覚する。この結果、視聴者は、表示装置２００が表示する映像を立体的に知覚する。眼鏡装置３００が、適切に補助動作を実行している間、視聴者は、映像に含まれるオブジェクトをディスプレイパネル２１０の表示面から飛び出したように或いは引っ込んだように知覚することができる。
【００１７】
表示装置２００には、映像信号が入力される。表示装置２００は、映像信号を処理し、立体映像（３Ｄ映像）をディスプレイパネル２１０に出力する。表示装置２００は、映像の表示に同期した上述の補助動作を眼鏡装置３００に実行させるための同期信号を送信するための送信部として用いられる発光素子２１３を更に備える。本実施形態において、発光素子２１３は、赤外線を発光する。
【００１８】
眼鏡装置３００は、上述の同期信号を受信する受信部として用いられる受光素子３１３を更に備える。受光素子３１３は、発光素子２１３が出力した赤外線を受光する。
【００１９】
同期信号は、Ｌフレーム画像及びＲフレーム画像の表示に同期して送信されるコマンド信号を含む。光学シャッタ部３１０は、同期信号が含むコマンド信号に基づき、Ｌフレーム画像及びＲフレーム画像の表示に同期した補助動作を実行する。本実施形態において、発光素子２１３は、Ｌフレーム画像の表示の開始に同期して、左シャッタ３１１を開くためのコマンド信号を送信する。発光素子２１３は、Ｌフレーム画像の表示の終了に同期して、左シャッタ３１１を閉じるためのコマンド信号を送信する。発光素子２１３は、Ｒフレーム画像の表示の開始に同期して、右シャッタ３１２を開くためのコマンド信号を送信する。発光素子２１３は、Ｒフレーム画像の表示の終了に同期して、右シャッタ３１２を閉じるためのコマンド信号を送信する。受光素子３１３が、左シャッタ３１１を開くためのコマンド信号を受信すると、左シャッタ３１１は、Ｌフレーム画像の表示の開始に同期して開く。受光素子３１３が、左シャッタ３１１を閉じるためのコマンド信号を受信すると、左シャッタ３１１は、Ｌフレーム画像の表示の終了に同期して閉じる。受光素子３１３が、右シャッタ３１２を開くためのコマンド信号を受信すると、右シャッタ３１２は、Ｒフレーム画像の表示の開始に同期して開く。受光素子３１３が、右シャッタ３１２を閉じるためのコマンド信号を受信すると、右シャッタ３１２は、Ｒフレーム画像の表示の終了に同期して閉じる。この結果、ディスプレイパネル２１０がＬフレーム画像を表示している間、左眼への映像光の入射量が増大する一方で、右眼への映像光の入射量が低減する。また、ディスプレイパネル２１０がＲフレーム画像を表示している間、右眼への映像光の入射量が増大する一方で、左眼への映像光の入射量が低減する。
【００２０】
上述の光学シャッタ部３１０の補助動作の結果、眼鏡装置３００を装着した視聴者は、表示装置２００が表示する映像を立体的に知覚することができる。
【００２１】
本実施形態において、Ｌフレーム画像及びＲフレーム画像の表示周波数は、１２０Ｈｚである。代替的に、Ｌフレーム画像及びＲフレーム画像の表示周波数は、９６Ｈｚ、１００Ｈｚ、１４４Ｈｚといった他の値であってもよい。Ｌフレーム画像及びＲフレーム画像の表示周波数は、好ましくは、表示される映像の種類に応じて適切に設定される。
【００２２】
本実施形態において、映像システム１００は、太陽光Ｓといった外部光及び／又は蛍光灯Ｅによって照明される空間内で使用される。また、表示装置２００は、多くの場合、リモートコントローラ９００を用いて制御される。太陽光Ｓといった外部光や蛍光灯Ｅの照明光は、一般的に、赤外線を含む。また、リモートコントローラ９００と表示装置２００との間の通信には、典型的には、赤外線信号が用いられる。
【００２３】
本実施形態において、眼鏡装置３００の受光素子３１３は、表示装置２００から送信される同期信号として送信される赤外線信号を受信する。したがって、受光素子３１３は、太陽光Ｓといった外部光や蛍光灯Ｅの照明光が含む赤外線並びにリモートコントローラ９００と表示装置２００との間の通信に用いられる赤外線信号を潜在的に受信する。表示装置２００からの赤外線信号以外の信号（赤外線）は、眼鏡装置３００にとっては、ノイズ信号として作用する。以下に説明される本実施形態の原理は、眼鏡装置３００に対するこれらのノイズ信号の影響を低減させる。
【００２４】
本実施形態において、赤外線信号が同期信号として用いられる。代替的に、同期信号として、無線信号や、表示装置２００と眼鏡装置３００との間の同期制御を達成させることができる他の種類の信号が用いられてもよい。
【００２５】
図２は、映像システム１００のハードウェア構成を概略的に示すブロック図である。図１及び図２を用いて、映像システム１００のハードウェア構成が説明される。
【００２６】
表示装置２００は、上述のディスプレイパネル２１０及び発光素子２１３に加えて、復号ＩＣ２１１、映像信号処理ＩＣ２１２、送信制御ＩＣ２１４、ＣＰＵ２１５、メモリ２１６及びクロック２１７を備える。
【００２７】
符号化された映像信号は、復号ＩＣ２１１に入力される。復号ＩＣ２１１は、入力された映像信号を復号化し、映像データを所定の様式で出力する。映像の符号化として、ＭＰＥＧ（Motion Picture Experts Group）−２、ＭＰＥＧ−４やＨ２６４といった手法が例示される。
【００２８】
映像信号処理ＩＣ２１２は、復号ＩＣ２１１からの映像データを立体映像として表示するために映像信号を処理する。本実施形態において、映像信号処理ＩＣ２１２は、復号ＩＣ２１１が復号化した映像信号から左眼用の映像と右眼用の映像とを検出する。その後、映像信号処理ＩＣ２１２は、左眼用の映像と右眼用の映像とを時間的に交互に並べ替える。代替的に、映像信号処理ＩＣ２１２は、復号ＩＣ２１１が出力した映像信号に基づき、左眼用の映像と右眼用の映像とを自動的に生成してもよい。更に代替的に、映像信号処理ＩＣ２１２は、立体映像の表示に関連する他の信号処理を実行してもよい。映像信号処理ＩＣ２１２は、その後、ディスプレイパネル２１０の信号入力方式に適合した出力信号を生成する。
【００２９】
映像信号処理ＩＣ２１２は、上述の信号処理に加えて、他の信号処理を実行してもよい。例えば、映像信号処理ＩＣ２１２は、ディスプレイパネル２１０の特性に応じて、表示される映像の色彩を調整してもよい。映像信号処理ＩＣ２１２は、復号ＩＣ２１１が生成した映像のフレーム間の映像を補間し、映像のフレームレートを増加させてもよい。
【００３０】
送信制御ＩＣ２１４は、映像信号処理ＩＣ２１２が生成した左眼用の映像及び右眼用の映像（Ｌフレーム画像及びＲフレーム画像）の表示に同期するコマンド信号を含む同期信号を生成し、発光素子２１３へ出力する。本実施形態において、送信制御ＩＣ２１４は、生成部として例示される。
【００３１】
ＣＰＵ２１５は、復号ＩＣ２１１や映像信号処理ＩＣ２１２といった表示装置２００の様々な要素を制御し、表示装置２００の動作全体を制御する。ＣＰＵ２１５は、例えば、メモリ２１６に記録されたプログラムや外部装置（図示せず）からの入力に従って、上述の制御を実行する。
【００３２】
メモリ２１６は、ＣＰＵ２１５が実行するプログラムやプログラム実行時に発生する一時的なデータを記録する領域として用いられる。メモリ２１６として、揮発性のＲＡＭ（Random  Access  Memory）や不揮発性のＲＯＭ（Read Only Memory）が例示される。
【００３３】
クロック２１７は、クロック信号を生成し、ＣＰＵ２１５や他の構成要素へ供給する。クロック信号は、表示装置２００の様々なＩＣや他の構成要素の動作基準として用いられる。
【００３４】
ディスプレイパネル２１０は、映像信号処理ＩＣ２１２が出力した映像信号を映像として表示する表示面を備える。ディスプレイパネル２１０として、例えば、ＣＲＴ（Cathyode Ray Tube）ディスプレイ、液晶ディスプレイ、ＰＤＰ（プラズマディスプレイパネル）、有機エレクトロルミネッセンスディスプレイや映像を表示可能な他の装置が好適に使用される。
【００３５】
発光素子２１３は、送信制御ＩＣ２１４の制御下で、同期信号として出力される赤外線を眼鏡装置３００へ送信する。
【００３６】
本実施形態において、表示装置２００と眼鏡装置３００との間の同期制御は、赤外線を用いた同期信号により達成される。代替的に、有線信号、無線信号や超音波信号といった他の種類の伝達手段が、表示装置と眼鏡装置との間の同期制御を達成させてもよい。
【００３７】
眼鏡装置３００は、上述の光学シャッタ部３１０及び受光素子３１３に加えて、ＣＰＵ３１５、メモリ３１６及びクロック３１７を備える。
【００３８】
ＣＰＵ３１５は、例えば、メモリ３１６に記録されたプログラムや表示装置２００からの同期信号に従って、眼鏡装置３００の動作全体を制御する。ＣＰＵ３１５は、受光素子３１３が受信した同期信号を解析し、解析結果に基づき、光学シャッタ部３１０を制御する。本実施形態において、ＣＰＵ３１５は、解析部及び制御部として例示される。
【００３９】
メモリ３１６は、ＣＰＵ３１５が実行するプログラムのデータを記録する。また、メモリ３１６は、ＣＰＵ３１５によるプログラム実行時の一時的なデータを保持する領域としても用いられる。
【００４０】
クロック３１７は、眼鏡装置３００の様々な要素へ、クロック信号を供給する。クロック信号は、眼鏡装置３００の様々な要素の動作の基準として用いられる。クロック信号は、必要に応じて、分周又は逓倍されてもよい。
【００４１】
受光素子３１３は、表示装置２００の発光素子２１３が送信した同期信号を受信する受信部として例示される。本実施形態において、受光素子３１３は、赤外線信号を受信する。代替的に、表示装置が無線信号を同期信号として送信するならば、受信部は、受光素子３１３の代わりに、アンテナやチューナといった無線信号を受信するために必要な要素を備える。表示装置と眼鏡装置との間の同期制御を達成するための同期信号の種類に応じて、適切な受信素子が受信部として用いられるならば、本実施形態に関連して説明される表示装置２００と眼鏡装置３００との間の同期制御と同様の制御が達成される。
【００４２】
光学シャッタ部３１０は、眼鏡装置３００を装着した視聴者の左眼前に配設される左シャッタ３１１及び右眼前に配設される右シャッタ３１２を備える。左シャッタ３１１及び右シャッタ３１２が開閉し、左眼及び右眼へ入射する光がそれぞれ調整（調光）される。光学シャッタ部３１０は、ＣＰＵ３１５の制御下で、左眼及び右眼への入射光の調整を適切に行い、所望の光学的効果を、眼鏡装置３００を装着した視聴者に与える。
【００４３】
図２に示される映像システム１００のハードウェア構成は、一例にすぎない。例えば、復号ＩＣ２１１や映像信号処理ＩＣ２１２といった様々なＩＣに代えて、これらＩＣの機能を有する一体型のＩＣが用いられてもよい。ＣＰＵ２１５が実行するプログラムの処理は、ＰＬＤ（Programmable Logic Device）やＤＳＰ（Digital  Signal  Processor）といった素子によってなされてもよい。また、図２に関連して説明された様々な制御は、ハードウェアではなく、例えば、ＣＰＵ上で実行されるソフトウェア（プログラム）によって達成されてもよい。
【００４４】
本実施形態において、表示装置２００は、発光素子２１３を備える。代替的に、送信制御ＩＣ及び発光素子は、映像を表示する要素と別体に形成された制御装置に組み込まれてもよい。制御装置は、映像を表示する表示装置から入力された情報に基づいて、同期信号を生成し、眼鏡装置に出力してもよい。
【００４５】
図３は、表示装置２００の機能構成を概略的に示すブロック図である。図１乃至図３を用いて、表示装置２００が説明される。
【００４６】
表示装置２００は、復号部２３１、Ｌ／Ｒ信号分離部２３２、立体信号処理部２３５、表示部２３０、第１生成部２３６、送信制御部２３４及び送信部２３３を備える。
【００４７】
符号化された映像信号は、復号部２３１に入力される。復号部２３１は、入力された映像信号を復号する。復号部２３１は、図２に関連して説明されたハードウェア構成において、復号ＩＣ２１１に相当する。
【００４８】
Ｌ／Ｒ信号分離部２３２は、復号部２３１が復号した映像信号から左眼用の映像信号及び右眼用の映像信号を生成又は分離する。
【００４９】
立体信号処理部２３５は、例えば、表示部２３０の特性に応じて、Ｌ／Ｒ信号分離部２３２が分離した左眼用の映像信号及び右眼用の映像信号を調整する。立体信号処理部２３５は、例えば、表示部２３０の表示面の大きさに応じて、Ｌフレーム画像とＲフレーム画像との間の視差量を調整してもよい。
【００５０】
第１生成部２３６は、Ｌ／Ｒ信号分離部２３２が生成した左眼用の映像（Ｌフレーム画像）及び右眼用の映像（Ｒフレーム画像）に同期したコマンド信号を含む同期信号を生成する。第１生成部２３６は、表示部２３０の特性に応じて、同期信号の種類や生成タイミングを調整してもよい。本実施形態において、第１生成部２３６は、生成部として例示される。第１生成部２３６によって生成される同期信号は、後述される。
【００５１】
Ｌ／Ｒ信号分離部２３２、立体信号処理部２３５及び第１生成部２３６は、図２に関連して説明されたハードウェア構成において、映像信号処理ＩＣ２１２に相当する。
【００５２】
表示部２３０は、立体信号処理部２３５が処理した映像信号を映像として表示する。表示部２３０は、図２に関連して説明されたハードウェア構成において、ディスプレイパネル２１０に相当する。
【００５３】
送信制御部２３４は、送信部２３３が送信する同期信号のデータ量を調整する。必要に応じて、送信制御部２３４は、同期信号の送信間隔を制御し、送信部２３３に間欠式の同期信号の送信を実行させてもよい。送信制御部２３４は、図２に関連して説明されたハードウェア構成において、送信制御ＩＣ２１４に相当する。
【００５４】
送信部２３３は、第１生成部２３６が生成した同期信号を、送信制御部２３４の制御下で、眼鏡装置３００に送信する。送信部２３３は、図２に関連して説明されたハードウェア構成において、発光素子２１３に相当する。
【００５５】
図４は、眼鏡装置３００の機能構成を概略的に示すブロック図である。図１乃至図４を用いて、眼鏡装置３００が説明される。
【００５６】
眼鏡装置３００は、上述の光学シャッタ部３１０に加えて、受信部３３３、信号検出部３３４、解析部３３５、記憶部３３６、第２生成部３３７及びシャッタ制御部３３８を備える。
【００５７】
受信部３３３は、表示装置２００が赤外線を用いて送信した同期信号を受信する。受信部３３３は、受光した赤外線に応じて、電気信号を生成する。生成された電気信号は、信号検出部３３４（後述される）に出力される。図２のハードウェア構成に関連して説明された如く、本実施形態において、赤外線信号が同期信号として用いられる。代替的に、赤外線信号以外の信号が同期信号として用いられてもよい。例えば、無線信号の通信が表示装置と眼鏡装置との間でなされてもよい。
【００５８】
上述の如く、受信部３３３は、赤外線信号（同期信号）を受信し、赤外線信号に基づき、電気信号（同期信号）を生成する。信号検出部３３４は、受信部３３３から出力された電気信号から同期信号を検出する。信号検出部３３４は、例えば、特定の信号波形を有する電気信号を同期信号として検出する。
【００５９】
解析部３３５は、信号検出部３３４が検出した同期信号に基づき、光学シャッタ部３１０を動作させるための時間間隔といった同期情報を解析する。解析部３３５は、同期情報の解析を通じて、例えば、左シャッタ３１１及び右シャッタ３１２の開閉タイミングに関する情報を取得することができる。
【００６０】
信号検出部３３４及び解析部３３５は、図２に関連して説明されたハードウェア構成において、ＣＰＵ３１５が実行するプログラムの一部に相当する。
【００６１】
記憶部３３６は、解析部３３５が同期信号に基づいて解析した光学シャッタ部３１０の動作に関する制御情報を記録・保持する。記憶部３３６は、図２に関連して説明されたハードウェア構成において、メモリ３１６に相当する。図２に関連して説明されたハードウェア構成において、ＣＰＵ３１５は、光学シャッタ部３１０の動作に関する制御情報をメモリ３１６に記録する。
【００６２】
第２生成部３３７は、記憶部３３６に記録された同期情報に基づいて、光学シャッタ部３１０の動作を制御するための内部信号を生成する。代替的に、第２生成部３３７は、解析部３３５が解析した同期情報（例えば、光学シャッタ部３１０を動作させるための時間間隔）に基づいて、光学シャッタ部３１０の動作を制御するための内部信号を生成する。第２生成部３３７は、図２に関連して説明されたハードウェア構成において、ＣＰＵ３１５及びクロック３１７に相当する。
【００６３】
シャッタ制御部３３８は、第２生成部３３７が生成した内部信号（即ち、解析部３３５が解析した同期情報）に基づいて、左シャッタ３１１及び右シャッタ３１２の動作を制御する。シャッタ制御部３３８は、左シャッタ３１１及び右シャッタ３１２の開閉タイミングを調整し、上述の補助動作を光学シャッタ部３１０に実行させる。シャッタ制御部３３８は、図２に関連して説明されたハードウェア構成において、ＣＰＵ３１５が実行する光学シャッタ部３１０に対する制御用プログラムに相当する。或いは、シャッタ制御部３３８は、光学シャッタ部３１０を駆動するための駆動回路（図示せず）に相当する。本実施形態において、シャッタ制御部３３８は、制御部として例示される。
【００６４】
光学シャッタ部３１０は、眼鏡装置３００を装着した視聴者の左眼前に配設される左シャッタ３１１と右眼前に配設される右シャッタ３１２とを備える。本実施形態において、光学シャッタ部３１０は、光学フィルタ部として例示される。光学フィルタ部として、他の光学素子が用いられてもよい。例えば、透過光量を調整可能に形成された光学素子や透過光の偏光を調整する光学素子が光学フィルタ部に好適に用いられる。光学フィルタ部に用いられる光学素子は、例えば、液晶素子を備えてもよい。液晶素子は、透過光量を調整するために制御される。
【００６５】
本実施形態において、表示装置２００の表示部２３０は、Ｌフレーム画像とＲフレーム画像とを交互に切り替えて表示する。したがって、左シャッタ３１１及び右シャッタ３１２は、交互に透過光量を増減させる。光学フィルタ部は、上述のシャッタ動作に代えて、左眼へ向かう光及び右眼へ向かう光の偏光方向を変えてもよい。表示装置が表示する映像の切り替えに同期して透過光を調整可能な光学素子が光学フィルタ部として好適に用いられる。
【００６６】
本実施形態の原理は、図３及び図４に示された機能構成に基づき説明されるが、本実施形態の原理は、図３及び図４の機能構成に限定されるものではない。本実施形態において、送信部２３３及び表示部２３０は、１つの表示装置２００内に組み込まれている。代替的に、眼鏡装置３００を制御するための同期信号を送信する制御装置が、映像を表示する表示要素を備える表示装置とは別体に形成されてもよい。
【００６７】
図２乃至図４に関連して説明されたハードウェア構成と機能構成との間の対応は、本実施形態の原理を明瞭にするための一例にすぎない。したがって、本実施形態の原理は、図２乃至図４に関連して説明されたハードウェア構成と機能構成との間の対応関係に限定されるものではない。したがって、制御装置、表示装置、眼鏡装置及び映像システムは、他のハードウェア構成及び他の機能構成を有してもよい。
【００６８】
＜表示装置と眼鏡装置との間の同期制御に対するノイズの影響＞
図５は、表示装置と眼鏡装置との間で正常な同期制御がなされているときのタイミングチャートである。図６は、表示装置と眼鏡装置との間の同期制御がノイズに影響されたときのタイミングチャートである。図５及び図６を用いて、表示装置と眼鏡装置との間の同期制御に対するノイズの影響が説明される。
【００６９】
図５のセクション（Ａ）は、表示装置の表示部が表示する映像の切替を概略的に示す。表示部は、Ｌフレーム画像及びＲフレーム画像を交互に表示する。図５及び図６に関連する説明において、表示部が表示する映像のフレームレートは、Ｌフレーム画像及びＲフレーム画像を合わせて、１２０Ｈｚ（Ｌフレーム画像：６０Ｈｚ  Ｒフレーム画像：６０Ｈｚ）である。
【００７０】
図５のセクション（Ｂ）は、眼鏡装置へ送信される同期信号が含むコマンド信号の送信タイミングを概略的に示す。表示装置の第１生成部は、同期信号を生成する。表示装置の送信部は、第１生成部によって生成された同期信号を眼鏡装置へ送信する。
【００７１】
表示装置の送信部は、Ｌフレーム画像の表示の開始に対応して、眼鏡装置が備える光学シャッタ部の左シャッタを開くための第１コマンド信号ＣＳ１を送信する。第１コマンド信号ＣＳ１を受信した眼鏡装置の左シャッタが開き、視聴者の左眼への透過光量が増大する。
【００７２】
表示装置の送信部は、その後、Ｌフレーム画像の表示の終了に対応して、眼鏡装置が備える光学シャッタ部の左シャッタを閉じるための第２コマンド信号ＣＳ２を送信する。第２コマンド信号ＣＳ２を受信した眼鏡装置の左シャッタが閉じ、視聴者の左眼への透過光量が減少する。
【００７３】
上述の如く、Ｌフレーム画像の表示の後、Ｒフレーム画像が表示される。表示装置の送信部は、Ｒフレーム画像の表示の開始に対応して、眼鏡装置が備える光学シャッタ部の右シャッタを開くための第３コマンド信号ＣＳ３を送信する。第３コマンド信号ＣＳ３を受信した眼鏡装置の右シャッタが開き、視聴者の右眼への透過光量が増大する。
【００７４】
表示装置の送信部は、その後、Ｒフレーム画像の表示の終了に対応して、眼鏡装置が備える光学シャッタ部の右シャッタを閉じるための第４コマンド信号ＣＳ４を送信する。第４コマンド信号ＣＳ４を受信した眼鏡装置の右シャッタが閉じ、視聴者の右眼への透過光量が減少する。
【００７５】
図５及び図６に関連して説明される表示装置と眼鏡装置との間の同期制御において、コマンド信号（第１コマンド信号ＣＳ１乃至第４コマンド信号ＣＳ４）が含むパルス信号の数に応じて、眼鏡装置の光学シャッタ部の動作が決定される。
【００７６】
第１コマンド信号ＣＳ１は、１つのパルス信号を含む。図５及び図６に関連して説明される表示装置と眼鏡装置との間の同期制御のプロトコルでは、１つのパルス信号を含む信号は、左シャッタを開くことを意味する制御内容を含むコマンド信号として解釈される。
【００７７】
第２コマンド信号ＣＳ２は、２つのパルス信号を含む。図５及び図６に関連して説明される表示装置と眼鏡装置との間の同期制御のプロトコルでは、２つのパルス信号を含む信号は、左シャッタを閉じることを意味する制御内容を含むコマンド信号として解釈される。
【００７８】
第３コマンド信号ＣＳ３は、３つのパルス信号を含む。図５及び図６に関連して説明される表示装置と眼鏡装置との間の同期制御のプロトコルでは、３つのパルス信号を含む信号は、右シャッタを開くことを意味する制御内容を含むコマンド信号として解釈される。
【００７９】
第４コマンド信号ＣＳ４は、４つのパルス信号を含む。図５及び図６に関連して説明される表示装置と眼鏡装置との間の同期制御のプロトコルでは、４つのパルス信号を含む信号は、右シャッタを閉じることを意味する制御内容を含むコマンド信号として解釈される。
【００８０】
図５のセクション（Ｃ）は、表示装置からの同期信号に基づいて、眼鏡装置の第２生成部が生成した内部信号を示す概略的なタイミングチャートである。
【００８１】
眼鏡装置の解析部は、コマンド信号（第１コマンド信号ＣＳ１乃至第４コマンド信号ＣＳ４）が含むパルス信号の数を測定する。コマンド信号が含むパルス信号の数が１つであるならば（即ち、眼鏡装置の受信部が、第１コマンド信号ＣＳ１を受信したならば）、眼鏡装置の第２生成部は、第１コマンド信号ＣＳ１に対応して、左シャッタを開くための内部信号ＩＳ１を生成する。コマンド信号が含むパルス信号の数が２つであるならば（即ち、眼鏡装置の受信部が、第２コマンド信号ＣＳ２を受信したならば）、眼鏡装置の第２生成部は、第２コマンド信号ＣＳ２に対応して、左シャッタを閉じるための内部信号ＩＳ２を生成する。コマンド信号が含むパルス信号の数が３つであるならば（即ち、眼鏡装置の受信部が、第３コマンド信号ＣＳ３を受信したならば）、眼鏡装置の第２生成部は、第３コマンド信号ＣＳ３に対応して、右シャッタを開くための内部信号ＩＳ３を生成する。コマンド信号が含むパルス信号の数が４つであるならば（即ち、眼鏡装置の受信部が、第４コマンド信号ＣＳ４を受信したならば）、眼鏡装置の第２生成部は、第４コマンド信号ＣＳ４に対応して、右シャッタを閉じるための内部信号ＩＳ４を生成する。
【００８２】
眼鏡装置のシャッタ制御部は、上述の如く生成された内部信号ＩＳ１，ＩＳ２，ＩＳ３，ＩＳ４に基づき、光学シャッタ部の左シャッタ及び右シャッタを制御する。
【００８３】
図５のセクション（Ｄ）は、シャッタ制御部による左シャッタの開閉制御に伴う左眼への透過光量の変動を示す。図５のセクション（Ｅ）は、シャッタ制御部による右シャッタの開閉制御に伴う右眼への透過光量の変動を示す。
【００８４】
左シャッタは、内部信号ＩＳ１に対応して開く。この結果、Ｌフレーム画像の表示の開始に同期して、視聴者への左眼への透過光量が増加し始める。この結果、視聴者は、左眼で、Ｌフレーム画像を視聴することができる。
【００８５】
左シャッタは、内部信号ＩＳ２に対応して閉じる。この結果、Ｌフレーム画像の表示の終了に同期して、視聴者への左眼への透過光量が減少し始める。この結果、Ｒフレーム画像が表示される前に、視聴者の左眼での視聴が終了される。
【００８６】
右シャッタは、内部信号ＩＳ３に対応して開く。この結果、Ｒフレーム画像の表示の開始に同期して、視聴者への右眼への透過光量が増加し始める。この結果、視聴者は、右眼で、Ｒフレーム画像を視聴することができる。
【００８７】
右シャッタは、内部信号ＩＳ４に対応して閉じる。この結果、Ｒフレーム画像の表示の終了に同期して、視聴者への右眼への透過光量が減少し始める。この結果、新たなＬフレーム画像が表示される前に、視聴者の右眼での視聴が終了される。
【００８８】
かくして、表示装置の第１生成部が生成した同期信号に基づき、眼鏡装置は、表示装置の制御下で、光学シャッタ部を開閉させることができる。
【００８９】
図６は、図５に関連して説明された同期信号がノイズ信号を含んだときの概略的なタイミングチャートである。
【００９０】
図６のセクション（Ａ）は、図５のセクション（Ａ）と同様に、表示装置の表示部が表示する映像の切替を概略的に示す。表示部は、Ｌフレーム画像及びＲフレーム画像を交互に表示する。
【００９１】
図６のセクション（Ｂ）は、図５のセクション（Ｂ）と同様に、眼鏡装置へ送信される同期信号が含むコマンド信号の送信タイミングを概略的に示す。表示装置の第１生成部は、同期信号を生成する。表示装置の送信部は、第１生成部によって生成された同期信号を眼鏡装置へ送信する。
【００９２】
図５のセクション（Ｂ）と同様に、表示装置の送信部は、Ｌフレーム画像の表示の開始に対応して、第１コマンド信号ＣＳ１を送信し、Ｌフレーム画像の表示の終了に対応して、第２コマンド信号ＣＳ２を送信する。また、表示装置の送信部は、Ｒフレーム画像の表示の開始に対応して、第３コマンド信号ＣＳ３を送信し、Ｒフレーム画像の表示の終了に対応して、第４コマンド信号ＣＳ４を送信する。
【００９３】
図６のセクション（Ｂ）は、上述のコマンド信号（第１コマンド信号ＣＳ１乃至第４コマンド信号ＣＳ４）に加えて、最初の第２コマンド信号ＣＳ２の直前に現れたノイズパルスＮＰを示す。眼鏡装置の受信部は、コマンド信号（第１コマンド信号ＣＳ１乃至第４コマンド信号ＣＳ４）だけでなくノイズパルスＮＰを含む同期信号を受信する。
【００９４】
図６のセクション（Ｃ）は、ノイズパルスＮＰの影響下で生成された内部信号を概略的に示すタイミングチャートである。図６のセクション（Ｄ）は、ノイズパルスＮＰの影響下で生成された内部信号に基づいて制御された左シャッタの開閉動作に伴う左眼への透過光量の変動を概略的に示す。図６のセクション（Ｅ）は、ノイズパルスＮＰの影響下で生成された内部信号に基づいて制御された右シャッタの開閉動作に伴う右眼への透過光量の変動を概略的に示す。
【００９５】
図５に関連して説明された正常な同期制御と異なり、眼鏡装置の受信部が受信する同期信号は、ノイズパルスＮＰを含む。図６のセクション（Ｂ）に示される如く、表示装置の送信部は、図５のセクション（Ｂ）に関連して説明された同期信号の送信と同様に、第１コマンド信号ＣＳ１乃至第４コマンド信号ＣＳ４を順次送信している。しかしながら、最初の第２コマンド信号ＣＳ２の直前に現れたノイズパルスＮＰに起因して、眼鏡装置の解析部は、受信部が受信した信号が３つのパルス信号を有すると判定する。この結果、表示装置の送信部が最初に送信した第２コマンド信号ＣＳ２は、第３コマンド信号ＣＳ３として取り扱われる（即ち、眼鏡装置の解析部は、第２コマンド信号ＣＳ２を第３コマンド信号ＣＳ３として識別する）。
【００９６】
眼鏡装置の解析部が、左シャッタを閉じるための第２コマンド信号ＣＳ２を第３コマンド信号として識別する結果、第２生成部は、第２コマンド信号ＣＳ２の受信に対応して、右シャッタを開くための内部信号ＩＳ３を生成する。かくして、Ｌフレーム画像の表示の終了に対応して、右シャッタが開き、視聴者の右眼への透過光量が増大し始める。したがって、視聴者は、右眼でＬフレーム画像を視聴する。
【００９７】
第２コマンド信号ＣＳ２は、左シャッタを閉じることを表す制御内容を含む。したがって、図５に関連して説明された同期制御では、第２コマンド信号ＣＳの受信に対応して、左シャッタが閉じられる。しかしながら、図６に示される同期制御では、第２コマンド信号ＣＳ２は、第３コマンド信号ＣＳ３として識別されているため、左シャッタは、Ｌフレーム画像の表示の終了後も開き続ける。Ｌフレーム画像に後続するＲフレーム画像の表示の間も左シャッタは開いているので、視聴者は左眼でＲフレーム画像を視聴することとなる。
【００９８】
上述のノイズパルスＮＰに起因する光学シャッタ部の誤動作の結果、図６のセクション（Ｄ）に示される如く、視聴者の左眼への透過光量はＲフレーム画像の表示の間も高い値を保っている（即ち、左シャッタが開状態を保ち続ける）。また、図６のセクション（Ｅ）に示される如く、視聴者の右眼への透過光量は、Ｒフレーム画像の表示の前に増大し始める（即ち、右シャッタは、Ｒフレーム画像の表示前に開き始める）。このような眼鏡装置の動作は、表示装置と眼鏡装置との間の正常な同期制御が意図するものから逸脱している。この結果、視聴者は、表示装置が表示する映像を立体的に知覚しにくくなる。
【００９９】
＜表示装置と眼鏡装置との間で通信される同期信号の構成＞
本実施形態の原理は、図５及び図６に関連して説明されたようなノイズの影響を受けにくい同期信号を提供する。図５及び図６に関連して説明された表示装置と眼鏡装置との間の同期制御の原理は、同期信号の構成を除き、本実施形態の原理に適用される。
【０１００】
図５及び図６に関連して説明された如く、左シャッタを開くための第１コマンド信号ＣＳ１を１つのパルス信号を有する信号、左シャッタを閉じるための第２コマンド信号ＣＳ２を２つのパルス信号を有する信号、右シャッタを開くための第３コマンド信号ＣＳ３を３つのパルス信号を有する信号及び右シャッタを閉じるための第４コマンド信号ＣＳ４を４つのパルス信号を有する信号として識別する通信プロトコルの下では、同期信号にノイズが重畳されると、受信された信号が、本来のコマンド信号とは異なるコマンド信号として、潜在的に識別される。
【０１０１】
図７は、図５及び図６に関連して説明されたノイズの影響を受けにくいコマンド信号の構成を概略的に示す。図３乃至図７を用いて、同期信号の構成が説明される。
【０１０２】
コマンド信号ＣＳは、コマンド信号ＣＳの開始を通知する先頭パルス信号ＬＰと、コマンド信号ＣＳの終了を通知する終端パルス信号ＴＰとを含む。先頭パルス信号ＬＰ及び終端パルス信号ＴＰは、常に、「ＯＮ」の状態に設定される。また、先頭パルス信号ＬＰと終端パルス信号ＴＰとの間の時間間隔は、一定に設定される。図７中、先頭パルス信号ＬＰと終端パルス信号ＴＰとの間の時間間隔は、「ｔ１」で示されている。したがって、コマンド信号ＣＳは、固定長の信号として規定される。
【０１０３】
コマンド信号ＣＳは、先頭パルス信号ＬＰと終端パルス信号ＴＰとの間に現れる制御パルス信号ＣＰを更に含む。制御パルス信号ＣＰは、表示部２３０によるフレーム画像の表示に同期した同期制御の内容（例えば、左シャッタ３１１を開く動作、左シャッタ３１１を閉じる動作、右シャッタ３１２を開く動作や右シャッタ３１２を閉じる動作）を通知する信号である。本実施形態において、左シャッタ３１１を開く動作を光学シャッタ部３１０にさせる制御、左シャッタ３１１を閉じる動作を光学シャッタ部３１０にさせる制御、右シャッタ３１２を開く動作を光学シャッタ部３１０にさせる制御及び右シャッタ３１２を閉じる動作を光学シャッタ部３１０にさせる制御のうち１つは、フレーム画像の表示に同期した第１同期制御として例示される。また、左シャッタ３１１を開く動作を光学シャッタ部３１０にさせる制御、左シャッタ３１１を閉じる動作を光学シャッタ部３１０にさせる制御、右シャッタ３１２を開く動作を光学シャッタ部３１０にさせる制御及び右シャッタ３１２を閉じる動作を光学シャッタ部３１０にさせる制御のうち第１同期制御として例示された制御以外の制御は、第１同期制御とは異なる第２同期制御として例示される。
【０１０４】
眼鏡装置３００の解析部３３５は、先頭パルス信号ＬＰと終端パルス信号ＴＰとの間の制御パルス信号ＣＰの時間位置（タイミング）に基づいて、光学シャッタ部３１０にさせる制御内容を解析する。図７に示されるコマンド信号ＣＳは、先頭パルス信号ＬＰと終端パルス信号ＴＰとの間の制御パルス信号ＣＰに対して、一定の時間間隔で配列された５つの時間位置を用意している。図７において、５つの制御パルス信号ＣＰは、「ＯＦＦ」の状態で示されているが、表示装置２００の第１生成部２３６は、５つの時間位置のうち所定数の時間位置において、制御パルス信号ＣＰを、「ＯＮ」の状態に設定する。したがって、コマンド信号ＣＳは、一定数のパルス信号を含む。かくして、図７に示されるコマンド信号ＣＳは、７つのパルス信号の「ＯＮ」、「ＯＦＦ」で表現される。
【０１０５】
表示装置２００の第１生成部２３６は、制御パルス信号ＣＰの時間位置を変更し、異なる制御内容を眼鏡装置３００に伝達するためのコマンド信号ＣＳを生成することができる。図７において、先頭パルス信号ＬＰの直後に設定された第１時間位置ＰＯＳ１、第１時間位置ＰＯＳ１の直後に設定された第２時間位置ＰＯＳ２、先頭パルス信号ＬＰと終端パルス信号ＴＰの中間に設定された第３時間位置ＰＯＳ３、第３時間位置ＰＯＳ３の直後に設定された第４時間位置ＰＯＳ４及び終端パルス信号ＴＰの直前に設定された第５時間位置ＰＯＳ５が示されている。
【０１０６】
第１生成部２３６は、例えば、第１時間位置ＰＯＳ１及び第２時間位置ＰＯＳ２において、制御パルス信号ＣＰを「ＯＮ」に設定し、左シャッタ３１１を開くためのコマンド信号ＣＳを生成することができる。第１生成部２３６は、例えば、第１時間位置ＰＯＳ１及び第３時間位置ＰＯＳ３において、制御パルス信号ＣＰを「ＯＮ」に設定し、左シャッタ３１１を閉じるためのコマンド信号ＣＳを生成することができる。第１生成部２３６は、例えば、第４時間位置ＰＯＳ４及び第５時間位置ＰＯＳ５において、制御パルス信号ＣＰを「ＯＮ」に設定し、右シャッタ３１２を開くためのコマンド信号ＣＳを生成することができる。第１生成部２３６は、例えば、第３時間位置ＰＯＳ３及び第５時間位置ＰＯＳ５において、制御パルス信号ＣＰを「ＯＮ」に設定し、右シャッタ３１２を閉じるためのコマンド信号ＣＳを生成することができる。本実施形態において、左シャッタ３１１を開くためのコマンド信号ＣＳ、左シャッタ３１１を閉じるためのコマンド信号ＣＳ、右シャッタ３１２を開くためのコマンド信号ＣＳ及び右シャッタ３１２を閉じるためのコマンド信号ＣＳのうち１つは、第１コマンド信号として例示される。また、左シャッタ３１１を開くためのコマンド信号ＣＳ、左シャッタ３１１を閉じるためのコマンド信号ＣＳ、右シャッタ３１２を開くためのコマンド信号ＣＳ及び右シャッタ３１２を閉じるためのコマンド信号ＣＳのうち他の信号は、第２コマンド信号として例示される。
【０１０７】
第１時間位置ＰＯＳ１及び第２時間位置ＰＯＳ２において、制御パルス信号ＣＰが「ＯＮ」であるならば、眼鏡装置３００の解析部３３５は、例えば、左シャッタ３１１を開くための制御が実行されるタイミングを決定する。第１時間位置ＰＯＳ１及び第３時間位置ＰＯＳ３において、制御パルス信号ＣＰが「ＯＮ」であるならば、眼鏡装置３００の解析部３３５は、例えば、左シャッタ３１１を閉じるための制御が実行されるタイミングを決定する。第４時間位置ＰＯＳ４及び第５時間位置ＰＯＳ５において、制御パルス信号ＣＰが「ＯＮ」であるならば、眼鏡装置３００の解析部３３５は、例えば、右シャッタ３１２を開くための制御が実行されるタイミングを決定する。第３時間位置ＰＯＳ３及び第５時間位置ＰＯＳ５において、制御パルス信号ＣＰが「ＯＮ」であるならば、眼鏡装置３００の解析部３３５は、例えば、右シャッタ３１２を閉じるための制御が実行されるタイミングを決定する。
【０１０８】
上述の如く、先頭パルス信号ＬＰと終端パルス信号ＴＰとの間の時間間隔「ｔ１」は一定であるので、眼鏡装置３００の解析部３３５は、比較的短い時間内に受信部３３３が受信したパルス信号の群のうち最初に受信したパルス信号と最後に受信したパルス信号との間の時間間隔を測定し、測定された時間間隔が先頭パルス信号ＬＰと終端パルス信号ＴＰとの間の時間間隔「ｔ１」に等しい或いは近似しているならば、受信部３３３が受信したパルス信号の群がコマンド信号ＣＳであると判定することができる。比較的短い時間内に受信部３３３が受信したパルス信号の群のうち最初に受信したパルス信号と最後に受信したパルス信号との間の時間間隔が、先頭パルス信号ＬＰと終端パルス信号ＴＰとの間の時間間隔「ｔ１」よりも優位に長いとき或いは短いとき、解析部３３５は、受信部３３３が受信したパルス信号の群をノイズ信号或いはノイズに影響されたパルス信号として識別及び／又は処理する。
【０１０９】
上述の如く、先頭パルス信号ＬＰ及び終端パルス信号ＴＰは、常に、「ＯＮ」に設定される。したがって、眼鏡装置３００の受信部３３３が受信したパルス信号の群が正常なコマンド信号ＣＳであるならば、パルス信号の群のうち最初に受信したパルス信号と最後に受信したパルス信号との間の時間間隔は、先頭パルス信号ＬＰと終端パルス信号ＴＰとの間の時間間隔「ｔ１」に等しい或いは近似した値が測定される。かくして、解析部３３５は、受信部３３３が受信したパルス信号の群をノイズ信号であるか、正常なコマンド信号ＣＳであるかを正確に判定することができる。本実施形態において、解析部３３５は、パルス信号の立ち上がりエッジを基準に、パルス信号間の時間間隔を測定する。パルス信号の立ち上がりエッジを基準にパルス信号間の時間間隔を測定することで、表示装置２００の赤外線発光素子２１３と眼鏡装置３００との距離の変化や、赤外線発光素子２１３の発光する赤外線の強度によってパルス信号の幅が変化した場合でも、柔軟に対応することができるので、眼鏡装置３００内部の処理等を簡略化できる可能性がある。
【０１１０】
また、パルス信号の立ち上がりエッジを基準とする以外に、先行するパルス信号の立ち上がりエッジから後のパルス信号の立ち下がりエッジまでの時間間隔、やパルス信号の立ち上がりエッジと立ち下がりエッジ間の時間間隔、を基準に、受信部３３３が受信したパルス信号の群がコマンド信号ＣＳであるか否かを判定してもよい。これにより、時間間隔が所定の範囲に入っていないパルス信号を検出することが可能になり、ノイズの検出が容易になる。
【０１１１】
図７には、コマンド信号ＣＳとして、先行して送信される先行コマンド信号及び先行コマンド信号に後続する後続コマンド信号が示されている。表示装置２００の送信部２３３は、コマンド信号ＣＳを間欠式に送信する。したがって、先行コマンド信号と後続コマンド信号との間には、パルス信号が送信されない無送信期間「ｔ２」が設定される。
【０１１２】
本実施形態において、無送信期間「ｔ２」は、先頭パルス信号ＬＰと終端パルス信号ＴＰとの間の時間間隔「ｔ１」よりも長く設定される。受信部３３３がパルス信号を受信してから、先頭パルス信号ＬＰと終端パルス信号ＴＰとの間の時間間隔「ｔ１」よりも長い期間、パルス信号を受信しないならば、眼鏡装置３００の解析部３３５は、最新のパルス信号が先行コマンド信号の終端パルス信号ＴＰであることを識別することができる。また、受信部３３３がパルス信号を受信してから、先頭パルス信号ＬＰと終端パルス信号ＴＰとの間の時間間隔「ｔ１」よりも長い期間、パルス信号を受信しないならば、その後に受信されたパルス信号を後続パルス信号の先頭パルス信号ＬＰとして識別することができる。
【０１１３】
代替的に、表示装置の送信部は、コマンド信号ＣＳ内のパルス信号の時間間隔（例えば、先頭パルス信号ＬＰと制御パルス信号ＣＰとの時間間隔や制御パルス信号ＣＰと終端パルス信号ＴＰとの時間間隔）と、無送信期間「ｔ２」の長さとが異なるように、先行コマンド信号と後続コマンド信号とを間欠式に送信してもよい。
【０１１４】
表示装置２００の第１生成部２３６は、好ましくは、制御パルス信号ＣＰに対して割り当てられた時間位置ＰＯＳ１乃至ＰＯＳ５全てにおいて、制御パルス信号ＣＰを「ＯＮ」に設定せず、時間位置ＰＯＳ１乃至ＰＯＳ５の一部において制御パルス信号ＣＰを「ＯＮ」に設定する。
【０１１５】
表示装置２００の第１生成部２３６は、上述の如く、５つの時間位置ＰＯＳ１乃至ＰＯＳ５のうち２つの時間位置において、制御パルス信号ＣＰを「ＯＮ」に設定し、残りの３つの時間位置において、制御パルス信号ＣＰを「ＯＦＦ」に設定してもよい。上述の如く、コマンド信号ＣＳは、固定長に設定される。表示装置２００が眼鏡装置３００に伝達する制御内容に拘わらず、固定長のコマンド信号ＣＳは、一定数（例えば、４つ）のパルス信号を含む。
【０１１６】
コマンド信号ＣＳは、一定数のパルス信号を含む信号として規定されるので、眼鏡装置３００の解析部３３５は、コマンド信号ＣＳが含むパルス信号の数に基づいて、受信部３３３が受信したパルス信号の群が光学シャッタ部３１０の制御に用いられるコマンド信号ＣＳであるか否かを判定することができる。
【０１１７】
例えば、先頭パルス信号ＬＰとして識別されたパルス信号と終端パルス信号ＴＰとして識別されたパルス信号との間に、パルス信号が存在しないとき、或いは、先頭パルス信号ＬＰとして識別されたパルス信号と終端パルス信号ＴＰとして識別されたパルス信号との間に、５つのパルス信号が存在するとき、解析部３３５は、受信部３３３が受信したパルス信号の群をコマンド信号ＣＳとして識別しない。
【０１１８】
また、コマンド信号ＣＳ中に含まれるパルス信号が４つに規定されている場合、且つ、受信部３３３が受信したパルス信号の群が、３、５或いは６のパルス信号を含むならば、解析部３３５は、受信部３３３が受信したパルス信号の群をコマンド信号ＣＳとして識別しない。
【０１１９】
コマンド信号ＣＳ中に含まれるパルス信号の数に対する設定値と、受信部３３３が受信したパルス信号の群が含むパルス信号の数とが一致しないならば、解析部３３５は、受信部３３３が受信したパルス信号の群をコマンド信号ＣＳとして扱わないので、図５及び図６に関連して説明されたノイズの重畳に起因するコマンド信号の誤認識はほとんど生じない。本実施形態において、表示装置２００から眼鏡装置３００に送信されるコマンド信号ＣＳは、好ましくは、眼鏡装置３００に伝達される制御情報に拘わらず、一定数のパルス信号を含む。
【０１２０】
光学シャッタ部３１０の誤動作は、映像の視聴に直接的な影響を与えるので、眼鏡装置３００の左シャッタ３１１及び右シャッタ３１２を開閉させる制御に用いられるコマンド信号ＣＳが含むパルス信号の数が一定に設定されることが特に好ましい。
【０１２１】
上述の如く、制御パルス信号ＣＰに対して、一定の時間間隔で配列された５つの時間位置が設定される。したがって、眼鏡装置３００の解析部３３５は、設定された時間位置以外の位置に現れた信号（例えば、先頭パルス信号ＬＰと第１時間位置ＰＯＳ１との間に現れたパルス信号、第１時間位置ＰＯＳ１と第２時間位置ＰＯＳ２との間に現れたパルス信号、第２時間位置ＰＯＳ２と第３時間位置ＰＯＳ３との間に現れたパルス信号、第３時間位置ＰＯＳ３と第４時間位置ＰＯＳ４との間に現れたパルス信号、第４時間位置ＰＯＳ４と第５時間位置ＰＯＳ５との間に現れたパルス信号や第５時間位置ＰＯＳ５と終端パルス信号ＴＰとの間に現れたパルス信号）をノイズ信号として識別することができる。
【０１２２】
表示装置２００の表示部２３０が表示するＬフレーム画像及びＲフレーム画像の表示周期は、典型的には、一定である。したがって、送信部２３３が送信するコマンド信号ＣＳ（左シャッタ３１１を開くためのコマンド信号ＣＳ、左シャッタ３１１を閉じるためのコマンド信号ＣＳ、右シャッタ３１２を開くためのコマンド信号ＣＳ及び右シャッタ３１２を閉じるためのコマンド信号ＣＳ）の送信周期は、略一定である。
【０１２３】
眼鏡装置３００の解析部３３５は、コマンド信号ＣＳの受信周期に基づいて、受信部３３３が受信したパルス信号の群が、光学シャッタ部３１０の制御に用いられるコマンド信号ＣＳであるか否かを識別してもよい。受信部３３３が左シャッタ３１１を開く或いは閉じるためのコマンド信号ＣＳとして識別可能なパルス信号の群を、Ｌフレーム画像の表示周期の整数倍の値から逸脱したタイミングで受信するならば、解析部３３５は受信部３３３が受信したパルス信号の群をコマンド信号ＣＳとして扱わない。受信部３３３が右シャッタ３１２を開く或いは閉じるためのコマンド信号ＣＳとして識別可能なパルス信号の群を、Ｒフレーム画像の表示周期の整数倍の値から逸脱したタイミングで受信するならば、解析部３３５は受信部３３３が受信したパルス信号の群をコマンド信号ＣＳとして扱わない。これにより、眼鏡装置３００は、ノイズ等によりコマンド信号ＣＳに類似したパルス信号の群を受信したとしても、前後の同一コマンドとの受信間隔から、当該信号の群をノイズとして除去することが可能となる。
【０１２４】
本実施形態において、パルス信号は、矩形波形を有する。代替的に、他の形状のパルス信号が用いられてもよい。パルス信号の幅が短くなるにつれて、眼鏡装置３００の受信部３３３は、パルス信号を検出しにくくなるので（例えば、パルス信号がインパルス形状の波形であるとき）、パルス信号の幅は、好ましくは、受信部３３３がパルス信号を識別するのに十分な大きさの値に設定される。
【０１２５】
図８は、図７に関連して説明されたコマンド信号ＣＳ中におけるパルス信号の「ＯＮ」・「ＯＦＦ」の組み合わせを示す。図３、図４、図７及び図８を用いて、コマンド信号が説明される。
【０１２６】
図８に示される様々なパルス信号のパターンを備えるコマンド信号ＣＳは、表示装置２００と眼鏡装置３００との間の通信に好適に用いられる。図８に示されるコマンド信号ＣＳは、コマンド信号ＣＳの開始を表す先頭パルス信号ＬＰと、コマンド信号ＣＳの終了を表す終端パルス信号ＴＰと、先頭パルス信号ＬＰと終端パルス信号ＴＰとの間の制御パルス信号ＣＰと、を含む。先頭パルス信号ＬＰ及び終端パルス信号ＴＰは、全てのパターンのコマンド信号に亘って、「ＯＮ」状態に設定される。
【０１２７】
先頭パルス信号ＬＰと終端パルス信号ＴＰとの間には、制御パルス信号ＣＰに対して割り当てられた５つの時間位置が用意される。５つの時間位置は、先頭パルス信号ＬＰと終端パルス信号ＴＰとの間で時間的に等間隔に設定される。全てのパターンのコマンド信号ＣＳに亘って、５つの時間位置のうち２つの時間位置に対して、制御パルス信号ＣＰは、「ＯＮ」状態に設定され、他の時間位置に対して、制御パルス信号ＣＰは、「ＯＦＦ」状態に設定される。
【０１２８】
５つの時間位置のうち２つの時間位置において、制御パルス信号ＣＰが「ＯＮ」となる組み合わせは、１０通り存在する。したがって、図８に示されるコマンド信号ＣＳの構成に従うと、１０パターンのコマンド信号ＣＳが生成される。１０パターンのコマンド信号ＣＳは、図７に関連して説明されたコマンド信号ＣＳの生成条件に従うので、眼鏡装置３００の解析部３３５は、受信部３３３が適切に受信したコマンド信号ＣＳであるか否かを正確に判定することができる。かくして、図８に示されるコマンド信号ＣＳの通信下において、ノイズに起因する眼鏡装置３００の誤動作の可能性が低減される。
【０１２９】
図８に示される１０パターンのコマンド信号ＣＳは、合計で、４つのパルス信号（先頭パルス信号ＬＰ（１パルス信号）、制御パルス信号ＣＰ（２パルス信号）、終端パルス信号ＴＰ（１パルス信号））を含む。コマンド信号ＣＳに含まれるパルス信号の総数は、３であってもよく、或いは、４より大きい数であってもよい。
【０１３０】
図９は、図７に関連して説明されたコマンド信号ＣＳ中におけるパルス信号の「ＯＮ」・「ＯＦＦ」の他の組み合わせを示す。図３、図４、図７及び図９を用いて、コマンド信号が説明される。
【０１３１】
図９に示されるコマンド信号ＣＳは、コマンド信号ＣＳの開始を表す先頭パルス信号ＬＰと、コマンド信号ＣＳの終了を表す終端パルス信号ＴＰと、先頭パルス信号ＬＰと終端パルス信号ＴＰとの間の制御パルス信号ＣＰと、を含む。先頭パルス信号ＬＰ及び終端パルス信号ＴＰは、全てのパターンのコマンド信号に亘って、「ＯＮ」状態に設定される。
【０１３２】
先頭パルス信号ＬＰと終端パルス信号ＴＰとの間には、制御パルス信号ＣＰに対して割り当てられた５つの時間位置が用意される。５つの時間位置は、先頭パルス信号ＬＰと終端パルス信号ＴＰとの間で時間的に等間隔に設定される。全てのパターンのコマンド信号ＣＳに亘って、５つの時間位置のうち３つの時間位置に対して、制御パルス信号ＣＰは、「ＯＮ」状態に設定され、他の時間位置に対して、制御パルス信号ＣＰは、「ＯＦＦ」状態に設定される。
【０１３３】
５つの時間位置のうち３つの時間位置において、制御パルス信号ＣＰが「ＯＮ」となる組み合わせは、１０通り存在する。したがって、図９に示されるコマンド信号ＣＳの構成に従うと、１０パターンのコマンド信号ＣＳが生成される。１０パターンのコマンド信号ＣＳは、図７に関連して説明されたコマンド信号ＣＳの生成条件に従うので、眼鏡装置３００の解析部３３５は、受信部３３３が適切に受信したコマンド信号ＣＳであるか否かを正確に判定することができる。かくして、図９に示されるコマンド信号ＣＳの通信下において、ノイズに起因する眼鏡装置３００の誤動作の可能性が低減される。
【０１３４】
図９に示される１０パターンのコマンド信号ＣＳは、合計で、５つのパルス信号（先頭パルス信号ＬＰ（１パルス信号）、制御パルス信号ＣＰ（３パルス信号）、終端パルス信号ＴＰ（１パルス信号））を含む。
【０１３５】
図８及び図９にそれぞれ示された１０パターンのコマンド信号ＣＳのうち、例えば、４パターンのコマンド信号ＣＳは、光学シャッタ部３１０の開閉動作に対する制御情報を伝達するために用いられ、６パターンのコマンド信号ＣＳは、表示装置２００から眼鏡装置３００へ他の情報を伝達するために用いられてもよい。表示装置２００から眼鏡装置３００へ伝達すべき情報の種類が少ないならば、制御パルス信号ＣＰに対して割り当てられる時間位置の数は、５より小さく設定されてもよい。表示装置２００から眼鏡装置３００へ伝達すべき情報の種類が多いならば、制御パルス信号ＣＰに対して割り当てられる時間位置の数は、５より大きく設定されてもよい。
【０１３６】
図１０は、図７に関連して説明されたコマンド信号ＣＳ中におけるパルス信号の「ＯＮ」・「ＯＦＦ」の他の組み合わせを示す。図３、図４、図７及び図１０を用いて、コマンド信号が説明される。
【０１３７】
図１０に示されるコマンド信号ＣＳは、コマンド信号ＣＳの開始を表す先頭パルス信号ＬＰと、コマンド信号ＣＳの終了を表す終端パルス信号ＴＰと、先頭パルス信号ＬＰと終端パルス信号ＴＰとの間の制御パルス信号ＣＰと、を含む。先頭パルス信号ＬＰ及び終端パルス信号ＴＰは、全てのパターンのコマンド信号に亘って、「ＯＮ」状態に設定される。
【０１３８】
先頭パルス信号ＬＰと終端パルス信号ＴＰとの間には、制御パルス信号ＣＰに対して割り当てられた４つの時間位置が用意される。４つの時間位置は、先頭パルス信号ＬＰと終端パルス信号ＴＰとの間で時間的に等間隔に設定される。全てのパターンのコマンド信号ＣＳに亘って、４つの時間位置のうち２つの時間位置に対して、制御パルス信号ＣＰは、「ＯＮ」状態に設定され、他の時間位置に対して、制御パルス信号ＣＰは、「ＯＦＦ」状態に設定される。
【０１３９】
４つの時間位置のうち２つの時間位置において、制御パルス信号ＣＰが「ＯＮ」となる組み合わせは、６通り存在する。したがって、図１０に示されるコマンド信号ＣＳの構成に従うと、６パターンのコマンド信号ＣＳが生成される。６パターンのコマンド信号ＣＳは、図７に関連して説明されたコマンド信号ＣＳの生成条件に従うので、眼鏡装置３００の解析部３３５は、受信部３３３が適切に受信したコマンド信号ＣＳであるか否かを正確に判定することができる。かくして、図１０に示されるコマンド信号ＣＳの通信下において、ノイズに起因する眼鏡装置３００の誤動作の可能性が低減される。
【０１４０】
図１０に示される６パターンのコマンド信号ＣＳは、合計で、４つのパルス信号（先頭パルス信号ＬＰ（１パルス信号）、制御パルス信号ＣＰ（２パルス信号）、終端パルス信号ＴＰ（１パルス信号））を含む。
【０１４１】
図１１は、図７に関連して説明されたコマンド信号ＣＳ中におけるパルス信号の「ＯＮ」・「ＯＦＦ」の他の組み合わせを示す。図３、図４、図７及び図１１を用いて、コマンド信号が説明される。
【０１４２】
図１１に示されるコマンド信号ＣＳは、コマンド信号ＣＳの開始を表す先頭パルス信号ＬＰと、コマンド信号ＣＳの終了を表す終端パルス信号ＴＰと、先頭パルス信号ＬＰと終端パルス信号ＴＰとの間の制御パルス信号ＣＰと、を含む。先頭パルス信号ＬＰ及び終端パルス信号ＴＰは、全てのパターンのコマンド信号に亘って、「ＯＮ」状態に設定される。
【０１４３】
先頭パルス信号ＬＰと終端パルス信号ＴＰとの間には、制御パルス信号ＣＰに対して割り当てられた４つの時間位置が用意される。４つの時間位置は、先頭パルス信号ＬＰと終端パルス信号ＴＰとの間で時間的に等間隔に設定される。全てのパターンのコマンド信号ＣＳに亘って、４つの時間位置のうち３つの時間位置に対して、制御パルス信号ＣＰは、「ＯＮ」状態に設定され、他の時間位置に対して、制御パルス信号ＣＰは、「ＯＦＦ」状態に設定される。
【０１４４】
４つの時間位置のうち３つの時間位置において、制御パルス信号ＣＰが「ＯＮ」となる組み合わせは、４通り存在する。したがって、図１１に示されるコマンド信号ＣＳの構成に従うと、４パターンのコマンド信号ＣＳが生成される。４パターンのコマンド信号ＣＳは、図７に関連して説明されたコマンド信号ＣＳの生成条件に従うので、眼鏡装置３００の解析部３３５は、受信部３３３が適切に受信したコマンド信号ＣＳであるか否かを正確に判定することができる。かくして、図１１に示されるコマンド信号ＣＳの通信下において、ノイズに起因する眼鏡装置３００の誤動作の可能性が低減される。
【０１４５】
図１１に示される４パターンのコマンド信号ＣＳは、合計で、５つのパルス信号（先頭パルス信号ＬＰ（１パルス信号）、制御パルス信号ＣＰ（３パルス信号）、終端パルス信号ＴＰ（１パルス信号））を含む。
【０１４６】
図８乃至図１１に示される如く、コマンド信号ＣＳのパターン数は、制御パルス信号ＣＰに対して割り当てられる時間位置の数と、時間位置の数に対して「ＯＮ」状態に設定される制御パルス信号ＣＰの割合とに依存する。したがって、表示装置２００から眼鏡装置３００へ伝達される情報の種類の数に応じて、制御パルス信号ＣＰに対して割り当てられる時間位置の数及び制御パルス信号ＣＰの数は、適切に定められる。
【０１４７】
図８乃至図１１に関連して説明されたコマンド信号ＣＳは、以下の条件を満たす。
【０１４８】
（１）コマンド信号ＣＳが含むパルス信号の総数は一定である。
【０１４９】
（２）コマンド信号ＣＳの開始を表す先頭パルス信号ＬＰとコマンド信号ＣＳの終了を表す終端パルス信号ＴＰとの時間間隔は一定である。
【０１５０】
（３）先頭パルス信号ＬＰ及び終端パルス信号ＴＰは、常に、「ＯＮ」状態に設定される。
【０１５１】
（４）先頭パルス信号ＬＰと終端パルス信号ＴＰとの間で時間的に等間隔に設定された時間位置に対して、一定数の制御パルス信号ＣＰが「ＯＮ」状態に設定される。
【０１５２】
上述の条件を満たすコマンド信号ＣＳのみを用いて、表示装置２００と眼鏡装置３００との間の通信が行われるならば、ノイズの混入をより正確に検出することができるため、眼鏡装置３００の左シャッタ３１１及び右シャッタ３１２の開閉に対する制御は適切に行われる。
【０１５３】
＜受信されたパルス信号群に対する判定処理＞
図１２は、眼鏡装置３００の受信部３３３が受信したパルス信号群に対する判定処理を概略的に示すフローチャートである。図１３は、眼鏡装置３００の受信部３３３が受信したパルス信号群を概略的に示すタイミングチャートである。図３、図４、図７乃至図９、図１２及び図１３を用いて、パルス信号群に対する判定処理が説明される。
【０１５４】
図１２に示される判定処理は、眼鏡装置３００の解析部３３５によって、主に実行される。受信部３３３がパルス信号群を受信すると、解析部３３５は、信号検出部３３４を介して、パルス信号群に対応する電気信号を受ける。解析部３３５は、その後、受信部３３３が受信したパルス信号群が、正常なコマンド信号ＣＳであるか否かを判定する。
【０１５５】
（ステップＳ１１０）
解析部３３５は、受信部３３３が受信したパルス信号群のうち最初のパルス信号と最後のパルス信号とを検出する。図７に関連して説明された如く、表示装置２００と眼鏡装置３００との間の通信プロトコルにおいて、先頭パルス信号ＬＰと終端パルス信号ＴＰとの間の時間間隔として規定された「ｔ１」より長い無送信期間「ｔ２」が設定されているならば、解析部３３５は、「ｔ１」を超えるパルス信号の不受信期間の後に受信されたパルス信号をパルス信号群中の最初のパルス信号として判定することができる。また、パルス信号を受信してから、「ｔ１」を超える期間、パルス信号を受信しないならば、解析部３３５は、最新のパルス信号をパルス信号群の最後のパルス信号として判定することができる。パルス信号の受信の有無は、例えば、パルス信号の立ち上がりエッジの検出によって判定される。
【０１５６】
図１３に示される如く、受信部３３３が、「ｔ１」を超える不受信期間の後、パルス信号Ｐ１を受信するならば、解析部３３５は、パルス信号Ｐ１を最初のパルス信号として識別する。また、受信部３３３がパルス信号Ｐ４を受信した後、「ｔ１」を超える期間、パルス信号を受信しないならば、解析部３３５は、パルス信号Ｐ４を最後のパルス信号として識別する。このように、解析部３３５は、不受信期間を経過したことを検出することによって受信パルスの解析処理を行うことになる。その結果、毎パルス信号受信ごとに、解析処理を行う必要がなくなるため、マイコン処理時間を削減することができ、電池（図示せず）消費を抑制することが可能になる。また、本発明で開示しているパルス信号からなるコマンドは、図７に示すルールに従い、コマンドを構成するパルス信号群の長さがただ１つに決まっていることから、パルス信号列の切れ目を判定するｔ１も１種類を考慮すればよく、マイコンの処理を簡略化できるとともに、ノイズの混入によるコマンドの誤判断の可能性も減らすことができる。
【０１５７】
最初のパルス信号及び最後のパルス信号が検出されると、解析部３３５は、ステップＳ１２０を実行する。単数のパルス信号しか検出されないならば、解析部３３５は、エラー処理のためのステップＳ１６０を実行する。或いは、所定期間以上、パルス信号が受信されないとき及び／又は所定期間以上、パルス信号が受信され続けるときも、解析部３３５は、エラー処理のためのステップＳ１６０を実行してもよい。
【０１５８】
（ステップＳ１２０）
解析部３３５は、最初のパルス信号Ｐ１の受信時刻から最後のパルス信号Ｐ４までの受信時刻までの時間長さを測定する。パルス信号Ｐ１，Ｐ４の受信時刻は、例えば、パルス信号Ｐ１，Ｐ４の立ち上がりエッジを基準に定められてもよい。解析部３３５は、最初のパルス信号Ｐ１の立ち上がりエッジから最後のパルス信号Ｐ４の立ち上がりエッジまでの時間長さＭＴを測定する。その後、解析部３３５は、表示装置２００と眼鏡装置３００との通信プロトコルで定められた先頭パルス信号ＬＰと終端パルス信号ＴＰとの間の時間間隔と、測定された時間長さＭＴとを比較する。
【０１５９】
測定された時間長さＭＴが先頭パルス信号ＬＰと終端パルス信号ＴＰとの間の時間間隔に一致或いは近似しているならば、解析部３３５は、その後、ステップＳ１３０を実行する。測定された時間長さＭＴが先頭パルス信号ＬＰと終端パルス信号ＴＰとの間の時間間隔から逸脱しているならば、解析部３３５は、受信部３３３が受信したパルス信号が正常なコマンド信号ＣＳではないと判定する。解析部３３５は、その後、エラー処理のためのステップＳ１６０を実行する。
【０１６０】
（ステップＳ１３０）
解析部３３５は、最初のパルス信号Ｐ１と最後のパルス信号Ｐ４との間に存在するパルス信号の数を測定する。解析部３３５は、最初のパルス信号Ｐ１と最後のパルス信号Ｐ４との間のパルス信号を、立ち上がりエッジを基準に検出してもよい。
【０１６１】
表示装置２００と眼鏡装置３００との間の通信プロトコルにおいて、例えば、図８に関連して説明されたように２つの制御パルス信号ＣＰが「ＯＮ」状態に設定されているならば、解析部３３５が適切な時間位置において、パルス信号Ｐ２，Ｐ３を識別すると、解析部３３５は、受信部３３３が受信したパルス信号群が通信プロトコルに規定されたコマンド信号ＣＳであると判定する。表示装置２００と眼鏡装置３００との間の通信プロトコルにおいて、例えば、図９に関連して説明されたように３つの制御パルス信号ＣＰが「ＯＮ」状態に設定されているならば、解析部３３５が最初のパルス信号Ｐ１と最後のパルス信号Ｐ４との間においてパルス信号Ｐ２，Ｐ３のみを識別すると、受信部３３３が受信したパルス信号群が通信プロトコルに規定されたコマンド信号ＣＳではないと判定する。
【０１６２】
解析部３３５は、最初のパルス信号Ｐ１の立ち上がりエッジの時刻とパルス信号Ｐ２の立ち上がりエッジの時刻との間の時間間隔を測定し、パルス信号Ｐ２が、表示装置２００と眼鏡装置３００との間の通信プロトコルにおいて規定された制御パルス信号ＣＰの時間位置に対応しているか否かを判定してもよい。同様に、解析部３３５は、最初のパルス信号Ｐ１の立ち上がりエッジの時刻とパルス信号Ｐ３の立ち上がりエッジの時刻との間の時間間隔を測定し、パルス信号Ｐ３が、表示装置２００と眼鏡装置３００との間の通信プロトコルにおいて規定された制御パルス信号ＣＰの時間位置に対応しているか否かを判定してもよい。
【０１６３】
表示装置２００と眼鏡装置３００との間の通信プロトコルにおいて、例えば、図８に関連して説明されたように２つの制御パルス信号ＣＰが「ＯＮ」状態に設定され、且つ、パルス信号Ｐ２，Ｐ３が通信プロトコルに規定された制御パルス信号ＣＰの時間位置に対応しているならば、解析部３３５は、受信部３３３が受信したパルス信号群が通信プロトコルに規定されたコマンド信号ＣＳであると判定する。パルス信号Ｐ２，Ｐ３のうち少なくとも一方が、通信プロトコルに規定された制御パルス信号ＣＰの時間位置に対応していないならば、解析部３３５は、受信部３３３が受信したパルス信号群が通信プロトコルに規定されたコマンド信号ＣＳではないと判定する。また、上記のようにすることで、所定のタイミングとは異なるタイミングで受信したパルス信号を検出し、ノイズの混入したコマンドを検出・除外することができる。
【０１６４】
受信部３３３が受信したパルス信号群が通信プロトコルに規定されたコマンド信号ＣＳであると判定した解析部３３５は、その後、ステップＳ１４０を実行する。受信部３３３が受信したパルス信号群が通信プロトコルに規定されたコマンド信号ＣＳでないと判定した解析部３３５は、その後、エラー処理のためのステップＳ１６０を実行する。
【０１６５】
（ステップＳ１４０）
解析部３３５は、最初のパルス信号Ｐ１と最後のパルス信号Ｐ４との間に現れる中間パルス信号（パルス信号Ｐ２，Ｐ３）の時間位置を測定する。測定の結果、中間パルス信号が所定のタイミングで受信されていると判定した解析部３３５は、その後、ステップＳ１５０を実行する。中間パルス信号が所定のタイミングで受信されていないとき、解析部３３５は、その後、エラー処理のためのステップＳ１６０を実行する。ステップＳ１４０及びステップＳ１３０の処理は平行して行われてもよい。例えば、中間パルス信号の時間位置の測定と同時に、中間パルス信号の数を判定してもよい。例えば、解析部３３５が、最初のパルス信号Ｐ１と最後のパルス信号Ｐ４との間に現れるパルス信号の立ち上がりエッジの時刻を測定し、中間パルス信号のタイミングを判定するならば、解析部３３５は、最初のパルス信号Ｐ１と最後のパルス信号Ｐ４との間に現れるパルス信号の立ち上がりエッジの数を同時にカウントすることができる。
【０１６６】
（ステップＳ１５０）
解析部３３５は、コマンド信号ＣＳとして判定されたパルス信号群に基づき、同期情報（パルス信号群の受信時刻やパルス信号Ｐ２，Ｐ３に対応する制御パルス信号ＣＰによって規定される制御内容）を記憶部３３６に記録する。第２生成部３３７は、記憶部３３６に記録された同期情報に基づき、内部信号を生成する。シャッタ制御部３３８は、内部信号に基づき、光学シャッタ部３１０を制御する。
【０１６７】
（ステップＳ１６０）
受信部３３３が受信したパルス信号群がコマンド信号ＣＳではないと判定した解析部３３５は、エラー処理を実行する。例えば、解析部３３５は、受信部３３３が受信したパルス信号群を無視する処理を実行する。或いは、解析部３３５は、受信部３３３が受信したパルス信号群を更に解析し、パルス信号群に含まれるノイズパルス信号の識別及び除去処理を行ってもよい。
【０１６８】
図１２に示される判定処理を通じて、解析部３３５は、受信部３３３が受信したパルス信号群が通信プロトコルに規定されたコマンド信号ＣＳに対応するか否かを適切に判定することができる。シャッタ制御部３３８は、正常に受信されたコマンド信号ＣＳにのみ基づき、光学シャッタ部３１０を制御するので、光学シャッタ部３１０の誤動作は、従来技術と比較して、低減される。
【０１６９】
尚、図１２に示される判定処理以外の処理を通じて、解析部３３５は、受信部３３３が受信したパルス信号群がコマンド信号ＣＳであるか否かを判定してもよい。例えば、解析部３３５は、ステップＳ１１０において、パルス信号群の開始及び終了を判定した後、パルス信号群に含まれるパルス信号の数（「ＯＮ」状態のパルス信号の総数）に基づいて、受信部３３３が受信したパルス信号群がコマンド信号ＣＳに該当するか否かを判定してもよい。
【０１７０】
追加的に、解析部３３５は、ステップＳ１３０の後に、コマンド信号ＣＳであると判定された先行するパルス信号群の受信周期との比較を通じて、受信部３３３が受信したパルス信号群が過去の受信データと照らし合わせて適切な受信周期で受信されているか否かを判定してもよい。過去の受信データと照らし合わせて不適切なタイミングで受信部３３３がパルス信号群を受信しているならば、解析部３３５は、受信部３３３が受信したパルス信号にステップＳ１６０のエラー処理を施与してもよい。過去の受信データと照らし合わせて適切なタイミングで受信部３３３がパルス信号群を受信しているならば、解析部３３５は、ステップＳ１５０を実行してもよい。
【０１７１】
本実施形態の原理に従う表示装置２００、眼鏡装置３００及びこれらを備える映像システム１００は、ノイズに起因する誤動作が低減された映像の視聴環境をもたらすことができる。上述の本実施形態の原理は、図２乃至図４に関連して説明された構成に基づき説明されているが、本実施形態の原理に従う他の構成が表示装置、眼鏡装置及び映像システムに用いられてもよい。例えば、眼鏡装置に組み込まれたソフトウェアが、上述された様々な機能や処理を実行してもよい。或いは、上述の制御アルゴリズムが実装された集積回路が、表示装置２００、眼鏡装置３００及びこれらを備える映像システム１００に用いられてもよい。
【０１７２】
なお、上述の実施の形態の説明では、立体映像を視聴する場合に表示装置２００から眼鏡装置３００に送信される同期信号がノイズの影響を受ける場合を例に説明した。しかし、本実施の形態の説明はこれに限定するものではない。例えば、表示装置が立体映像装置の代わりに複数コンテンツの映像を時間的に交互に表示し、眼鏡装置が選択されたコンテンツの映像が表示されている場合に、両眼のシャッターを開状態とし、他の場合には閉状態とすることで、１つの映像システム１００において、同時に複数のコンテンツを視聴することが可能となる場合がある。このような場合においても、上述の実施の形態の説明と同様に、表示装置２００から眼鏡装置３００へ送信される同期信号を構成することで、ノイズ等の影響に比較的強い映像システムを構築することができる。
【０１７３】
上述された実施形態は、以下の構成を主に備える。
【０１７４】
上述の実施形態の表示装置は、映像を表示する表示部と、前記映像のフレーム画像の表示に同期したコマンド信号を含む同期信号を生成する生成部と、前記同期信号を送信する送信部と、を備え、前記コマンド信号は、一定数のパルス信号を含み、該コマンド信号は、前記コマンド信号の開始を通知する先頭パルス信号と、前記コマンド信号の終了を通知する終端パルス信号と、前記フレーム画像の表示に同期した同期制御の内容を通知する制御パルス信号と、を含むことを特徴とする。
【０１７５】
上記構成によれば、生成部は、表示部が表示する映像のフレーム画像の表示に同期した同期信号を生成する。送信部が送信する同期信号は、映像のフレーム画像の表示に同期したコマンド信号を含む。コマンド信号は、コマンド信号の開始を通知する先頭パルス信号と、コマンド信号の終了を通知する終端パルス信号と、フレーム画像の表示に同期した同期制御の内容を通知する制御パルス信号と、を含む。コマンド信号が含むパルス信号は、一定数であるので、同期信号に含まれたノイズ信号は容易に識別される。
【０１７６】
上記構成において、前記同期制御は、第１同期制御と、該第１同期制御とは異なる第２同期制御と、を含み、前記コマンド信号は、前記第１同期制御の内容を通知するための前記第１コマンド信号と、前記第２同期制御の内容を通知するための前記第２コマンド信号と、を含み、前記生成部は、前記先頭パルス信号と前記終端パルス信号との間の前記制御パルス信号の時間位置を変更し、前記第１コマンド信号と前記第２コマンド信号と、を生成することが好ましい。
【０１７７】
上記構成によれば、同期制御は、第１同期制御と、第１同期制御とは異なる第２同期制御と、を含む。コマンド信号は、第１同期制御の内容を通知するための第１コマンド信号と、第２同期制御の内容を通知するための第２コマンド信号と、を含む。生成部は、先頭パルス信号と終端パルス信号との間の制御パルス信号の時間位置を変更し、第１コマンド信号と第２コマンド信号と、を生成する。上述の如く、同期信号に含まれたノイズ信号は容易に識別されるので、第１同期制御及び第２同期制御は、適切に通知される。
【０１７８】
上記構成において、前記先頭パルス信号及び前記終端パルス信号との間の送信間隔は、一定に定められ、前記コマンド信号は、先行して送信される先行コマンド信号と、該先行コマンド信号に後続する後続コマンド信号と、を含み、前記送信部は、前記先行コマンド信号の前記終端パルス信号と前記後続コマンド信号の前記先頭パルス信号との間の時間間隔が、前記コマンド信号内の前記パルス信号の時間間隔と異なるように前記先行コマンド信号と前記後続コマンド信号とを間欠式に送信することが好ましい。
【０１７９】
上記構成によれば、コマンド信号は、先行して送信される先行コマンド信号と、先行コマンド信号に後続する後続コマンド信号と、を含む。先頭パルス信号及び終端パルス信号との間の送信間隔は、一定に定められる。送信部は、先行コマンド信号の終端パルス信号と後続コマンド信号の先頭パルス信号との間の時間間隔が、コマンド信号内のパルス信号の時間間隔と異なるように先行コマンド信号と後続コマンド信号とを間欠式に送信するので、先行コマンド信号の終端パルス信号及び／又は後続コマンド信号の先頭パルス信号が識別されやすくなる。
【０１８０】
上記構成において、前記送信部は、前記先行コマンド信号の前記終端パルス信号と前記後続コマンド信号の前記先頭パルス信号との間の時間間隔が、前記先頭パルス信号及び前記終端パルス信号との間の送信間隔より長くなるように、前記先行コマンド信号と前記後続コマンド信号とを送信することが好ましい。
【０１８１】
上記構成によれば、送信部は、先行コマンド信号の終端パルス信号と後続コマンド信号の先頭パルス信号との間の時間間隔が、先頭パルス信号及び終端パルス信号との間の送信間隔より長くなるように、先行コマンド信号と後続コマンド信号とを送信するので、先行コマンド信号の終端パルス信号及び／又は後続コマンド信号の先頭パルス信号が識別されやすくなる。
【０１８２】
上述の実施形態の眼鏡装置は、映像のフレーム画像の表示に同期して、視聴者の眼への透過光量を調整し、前記映像を立体的に知覚させる補助動作を実行する光学フィルタ部と、前記フレーム画像の表示に同期した前記補助動作を実行させるための同期信号を受信する受信部と、前記同期信号を解析する解析部と、該解析部の解析結果に基づいて、前記光学フィルタ部を制御する制御部と、を備え、前記同期信号は、一定数のパルス信号を有するコマンド信号を含み、該コマンド信号は、前記コマンド信号の開始を通知する先頭パルス信号と、前記コマンド信号の終了を通知する終端パルス信号と、前記フレーム画像の表示に同期した補助動作の内容を通知する制御パルス信号と、を含むことを特徴とする。
【０１８３】
上記構成によれば、光学フィルタ部は、映像のフレーム画像の表示に同期して、視聴者の眼への透過光量を調整する。受信部は、フレーム画像の表示に同期した補助動作を実行させるための同期信号を受信する。解析部は、同期信号を解析する。制御部は、解析部の解析結果に基づいて、光学フィルタ部を制御する。同期信号は、コマンド信号を含む。コマンド信号は、コマンド信号の開始を通知する先頭パルス信号と、コマンド信号の終了を通知する終端パルス信号と、フレーム画像の表示に同期した補助動作の内容を通知する制御パルス信号と、を含む。コマンド信号が含むパルス信号は、一定数であるので、解析部は、同期信号中のノイズ信号を容易に識別することができる。
【０１８４】
上記構成において、前記解析部は、前記先頭パルス信号と前記終端パルス信号との受信間隔に基づき、前記受信部が受信した信号が、前記光学フィルタ部の制御に用いられる前記コマンド信号であるか否かを判定することが好ましい。
【０１８５】
上記構成によれば、解析部は、先頭パルス信号と終端パルス信号との受信間隔に基づき、受信部が受信した信号が、光学フィルタ部の制御に用いられるコマンド信号であるか否かを判定する。したがって、光学フィルタ部は、適切に受信されたコマンド信号に従って、補助動作を実行することができる。
【０１８６】
上記構成において、前記解析部は、前記先頭パルス信号と前記終端パルス信号との間の前記パルス信号の数に基づき、前記受信部が受信した信号が、前記光学フィルタ部の制御に用いられる前記コマンド信号であるか否かを判定することが好ましい。
【０１８７】
上記構成によれば、解析部は、先頭パルス信号と終端パルス信号との間のパルス信号の数に基づき、受信部が受信した信号が、光学フィルタ部の制御に用いられるコマンド信号であるか否かを判定する。したがって、光学フィルタ部は、適切に受信されたコマンド信号に従って、補助動作を実行することができる。
【０１８８】
上記構成において、前記解析部は、前記先頭パルス信号と前記終端パルス信号との間の前記パルス信号の時間位置に基づき、前記受信部が受信した信号が、前記光学フィルタ部の制御に用いられる前記コマンド信号であるか否かを判定することが好ましい。
【０１８９】
上記構成によれば、解析部は、先頭パルス信号と終端パルス信号との間のパルス信号の時間位置に基づき、受信部が受信した信号が、光学フィルタ部の制御に用いられるコマンド信号であるか否かを判定する。したがって、光学フィルタ部は、適切に受信されたコマンド信号に従って、補助動作を実行することができる。
【０１９０】
上記構成において、前記解析部は、前記先頭パルス信号と前記終端パルス信号との間の前記制御パルス信号の前記時間位置に基づき、前記光学フィルタ部に対する制御内容を決定することが好ましい。
【０１９１】
上記構成によれば、解析部は、先頭パルス信号と終端パルス信号との間の制御パルス信号の時間位置に基づき、光学フィルタ部に対する制御内容を決定するので、光学フィルタ部は、適切に補助動作を実行することができる。
【０１９２】
上記構成において、前記コマンド信号は、前記光学フィルタ部に前記透過光量を調整させるための第１調整動作を実行させるための第１コマンド信号と、前記光学フィルタ部に前記第１調整動作と異なる第２調整動作を実行させる第２コマンド信号と、を含み、前記解析部は、前記第１コマンド信号及び前記第２コマンド信号のうち少なくとも一方の受信周期に基づいて、前記受信部が受信した信号が、前記光学フィルタ部の制御に用いられる前記コマンド信号であるか否かを判定することが好ましい。
【０１９３】
上記構成によれば、コマンド信号は、光学フィルタ部に透過光量を調整させるための第１調整動作を実行させるための第１コマンド信号と、光学フィルタ部に第１調整動作と異なる第２調整動作を実行させる第２コマンド信号と、を含む。解析部は、第１コマンド信号及び第２コマンド信号のうち少なくとも一方の受信周期に基づいて、受信部が受信した信号が、光学フィルタ部の制御に用いられるコマンド信号であるか否かを判定する。したがって、光学フィルタ部は、適切に受信された第１コマンド信号及び第２コマンド信号に基づいて、第１調整動作及び第２調整動作を実行することができる。
【０１９４】
上記構成において、前記コマンド信号は、先行して送信される先行コマンド信号と、該先行コマンド信号に後続する後続コマンド信号と、を含み、前記解析部は、前記コマンド信号内の前記パルス信号の間隔と、前記先行コマンド信号と前記後続コマンド信号との受信間隔とに基づいて、前記先頭パルス信号及び前記終端パルス信号のうち少なくとも一方を見極めることが好ましい。
【０１９５】
上記構成によれば、コマンド信号は、先行して送信される先行コマンド信号と、先行コマンド信号に後続する後続コマンド信号と、を含む。解析部は、コマンド信号内のパルス信号の間隔と、先行コマンド信号と後続コマンド信号との受信間隔とに基づいて、先頭パルス信号及び終端パルス信号のうち少なくとも一方を見極める。したがって、光学フィルタ部は、先行コマンド信号及び後続コマンド信号にしたがって、補助動作を適切に実行することができる。
【０１９６】
上述の実施形態の映像システムは、映像のフレーム画像を時間的に切り替えて表示する表示装置と、前記フレーム画像の表示に同期して、視聴者の眼への透過光量を調整し、前記映像を立体的に知覚させる補助動作を実行する眼鏡装置と、を備え、前記表示装置は、前記映像を表示する表示部と、前記映像のフレーム画像の表示に同期したコマンド信号を含む同期信号を生成する生成部と、前記同期信号を送信する送信部と、を含み、前記コマンド信号は、一定数のパルス信号を含み、該コマンド信号は、前記コマンド信号の開始を通知する先頭パルス信号と、前記コマンド信号の終了を通知する終端パルス信号と、前記フレーム画像の表示に同期した前記補助動作の内容を通知する制御パルス信号と、を含み、前記眼鏡装置は、前記補助動作を実行する光学フィルタ部と、前記同期信号を受信する受信部と、前記同期信号を解析する解析部と、該解析部の解析結果に基づいて、前記光学フィルタ部を制御する制御部と、を含むことを特徴とする。
【０１９７】
上記構成によれば、表示装置は、映像のフレーム画像を時間的に切り替えて表示する。眼鏡装置は、フレーム画像の表示に同期して、視聴者の眼への透過光量を調整し、映像を立体的に知覚させる補助動作を実行する。表示装置の生成部は、表示部が表示する映像のフレーム画像の表示に同期したコマンド信号を含む同期信号を生成する。コマンド信号は、コマンド信号の開始を通知する先頭パルス信号と、コマンド信号の終了を通知する終端パルス信号と、フレーム画像の表示に同期した補助動作の内容を通知する制御パルス信号と、を含む。解析部は、受信部が受信した同期信号を解析する。制御部は、解析部の解析結果に基づいて、補助動作を実行する光学フィルタ部を制御する。コマンド信号が含むパルス信号は、一定数であるので、解析部は、同期信号中のノイズ信号を容易に識別することができる。
【産業上の利用可能性】
【０１９８】
上述の実施形態の原理は、テレビ装置といった表示装置と、表示装置に表示された映像とを視聴するために用いられる眼鏡装置に適用可能である。
【手続補正３】
【補正対象書類名】図面
【補正対象項目名】全図
【補正方法】変更
【補正の内容】
【図１】
2011099298.tif 000016
【図２】
2011099298.tif 000017
【図３】
2011099298.tif 000018
【図４】
2011099298.tif 000019
【図５】
2011099298.tif 000020
【図６】
2011099298.tif 000021
【図７】
2011099298.tif 000022
【図８】
2011099298.tif 000023
【図９】
2011099298.tif 000024
【図１０】
2011099298.tif 000025
【図１１】
2011099298.tif 000026
【図１２】
2011099298.tif 000027
【図１３】
2011099298.tif 000028
【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
映像を表示する表示部と、
前記映像のフレーム画像と同期したコマンド信号を含む同期信号を生成する生成部と、
前記同期信号を送信する送信部と、を備え、
前記コマンド信号は、一定数のパルス信号を含み、
該コマンド信号は、前記コマンド信号の開始を通知する先頭パルス信号と、前記コマンド信号の終了を通知する終端パルス信号と、前記フレーム画像と同期制御の内容を通知する制御パルス信号と、を含み、
前記先頭パルス信号と、前記終端パルス信号との間の送信間隔は、一定に定められ、
前記制御パルス信号は、前記先頭パルス信号と終端パルス信号の間に一定の時間間隔で配列された時間位置のうち、所定数の有効パルス信号を有する、
表示装置。
【請求項２】
前記同期制御は、第１同期制御と、該第１同期制御とは異なる第２同期制御と、を含み、
前記コマンド信号は、前記第１同期制御の内容を通知するための前記第１コマンド信号と、前記第２同期制御の内容を通知するための前記第２コマンド信号と、を含み、
前記生成部は、前記先頭パルス信号と前記終端パルス信号との間の前記制御パルス信号の時間位置を変更し、前記第１コマンド信号と前記第２コマンド信号と、を生成することを特徴とする請求項１に記載の表示装置。
【請求項３】
前記コマンド信号は、先行して送信される先行コマンド信号と、該先行コマンド信号に後続する後続コマンド信号と、を含み、
前記送信部は、前記先行コマンド信号の前記終端パルス信号と前記後続コマンド信号の前記先頭パルス信号との間の時間間隔が、前記コマンド信号内の前記パルス信号の時間間隔と異なるように前記先行コマンド信号と前記後続コマンド信号とを間欠式に送信することを特徴とする請求項１に記載の表示装置。
【請求項４】
映像のフレーム画像と同期して、視聴者の眼への透過光量を調整し、前記映像を立体的に知覚させる補助動作を実行する光学フィルタ部と、
前記フレーム画像と同期した前記補助動作を実行させるための同期信号を受信する受信部と、
前記同期信号を解析し、解析結果に基づいて、前記光学フィルタ部を制御する制御部と、を備え、
前記同期信号は、一定数のパルス信号を有するコマンド信号を含み、
該コマンド信号は、前記コマンド信号の開始を通知する先頭パルス信号と、前記コマンド信号の終了を通知する終端パルス信号と、前記フレーム画像と同期した前記補助動作の内容を通知する制御パルス信号と、を含み、
前記先頭パルス信号と、前記終端パルス信号との間の送信間隔は、一定に定められ、
前記制御パルス信号は、前記先頭パルス信号と終端パルス信号の間に一定の時間間隔で配列された時間位置のうち、所定数の有効パルス信号を有する、
眼鏡装置。
【請求項５】
前記制御部は、前記先頭パルス信号と前記終端パルス信号との受信間隔に基づき、前記受信部が受信した信号が、前記光学フィルタ部の制御に用いられる前記コマンド信号であるか否かを判定することを特徴とする請求項４に記載の眼鏡装置。
【請求項６】
前記制御部は、前記先頭パルス信号と前記終端パルス信号との間の前記パルス信号の数に基づき、前記受信部が受信した信号が、前記光学フィルタ部の制御に用いられる前記コマンド信号であるか否かを判定することを特徴とする請求項４に記載の眼鏡装置。
【請求項７】
前記制御部は、前記先頭パルス信号と前記終端パルス信号との間の前記パルス信号の時間位置に基づき、前記受信部が受信した信号が、前記光学フィルタ部の制御に用いられる前記コマンド信号であるか否かを判定することを特徴とする請求項４に記載の眼鏡装置。
【請求項８】
前記制御部は、前記制御パルス信号の所定数の有効パルス信号が配される前記時間位置に基づき、前記光学フィルタ部に対する制御内容を決定することを特徴とする請求項４に記載の眼鏡装置。
【請求項９】
前記コマンド信号は、前記光学フィルタ部に前記透過光量を調整させるための第１調整動作を実行させるための第１コマンド信号と、前記光学フィルタ部に前記第１調整動作と異なる第２調整動作を実行させる第２コマンド信号と、を含み、
前記制御部は、前記第１コマンド信号及び前記第２コマンド信号のうち少なくとも一方の受信周期に基づいて、前記受信部が受信した信号が、前記光学フィルタ部の制御に用いられる前記コマンド信号であるか否かを判定することを特徴とする請求項８に記載の眼鏡装置。
【請求項１０】
前記コマンド信号は、先行して送信される先行コマンド信号と、該先行コマンド信号に後続する後続コマンド信号と、を含み、
前記制御部は、前記コマンド信号内の前記パルス信号の間隔と、前記先行コマンド信号と前記後続コマンド信号との受信間隔とに基づいて、前記先頭パルス信号及び前記終端パルス信号のうち少なくとも一方を見極めることを特徴とする請求項４に記載の眼鏡装置。
【請求項１１】
映像のフレーム画像を時間的に切り替えて表示する表示装置と、
前記フレーム画像と同期して、視聴者の眼への透過光量を調整し、前記映像を立体的に知覚させる補助動作を実行する眼鏡装置と、を備え、
前記表示装置は、
前記映像を表示する表示部と、
前記映像のフレーム画像と同期したコマンド信号を含む同期信号を生成する生成部と、
前記同期信号を送信する送信部と、を含み、
前記コマンド信号は、一定数のパルス信号を含み、
該コマンド信号は、前記コマンド信号の開始を通知する先頭パルス信号と、前記コマンド信号の終了を通知する終端パルス信号と、前記フレーム画像と同期した前記補助動作の内容を通知する制御パルス信号と、を含み、
前記眼鏡装置は、
前記補助動作を実行する光学フィルタ部と、
前記同期信号を受信する受信部と、
前記同期信号を解析し、解析結果に基づいて、前記光学フィルタ部を制御する制御部と、を含み、
前記先頭パルス信号と、前記終端パルス信号との間の送信間隔は、一定に定められ、
前記制御パルス信号は、前記先頭パルス信号と終端パルス信号の間に一定の時間間隔で配列された時間位置のうち、所定数の有効パルス信号を有する、
映像システム。
【国際調査報告】
2011099298.tif 000029
2011099298.tif 000030